(57)【要約】  照明アセンブリは、電球アセンブリを含む。電球アセンブリは、電球ベースから突出している軸部と、軸部に結合された照明要素と、を含む。電球ベースは、照明要素に電気的に結合される。ベースアセンブリは、電球ベースに電気的に結合されるように構成され、電源に結合されるように構成されるインターフェース特徴部を有する。インターフェース特徴部が電源に接続されると、照明要素は照明可能である。
2014517449.tif 000002
【特許請求の範囲】
【請求項１】
最大幅（Ｗ）の照明要素であって、照明可能な平坦な材料を含み、厚み（Ｔ）を有する照明要素と、
照明アセンブリをソケットに結合できるベースと、
細長い軸部分であって、前記照明要素及び前記ベースを取り外し可能に結合する軸部分と、
を含む、照明アセンブリ。
【請求項２】
前記細長い軸部分が、
前記照明要素に固定的に結合された第１端部と、
前記ベースに取り外し可能に結合された第２端部と、
を含む、請求項１に記載の照明アセンブリ。
【請求項３】
前記細長い軸部分が、
前記ベースと一体形成された第１端部と、
前記照明要素に取り外し可能に結合された第２端部と、
を含む、請求項１に記載の照明アセンブリ。
【請求項４】
前記細長い軸部分が、
前記ベースに取り外し可能に結合された第１端部と、
前記照明要素に取り外し可能に結合された第２端部と、
を含む、請求項１に記載の照明アセンブリ。
【請求項５】
前記第２端部が、前記照明要素と前記ベースの中間で、前記軸部を磁気的に固定するように構成された第１磁石を含む、請求項１〜４のいずれか一項に記載の照明アセンブリ。
【請求項６】
前記細長い軸部分が、
内側軸部と、
前記内側軸部と摺動可能に係合する外側軸部と、
を更に含み、
前記軸部分の長さが調節可能であってアセンブリの全長を決定する、請求項１〜５のいずれか一項に記載の照明アセンブリ。
【請求項７】
前記細長い軸部分が、
内側軸部と、
前記内側軸部と摺動可能に係合する外側軸部と、
前記内側軸部の位置を外側軸部に対して調節することによって作動する制御部と、を更に含む、請求項１〜５のいずれか一項に記載の照明アセンブリ。
【請求項８】
前記細長い軸部分が、
内側軸部と、
前記内側軸部と回転可能に係合する外側軸部と、
前記内側軸部の角度を外側軸部に対して調節することによって作動する制御部と、を更に含む、請求項１〜５のいずれか一項に記載の照明アセンブリ。
【請求項９】
前記制御部が、照度、照明方向、照明色、照明色温度、又は通電する照明回路の選定のうちの１つ以上を変えるように構成される、請求項７又は８に記載の照明アセンブリ。
【請求項１０】
前記照明要素が、
前記照明要素の第１面を照明するために選択的に通電可能な第１回路と、
前記照明要素の第２面を照明するために選択的に通電可能な第２回路と、
を含み、前記第１及び第２回路が独立して通電可能な、請求項１〜９のいずれか一項に記載の照明アセンブリ。
【請求項１１】
前記軸部分が、
第１区分と、
第２区分と、
前記第１区分が前記第２区分に対して枢動できるように構成される枢動機構と、を更に含む、請求項１〜１０のいずれか一項に記載の照明アセンブリ。
【請求項１２】
前記枢動機構が球継ぎ手である、請求項１１に記載の照明アセンブリ。
【請求項１３】
前記枢動機構がヒンジである、請求項１１に記載の照明アセンブリ。
【請求項１４】
前記軸部分の一方の末端部に配置され、前記照明要素に結合されたヒンジを更に含み、前記照明要素が前記軸部分の対応する一方の末端部に対して枢動できるように、前記ヒンジが整列される、請求項１〜１３のいずれか一項に記載の照明アセンブリ。
【請求項１５】
前記照明要素が直角円錐台として形成される、請求項１〜１４のいずれか一項に記載の照明アセンブリ。
【請求項１６】
前記照明要素が直径（Ｄ）を有する円形ディスクである、請求項１〜１４のいずれか一項に記載の照明アセンブリ。
【請求項１７】
前記軸部分が、照明要素の厚み（Ｔ）を超え、かつ最大幅（Ｗ）未満の幅（ＷＳ）を有する、請求項１〜１６のいずれか一項に記載の照明アセンブリ。
【請求項１８】
前記照明要素が、
凹面と、
前記凹面から厚み（Ｔ）離れた凸面と、
を含む、請求項１〜１７のいずれか一項に記載の照明アセンブリ。
【請求項１９】
照明可能な平坦な材料であって、照明要素を形成し、第１面及び第２面を有し、前記第１面と前記第２面とが、材料厚み（Ｔ）離れた平坦な材料と、
前記照明要素をベースに取り外し可能に結合するように構成された磁気結合機構と、
を含む、交換式照明要素。
【請求項２０】
第１磁石又は第１金属面であって、交換式照明要素を細長い軸部に結合するように構成された第１磁石又は第１金属面を更に含む、請求項１９に記載の交換式照明要素。
【請求項２１】
細長い軸部分であって、照明要素を前記ベースに取り外し可能に結合するように構成された軸部分を更に含む、請求項１９に記載の交換式照明要素。
【請求項２２】
前記細長い軸部分が、
照明要素に固定的に結合された第１端部と、
前記ベースに取り外し可能に結合するように構成された第２端部と、
を含む、請求項２１に記載の交換式照明要素。
【請求項２３】
前記細長い軸部分が、
前記ベースに取り外し可能に結合するように構成された第１端部と、
照明要素に取り外し可能に結合された第２端部と、
を含む、請求項２１に記載の交換式照明要素。
【請求項２４】
前記第２端部が、照明要素と前記ベースの中間で、前記軸部を磁気的に固定するように構成された第１磁石を含む、請求項２１〜２３のいずれか一項に記載の交換式照明要素。
【請求項２５】
前記細長い軸部が、
内側軸部と、
前記内側軸部と摺動可能に係合する外側軸部と、
を更に含み、
前記軸部分の長さが調節可能であって照明要素の全長を決定する、請求項２１〜２４のいずれか一項に記載の交換式照明要素。
【請求項２６】
前記細長い軸部分が、
内側軸部と、
前記内側軸部と摺動可能に係合する外側軸部と、
前記内側軸部の位置を前記外側軸部に対して調節することによって作動する制御部と、
を更に含む、請求項２１〜２４のいずれか一項に記載の交換式照明要素。
【請求項２７】
前記細長い軸部分が、
内側軸部と、
前記内側軸部と回転可能に係合する外側軸部と、
前記内側軸部の角度を前記外側軸部に対して調節することによって作動する制御部と、
を更に含む、請求項２１〜２４のいずれか一項に記載の交換式照明要素。
【請求項２８】
前記平坦な材料の第１面を照明するために選択的に通電可能な第１回路と、
前記平坦な材料の第２面を照明するために選択的に通電可能な第２回路と、
を更に含み、
前記第１及び第２回路が独立して通電可能な、請求項１９〜２７のいずれか一項に記載の交換式照明要素。
【請求項２９】
全体幅（Ｗ）を有し、照明可能な平坦な材料を含む照明要素であって、第１面及び第２面を有し、前記第１面と第２面とが、互いに材料厚み（Ｔ）離れた照明要素と、
照明アセンブリをソケットに結合できるベースと、
細長い軸部分であって、軸部分の第１端部において照明要素に、かつ、軸部分の第２端部においてベースに結合し、この軸部分が照明要素及び前記ベースを結合する軸部分と、
通電すると前記第１面を照明させる第１照明回路と、
通電すると前記第２面を照明させる第２照明回路と、
を含む、照明アセンブリ。
【請求項３０】
前記細長い軸部分が、
照明要素に固定的に結合された第１端部と、
前記ベースに取り外し可能に結合された第２端部と、
を含む、請求項２９に記載の照明アセンブリ。
【請求項３１】
前記細長い軸部分が、
前記ベースと一体形成された第１端部と、
照明要素に取り外し可能に結合された第２端部と、
を含む、請求項２９に記載の照明アセンブリ。
【請求項３２】
前記細長い軸部分が、
前記ベースに取り外し可能に結合された第１端部と、
照明要素に取り外し可能に結合された第２端部と、
を含む、請求項２９に記載の照明アセンブリ。
【請求項３３】
前記第２端部が、照明要素と前記ベースの中間で、軸部を磁気的に固定するように構成された第１の磁石を含む、請求項２９〜３２のいずれか一項に記載の照明アセンブリ。
【請求項３４】
前記細長い軸部が、
内側軸部と、
前記内側軸部と摺動可能に係合する外側軸部と、
を更に含み、
前記軸部分の長さが調節可能であってアセンブリの全長を決定する、請求項２９〜３３のいずれか一項に記載の照明アセンブリ。
【請求項３５】
前記細長い軸部が、
内側軸部と、
前記内側軸部と摺動可能に係合する外側軸部と、
前記内側軸部の位置を、前記外側軸部に相対的に調節することによって作動する制御部と、
を更に含む、請求項２９〜３３のいずれか一項に記載の照明アセンブリ。
【請求項３６】
前記細長い軸部が、
内側軸部と、
前記内側軸部と回転可能に係合する外側軸部と、
前記内側軸部の角度を外側軸部に対して調節することによって作動する制御部と、を更に含む、請求項２９〜３３のいずれか一項に記載の照明アセンブリ。
【請求項３７】
前記制御部が、照度、照明方向、照明色、照明色温度、又は通電する照明回路の選定のうちの１つ以上を変えるように構成される、請求項３５又は３６に記載の照明アセンブリ。
【請求項３８】
前記軸部分が、照明要素の厚み（Ｔ）を超え、かつ最大幅（Ｗ）未満の幅（ＷS）を有する、請求項２９〜３７のいずれか一項に記載の照明アセンブリ。
【請求項３９】
前記照明要素が、
凹面と、
前記凹面から厚み（Ｔ）離れた凸面と、
を含む、請求項２９〜３８のいずれか一項に記載の照明アセンブリ。
【請求項４０】
照明可能な照明要素を形成する平坦な材料であって、第１面及び第２面を有し、前記第１面と前記第２面とが、材料厚み（Ｔ）離れた照明要素と、
通電すると前記第１面を照明させる第１照明回路と、
通電すると前記第２面を照明させる第２照明回路と、
を含む、交換式照明要素。
【請求項４１】
第１磁石又は第１金属面であって、前記交換式照明要素を細長い軸部に結合するように構成された第１磁石又は第１金属面を更に含む、請求項４０に記載の交換式照明要素。
【請求項４２】
前記照明要素とベースとを取り外し可能に結合する細長い軸部分を更に含む、請求項４０に記載の交換式照明要素。
【請求項４３】
前記細長い軸部分が、
照明要素に固定的に結合された第１端部と、
前記ベースに取り外し可能に結合するように構成された第２端部と、
を含む、請求項４２に記載の交換式照明要素。
【請求項４４】
前記細長い軸部分が、
前記ベースに取り外し可能に結合するように構成された第１端部と、
照明要素に取り外し可能に結合された第２端部と、
を含む、請求項４２に記載の交換式照明要素。
【請求項４５】
前記第２端部が、照明要素と前記ベースの中間で、前記軸部を磁気的に固定するように構成された第１の磁石を含む、請求項４２〜４４のいずれか一項に記載の交換式照明要素。
【請求項４６】
細長い軸部が、
内側軸部と、
前記内側軸部と摺動可能に係合する外側軸部と、
を更に含み、
前記軸部分の長さが、調節可能であって照明要素の全長を決定する、請求項４２〜４５のいずれか一項に記載の交換式照明要素。
【請求項４７】
前記細長い軸部分が、
内側軸部と、
前記内側軸部と摺動可能に係合する外側軸部と、
前記内側軸部の位置を前記外側軸部に対して調節することによって作動する制御部と、
を更に含む、請求項４２〜４５のいずれか一項に記載の交換式照明要素。
【請求項４８】
前記細長い軸部分が、
内側軸部と、
前記内側軸部と回転可能に係合する外側軸部と、
前記内側軸部の角度を前記外側軸部に対して調節することによって作動する制御部と、
を更に含む、請求項４２〜４５のいずれか一項に記載の交換式照明要素。
【発明の詳細な説明】
【技術分野】
【０００１】
本発明は照明アセンブリに関し、具体的には、平坦な照明材料によって一部が形成される装飾用照明アセンブリに関する。
【背景技術】
【０００２】
従来の白熱電球及びそれに付随するソケットは、一般に使用されるようになってから、それほど変わっていない。より効率的な照明の需要が高まっているため、小型蛍光灯及び発光ダイオード電球など最新の照明技術が利用可能となっているが、現在の低エネルギー照明といった解決法は、高価で、視覚的に魅力がないことが多く、及び／又は準最適な照明特性（例えば色温度）に悩まされる。
【図面の簡単な説明】
【０００３】
本発明の目的、特徴並びに長所は、添付の図面と併せて考察すると、次の開示を参照して更により明らかになるであろう。
【図１】平坦な照明材料の断面図。
【図２】第２の平坦な照明材料の断面図。
【図３】照明アセンブリの代表的な実施形態の斜視図。
【図４】照明アセンブリの代表的な実施形態の斜視図。
【図５】照明アセンブリの代表的な実施形態の斜視図。
【図６】照明アセンブリの代表的な実施形態の斜視図。
【図７】照明アセンブリの代表的な実施形態の斜視図。
【図８】照明アセンブリの代表的な実施形態の斜視図。
【図９】照明アセンブリの代表的な実施形態の断面図。
【図１０】照明アセンブリの代表的な実施形態の断面図。
【図１１】照明アセンブリの代表的な実施形態の斜視図。
【図１２】照明アセンブリの代表的な実施形態の断面図。
【図１３】照明アセンブリの代表的な実施形態の側面図。
【図１４】照明アセンブリの代表的な実施形態の側面図。
【図１５】照明アセンブリの代表的な実施形態の側面図。
【図１６Ａ】照明アセンブリの代表的な実施形態の側面図。
【図１６Ｂ】図１６Ａの実施形態の斜視図。
【図１７】照明アセンブリの代表的な実施形態の斜視図。
【図１８】照明アセンブリの代表的な実施形態の斜視図。
【図１９】照明アセンブリの代表的な実施形態の斜視図。
【図２０】照明アセンブリの代表的な実施形態の斜視図。
【図２１】照明アセンブリの代表的な実施形態の斜視図。
【図２２】照明アセンブリの代表的な実施形態の断面図。
【図２３】照明アセンブリの代表的な実施形態の斜視図。
【図２４】照明アセンブリの代表的な実施形態の斜視図。
【図２５Ａ】照明アセンブリの代表的な実施形態の側面図。
【図２５Ｂ】図２５Ａの実施形態の別の配置の側面図。
【図２６】照明アセンブリの代表的な実施形態の斜視図。
【図２７Ａ】照明アセンブリの代表的な実施形態の側面図。
【図２７Ｂ】図２７Ａの実施形態の別の配置の側面図。
【図２８Ａ】照明アセンブリの代表的な実施形態の側面図。
【図２８Ｂ】線９０Ｂ−９０Ｂで切断した、図２７Ａの実施形態の断面図。
【図２８Ｃ】照明アセンブリの代表的な実施形態の斜視図。
【図２９Ａ】照明アセンブリの代表的な実施形態の断面図。
【図２９Ｂ】図２９Ａの実施形態の別の配置の断面図。
【図２９Ｃ】図２９Ａの実施形態の更に別の配置の断面図。
【図３０Ａ】照明アセンブリの代表的な実施形態の断面図。
【図３０Ｂ】図３０Ａの実施形態の別の配置の断面図。
【図３０Ｃ】図３０Ａの実施形態の更に別の配置の断面図。
【図３１Ａ】照明アセンブリの代表的な実施形態の平面図。
【図３１Ｂ】照明アセンブリの代表的な実施形態の斜視図。
【図３１Ｃ】照明アセンブリの代表的な実施形態の斜視図。
【図３１Ｄ】照明アセンブリの代表的な実施形態の斜視図。
【図３２Ａ】照明アセンブリの代表的な実施形態の斜視図。
【図３２Ｂ】照明アセンブリの代表的な実施形態の部分斜視図。
【図３２Ｃ】照明アセンブリの代表的な実施形態の部分斜視図。
【図３２Ｄ】照明アセンブリの代表的な実施形態の部分斜視図。
【図３２Ｅ】照明アセンブリの代表的な実施形態の斜視図。
【図３３】照明アセンブリの代表的な実施形態の斜視図。
【図３４】照明アセンブリの代表的な実施形態の部分側面図。
【図３５Ａ】照明アセンブリの代表的な実施形態の部分側面図。
【図３５Ｂ】照明アセンブリの代表的な実施形態の部分側面図。
【図３５Ｃ】電球ベースの実施形態の底面図。
【図３５Ｄ】図３５Ｃの電球ベース及び付随するベースアセンブリの断面側面図。
【図３６】照明アセンブリの代表的な実施形態の側面図。
【図３７Ａ】照明アセンブリの代表的な実施形態の斜視図。
【図３７Ｂ】図３７Ａの照明アセンブリの代表的な実施形態のブロック図。
【図３８Ａ】照明アセンブリの第２の代表的な実施形態の斜視図。
【図３８Ｂ】図３８Ａの照明アセンブリの代表的な実施形態のブロック図。
【図３８Ｃ】主要な電子機構を含む照明アセンブリの代表的な実施形態のブロック図。
【図３８Ｄ】ベースと電球アセンブリとの間の相互運用性を選択的に可能にする代表的な方法を示すフローチャート。
【図３８Ｅ】照明アセンブリの第３の代表的な実施形態のブロック図。
【図３９】上記実施形態に従って照明アセンブリを実装する代表的なホームオートメーションネットワークのブロック図。
【図４０】代表的な照明アセンブリがリモコンからコマンドを受ける、代表的な照明システムのブロック図。
【図４１】代表的な照明アセンブリが別の照明アセンブリと連携する、代表的な照明システムのブロック図。
【図４２】２つの代表的な電球アセンブリのブロック図。
【図４３】代表的な電球アセンブリを示す側面図。
【図４４】調光回路を含む代表的な照明アセンブリのブロック図。
【図４５】調光回路を含む第２の代表的な照明アセンブリのブロック図。
【図４６】代表的な照明アセンブリに実装され得る調光回路の代表的な実施形態を示すブロック図。
【図４７】センサを含む代表的な照明アセンブリのブロック図。
【図４８】二次電源を有する代表的な照明アセンブリのブロック図。
【図４９】２つの照明面を有する代表的な電球アセンブリの斜視図。
【図５０】２つの照明面を有する照明アセンブリによる代表的な照明パターンの図。
【図５１Ａ】上記照明アセンブリの代表的なベースアセンブリのブロック図。
【図５１Ｂ】上記実施形態によるモジュールを含む代表的な照明アセンブリのブロック図。
【図５１Ｃ】ベースアセンブリ、及び付随するベースアセンブリへの接続用モジュールを示す斜視図。
【図５１Ｄ】ベースアセンブリ、及び付随する図５１Ｃに図示されるモジュールを示す側面図。
【図５２】ベースアセンブリの代表的な実施形態を示す側面図。
【図５３】ベースアセンブリの第２の代表的な実施形態を示す側面図。
【図５４】ベースアセンブリの第３の代表的な実施形態を示す側面図。
【図５５】ベースアセンブリの第４の代表的な実施形態を示す側面図。
【図５６】ベースアセンブリの第５の代表的な実施形態を示す側面図。
【図５７】ベースアセンブリの第６の代表的な実施形態を示す平面図。
【図５８】図５７のベースアセンブリの実施形態を示す斜視図。
【図５９】図５７及び５８のベースアセンブリと共に用いる電球アセンブリの代表的な実施形態を示す側面図。
【図６０】図５９の電球アセンブリの実施形態を示す底面図。
【図６１】ベースアセンブリの更に別の代表的な実施形態の斜視図。
【図６２Ａ】第１の選択した配置にある代表的な照明アセンブリの側面図。
【図６２Ｂ】第２の選択した配置にある図６２Ａの代表的な照明アセンブリの側面図。
【図６３Ａ】第１配置にある第２の代表的な照明アセンブリのベースアセンブリの側面図。
【図６３Ｂ】第２配置にある図６３Ａのベースアセンブリの側面図。
【図６３Ｃ】第３配置にある図６３Ａのベースアセンブリの側面図。
【図６４Ａ】代表的な照明付属品に取り付けられた代表的な照明アセンブリを示す斜視図。
【図６４Ｂ】第２の代表的な照明付属品に取り付けられた図６４Ａの代表的な照明アセンブリを示す斜視図。
【図６５Ａ】図６３Ａの配置に一致する第１配置にある代表的な照明アセンブリを示す斜視図。
【図６５Ｂ】図６３Ｂの配置に一致する第２配置にある図６５Ａの代表的な照明アセンブリを示す斜視図。
【図６５Ｃ】図６３Ｃの配置に一致する第３配置にある図６５Ａの代表的な照明アセンブリを示す斜視図。
【図６６】第１位置にスイッチを有する代表的な照明アセンブリの側面図。
【図６７】第２位置にスイッチを有する図６６の代表的な照明アセンブリの側面図。
【図６８】代表的な照明アセンブリを示す斜視図。
【図６９】照明アセンブリの更に別の代表的な実施形態の側面図。
【図７０】照明アセンブリの更に別の代表的な実施形態の斜視図。
【図７１】いくつかの代表的な照明アセンブリの実施形態を実施する場面を示す斜視図。
【図７２Ａ】照明アセンブリの代表的な実施形態の斜視図。
【図７２Ｂ】図７２Ａの実施形態の斜視図。
【図７３Ａ】照明アセンブリの代表的な実施形態の斜視図。
【図７３Ｂ】図７３Ａの実施形態の斜視図。
【図７４】照明アセンブリの代表的な実施形態の斜視図。
【図７５Ａ】照明アセンブリの代表的な実施形態の斜視図。
【図７５Ｂ】図７５Ａの実施形態の斜視図。
【図７６Ａ】照明アセンブリの代表的な実施形態の斜視図。
【図７６Ｂ】図７６Ａの実施形態の斜視図。
【図７７Ａ】照明アセンブリの代表的な実施形態の斜視図。
【図７７Ｂ】図７７Ａの実施形態の斜視図。
【図７８】照明アセンブリの代表的な実施形態の斜視図。
【図７９】照明ストリップアセンブリの代表的な実施形態の斜視図。
【図８０】ベースアセンブリの実施形態のスロット内に配置された図７９の照明ストリップアセンブリの側面図。
【図８１】照明アセンブリの代表的な実施形態の斜視図。
【図８２Ａ】照明アセンブリの代表的な実施形態の斜視図。
【図８２Ｂ】図８２Ａの実施形態の斜視図。
【図８３Ａ】照明アセンブリの代表的な実施形態の斜視図。
【図８３Ｂ】図８３Ａの実施形態の斜視図。
【図８４Ａ】照明アセンブリの代表的な実施形態の斜視図。
【図８４Ｂ】図８４Ａの実施形態の平面図。
【図８５Ａ】照明アセンブリの代表的な実施形態の斜視図。
【図８５Ｂ】図８５Ａの実施形態の平面図。
【図８６Ａ】照明アセンブリの代表的な実施形態の斜視図。
【図８６Ｂ】図８６Ａの実施形態の平面図。
【図８７Ａ】照明アセンブリの代表的な実施形態の斜視図。
【図８７Ｂ】図８７Ａの実施形態の平面図。
【発明を実施するための形態】
【０００４】
本発明は、多くの様々な形態における実施形態が可能であるが、本開示は、本発明の原理の例示として見なされるべきであり、示されている具体的な実施形態に対して本発明を限定することを意図したものではないということを理解した上で、図面に示され、その詳細な具体的実施形態において本明細書で説明される。この点において、本発明と一致する少なくとも１つの実施形態を説明する前に、本発明は、その用途において、図面において示されている、又は実施例において説明されている構造体の詳細に、並びに上記及び下記の配置に限定されないということを理解されたい。本発明と一致する方法及び装置は、他の実施形態、及び様々な方法で実践又は実施されてよい。また、本明細書、並びに以下に含まれる要約書で使用される表現及び用語は、説明を目的とするものであって、限定として見なされるべきではないことも理解されたい。
【０００５】
照明装置は、多くの形状、寸法、及び形態をとり、電気照明の初期から、多くの種類の発光源を含むよう成熟してきた。白熱、エレクトロルミネッセンス、及びガス放電はそれぞれ、様々な照明装置で使用されており、その中で、一次発光素子（例えば、白熱フィラメント、発光ダイオード、ガス、プラズマなど）は、意図する用途に応じたあらゆる方法で作製されている。本出願において以下に記載する照明アセンブリのいくつかの実施形態は、当業者が以下に記載する実施形態を読むことによって理解されるように、２種類以上の発光源の使用による影響を受けやすい。特定の実施形態が、特定の種類の発光源又は特定の構造の電球アセンブリを要するとして記載されているが、同様のものが当業者には明らかである。例えば、以下に説明されるある実施形態は、発光ダイオード（ＬＥＤ）、ＬＥＤ照明装置、照光シートなどに言及している。これらの実施形態では、当業者は、その限定の本質（例えば、この実施形態が平坦な照明要素を意図すること）及び記載される実施形態の範囲（例えば、任意の種類の平坦な照明要素が利用できること）を容易に理解するであろう。
【０００６】
ＬＥＤ照明アレイは、例えば、個包装されたＬＥＤが並んで概ね平坦な形状（すなわち、幅及び長さに対して小さい厚みを有する形状）を形成するアレイなどの、多くの形状でもたらされる。このようなＬＥＤ照明アレイの１つは、米国特許第６，４３１，７２８号、表題「Ｍｕｌｔｉ−Ａｒｒａｙ  ＬＥＤ  Ｗａｒｎｉｎｇ  Ｌｉｇｈｔｓ」に記載されている。ＬＥＤアレイは、単一の基板又は複数の基板上に形成されてもよく、１つ以上の回路（すなわち、異なるＬＥＤを照明するため）、様々な色のＬＥＤなどを備えてよい。加えて、ＬＥＤアレイは、例としてであり限定するものではないが、金属半導体材料及び有機半導体材料などの任意の好適な半導体技術によって形成してよい。
【０００７】
ＬＥＤ照明アレイも、別個のＬＥＤ構成要素が可撓性基板上に配置される、つまり組み立てられる照光可撓性シートとして利用可能である。図１は、１つのそのような材料５００の代表的な実施形態の断面図を示す。材料５００は、底面基板層５０４を含む。第１導電性層５０６は、底面基板層５０４上に配置される。ＬＥＤ  ５１４の層５０８は、第１導電性層５０６上に配置され、任意にＬＥＤ  ５１４は、絶縁材料によって分離、被覆などされてよい。ＬＥＤ  ５１４と第１導電性層５０６との間の界面５１６において、ＬＥＤ  ５１４上の第１電極が第１導電性層５０６に電気的に結合される。第２導電性層５１０は、ＬＥＤ  ５１４の層５０８を覆って配置され、ＬＥＤ  ５１４との第２導電性層５１０との間の界面５１８において、ＬＥＤ  ５１４上の第２電極が第２導電性層５１０に電気的に結合されるようにする。上面基板層５１２は、第２導電性層５１０を覆う。
【０００８】
当然のことながら、図１は層５０４〜５１２を図示しているが、いくつかの実施形態では、材料５００はより多く、又はより少ない層を含んでよい。例えば、いくつかの実施形態では、材料５００は１つ以上の反射層を備えてよい。別の実施形態では、材料５００は１つ以上の封止層を備えてよい。更に別の実施形態では、材料５００が導電性基板を含むことにより、第１導電性層から分離している底面基板を不要にしてよい。
【０００９】
図２は、平坦な可撓性材料５２０の第２代表的な実施形態の断面図を示す。材料５２０は一般に、底面層と底面層が向い合って反射層５０２によって結合される、２層の材料５００を含む。このように、材料５２０は２つの照明面を有する。すなわち、底面基板５０４Ａは反射層５０２の一方の面に配置され、第１導電性層５０６Ａは底面基板５０４Ａ上に配置され、ＬＥＤ  ５１４Ａの層５０８Ａは第１導電性層５０６Ａ上に配置され、第２導電性層５１０ＡはＬＥＤ  ５１４Ａの層５０８Ａ上に配置され、上面基板５１２Ａは第２導電性層５１０Ａ上に配置される。同様に、底面基板５０４Ｂは反射層５０２の別の面に配置され、第１導電性層５０６Ｂは底面基板５０４Ｂ上に配置され、ＬＥＤ  ５１４Ｂの層５０８Ｂは第１導電性層５０６Ｂ上に配置され、第２導電性層５１０ＢはＬＥＤ  ５１４Ｂの層５０８Ｂ上に配置され、上面基板５１２Ｂは第２導電性層５１０Ｂ上に配置される。
【００１０】
代表的な平坦な可撓性照明材料は、米国特許出願公開第２０１１／００５８３７２号、表題「Ｓｏｌｉｄ  Ｓｔａｔｅ  Ｂｉｄｉｒｅｃｔｉｏｎａｌ  Ｌｉｇｈｔ  Ｓｈｅｅｔ  ｆｏｒ  Ｇｅｎｅｒａｌ  Ｉｌｌｕｍｉｎａｔｉｏｎ」、同第２０１１／００６３８３８号、表題「Ｓｏｌｉｄ  Ｓｔａｔｅ  Ｂｉｄｉｒｅｃｔｉｏｎａｌ  Ｌｉｇｈｔ  Ｓｈｅｅｔ  Ｈａｖｉｎｇ  Ｖｅｒｔｉｃａｌ  Ｏｒｉｅｎｔａｔｉｏｎ」、米国特許第７，２５９，０３０号、表題「Ｒｏｌｌ−ｔｏ−Ｒｏｌｌ  Ｆａｂｒｉｃａｔｅｄ  Ｌｉｇｈｔ  Ｓｈｅｅｔ  ａｎｄ  Ｅｎｃａｐｓｕｌａｔｅｄ  Ｓｅｍｉｃｏｎｄｕｃｔｏｒ  Ｃｉｒｃｕｉｔ  Ｄｅｖｉｃｅｓ」、米国特許出願公開第２０１０／００１６７４４１号、表題「Ｍｅｔｈｏｄ  ｏｆ  Ｍａｎｕｆａｃｔｕｒｉｎｇ  ａ  Ｌｉｇｈｔ  Ｅｍｉｔｔｉｎｇ，Ｐｈｏｔｏｖｏｌｔａｉｃ  ｏｒ  Ｏｔｈｅｒ  Ｅｌｅｃｔｒｏｎｉｃ  Ａｐｐａｒａｔｕｓ  ａｎｄ  Ｓｙｓｔｅｍ」、同第２０１０／００６８８３９号、表題「Ｍｅｔｈｏｄ  ｏｆ  Ｍａｎｕｆａｃｔｕｒｉｎｇ  ａ  Ｌｉｇｈｔ  Ｅｍｉｔｔｉｎｇ，Ｐｈｏｔｏｖｏｌｔａｉｃ  ｏｒ  Ｏｔｈｅｒ  Ｅｌｅｃｔｒｏｎｉｃ  Ａｐｐａｒａｔｕｓ  ａｎｄ  Ｓｙｓｔｅｍ」、同第２０１０／００６８８３８号、表題「Ｍｅｔｈｏｄ  ｏｆ  Ｍａｎｕｆａｃｔｕｒｉｎｇ  ａ  Ｌｉｇｈｔ  Ｅｍｉｔｔｉｎｇ，Ｐｈｏｔｏｖｏｌｔａｉｃ  ｏｒ  Ｏｔｈｅｒ  Ｅｌｅｃｔｒｏｎｉｃ  Ａｐｐａｒａｔｕｓ  ａｎｄ  Ｓｙｓｔｅｍ」、同第２０１０／００６５８６３号、表題「Ｌｉｇｈｔ  Ｅｍｉｔｔｉｎｇ，Ｐｈｏｔｏｖｏｌｔａｉｃ  Ｏｒ  Ｏｔｈｅｒ  Ｅｌｅｃｔｒｏｎｉｃ  Ａｐｐａｒａｔｕｓ  ａｎｄ  Ｓｙｓｔｅｍ」、同第２０１０／００６５８６２号、表題「Ｌｉｇｈｔ  Ｅｍｉｔｔｉｎｇ，Ｐｈｏｔｏｖｏｌｔａｉｃ  Ｏｒ  Ｏｔｈｅｒ  Ｅｌｅｃｔｒｏｎｉｃ  Ａｐｐａｒａｔｕｓ  ａｎｄ  Ｓｙｓｔｅｍ」、同第２００９／０２８４１７９号、表題「Ａｐｐａｒａｔｕｓｅｓ  ｆｏｒ  Ｐｒｏｖｉｄｉｎｇ  Ｐｏｗｅｒ  ｆｏｒ  Ｉｌｌｕｍｉｎａｔｉｏｎ  ｏｆ  ａ  Ｄｉｓｐｌａｙ  Ｏｂｊｅｃｔ」、同第２００９／０２８４１６５号、表題「Ａｐｐａｒａｔｕｓｅｓ  ｆｏｒ  Ｉｌｌｕｍｉｎａｔｉｏｎ  ｏｆ  ａ  Ｄｉｓｐｌａｙ  Ｏｂｊｅｃｔ」、及び同第２００９／０２８４１６４号、表題「Ｉｌｌｕｍｉｎａｔｉｎｇ  Ｄｉｓｐｌａｙ  Ｓｙｓｔｅｍｓ」に記載されている。
【００１１】
可撓性の平坦な照明したシートが実装される以下に説明される様々な実施形態では、照明したシートは、折り畳み式、つまり曲げることができてよい、１ｃｍ〜２０ｃｍの最小曲げ半径を有してよい、１ｃｍ〜５ｃｍの最小曲げ半径を有してよい、１ｃｍ〜２０ｃｍの最小曲げ半径を有してよい、１ｃｍ〜２ｃｍの最小曲げ半径を有してよい、０．５ｃｍ〜２ｃｍの最小曲げ半径を有してよい、０．１ｃｍ〜２ｃｍの最小曲げ半径を有してよい、形状記憶を有する材料を含んでよい、及び／又は約０．５ルーメン／ｃｍ2以上を出力してよい、といった特性のうちの１つ以上を有してよい。
【００１２】
平坦な照明材料を利用する少なくともいくつかの実施形態では、インク粒子寸法の無機半導体素子を基板上に転写するための従来の印刷技術を用いて、材料を製造できる。基板は可撓性の平坦な材料であってよく、具体的にいくつかの実施形態では、紙であってよい。いくつかの実施形態では、半導体は、商用印刷機を用いて無機半導体インクとして基板上に被着された、ＬＥＤなどのダイオードであってよい。特に、材料は、ＮｔｈＤｅｇｒｅｅ  Ｔｅｃｈｎｏｌｏｇｉｅｓ  Ｗｏｒｌｄｗｉｄｅ  Ｉｎｃ．（Ｔｅｍｐｅ，Ａｒｉｚｏｎａ，ＵＳＡ）が販売する「Ｐｒｉｎｔｅｄ  Ｉｌｌｕｍｉｎａｔｅｄ  Ｐａｐｅｒ」であってよい。
【００１３】
いずれにせよ、この明細書ではＬＥＤ材料（例えば、有機／無機ＬＥＤ、光抽出素子などを含む）の使用、又は平坦な、及び／若しくは可撓性の照明したシートの使用を要する実施形態について記載しているが、本開示の趣旨から逸脱することなく、現在知られている、又は今後発明される任意の好適な技術を、残る記載要素と組み合わせて利用できる。
【００１４】
上記実施形態の態様において、高効率かつ優れた寿命のＬＥＤ技術により、ＬＥＤ照明システムは、システムがモジュール式である場合、一般消費者及び一般事業に対して長期間にわたる節約をもたらすことができ、付属品全体、つまりＬＥＤユニットを交換するよりも、容易にかつ比較的安価に交換できるＬＥＤ「電球」の創出を可能にした。ＬＥＤユニットは、制御要素も有し、消費者が直接的に又は離れた場所から（すなわち、リモコンによって）、電球の照明の制御を可能にすることができる。電球は、一日のある時点、又は単純に消費者が思いついた時に、スイッチがオン若しくはオフ、又は光出力が変更するよう設定できる。ＬＥＤシステムは、スターターキット（例えば、照明ベース及び電球）として販売し、別々に交換用電球を販売することができる。交換用電球は、対応するベースに機能的に結合でき（例えば、エジソンねじなどによって）、このとき照明ベースは、例えば、付属品に機能的に結合した状態で残る。比較的低温のＬＥＤの場合、電球を、可鍛性／可撓性が高く、かつ安価なプラスチックで製造し、「ランプシェード」などといった広範な形状及び寸法を提供できる。交換用電球は、異なる審美性及び／又は機能性を提供してよい。照明ベースは、マイクロプロセッサなどを備えて販売し、インテリジェント照明システムを提供できる。消費者が照明ベースを保持し、電球が切れたとき、又は消費者が電球を交換する別の必要性があるとき（例えば、照明の機能、特性などを変える、又は審美的な理由）に、ベース用の電球を単に購入することによって、消費者に対するコストを下げられる。あるいは、マイクロプロセッサを電球内に含み、消費者がベースを交換する必要がない状態で、異なる電球を様々な機能に対応可能にできる。
【００１５】
本明細書に示される技術及び概念を利用し、ＬＥＤ照明システムなどのモジュール式半導体発光照明という解決法によって、ＬＥＤ装置又はシステムが機能的に取り付けられ得る、照明ベース電力／データ供給付属品を提供する。電気信号及び／又はデータ信号は、電力供給構成要素（例えば「照明ベース」）から、結合システムを通って、取り付けられた発光構成要素（例えば「電球」）に、直接的に伝達される。一実施形態では、結合システムは導電性磁気システムであり、データの伝達、パルス幅変調動作、並びに照明構成要素の動作及び特性の制御に利用されるその他通信機能を可能にする。いくつかある理由の中でも特に、消費者に対する安全性のため、システムは（電子的及び／又は機械的な）「ロックとキー」機能を伴って設計され、電球中の適切なキーのみが電力供給構成要素を解除し、電力供給構成要素が動作するようにしてよい。
【００１６】
一態様は、電力供給構成要素を含む発光装置又はシステムを提供する。電力供給構成要素は、電気信号及び／又はデータ信号を発光構成要素に提供する。電力供給構成要素は、（例えば主電源、ＡＣ及び／又はＤＣから）電気信号又はデータ信号を受信し、電気信号又はデータ信号を発光構成要素に送信するように構成される。主電源が使用できない、又は使用中のときに、発光電力消費構成要素へ電気信号を送信可能にする一時エネルギー保管デバイス（例えば電池又はコンデンサ）に、電力供給構成要素を機能的に接続してよい。電力供給構成要素は、エジソン型ねじ込み継手、若しくはソケット（例えば壁のソケット）に差し込みできるプラグを備えてよく、又は電気システムに実配線されていてもよい。発光構成要素は、電力供給構成要素から電気信号及び／又はデータ信号を受信すると照明するように構成され、ここで電力供給構成要素は、従来の照明用ソケット（例えば、エジソンねじ、バヨネットマウント、ウェッジベース、バイピンなど）によって電源に結合されてよく、新規照明用ソケットによって電源に結合されてよく、又は電気回路に実配線されてもよい。
【００１７】
実施形態によると、発光構成要素は受電結合機構を更に含む。受電結合機構を動作させて、発光構成要素を電力供給構成要素に取り付け、電力供給構成要素と発光構成要素との間の電気信号及び／又はデータ信号を伝達する。
【００１８】
同様に、電力供給構成要素は、受電結合機構に取り付けて、電力及び／又はデータを発光構成要素に供給する、配電結合機構を含む。一実施形態では、配電結合機構及び受電結合機構は、双方とも導電性磁石であってよく、又は一方が導電性磁石を含み、もう一方が、磁石に引きつけられ、電気信号及び／又はデータ信号の伝達を可能にする導電性を有する金属若しくは他の材料を含んでもよい。あるいは、配電結合機構は、磁気結合機構と、別個の電力リード線と、を備えてよく、一方受電結合機構は、磁気結合機構と、別個の電力リード線と、を含み、２つの構成要素の磁気結合機構が互いを結合し、電力リード線が電子的信号及びデータ信号を伝達するようにする。電力リード線の例として、導電性ピンを挙げてよい。
【００１９】
別の実施形態では、配電結合機構及び受電機構は、機械的手段（例えば、ねじ、つまりねじり型締着手段、嵌め込み型締着手段など）、導電性締着具、磁気締着具、又はこれらの組み合わせによって、取り外し可能に接続される。デバイスは、ロックとキー機能を更に含み、消費者に安全性を提供してよい。換言すれば、電力供給構成要素は、発光構成要素によって提供されるキーによってのみ解除できる、ロックを備えてよい。機械的署名、磁気的署名、電子的署名など、ロックとキー機能を提供する方法はたくさんある。
【００２０】
更に別の実施形態では、配電結合機構及び受電機構は、磁石、好ましくは導電性磁石によって取り外し可能に接続される。更に別の実施形態では、少なくとも配電結合機構又は受電機構は、磁石を含む。好ましくは、磁石は、配電結合機構及び受電結合機構を取り外し可能に接続するよう構成され、磁石は、配電結合機構と受電結合機構との間の電気信号を伝達するよう構成される。
【００２１】
当然のことながら、本開示の範囲から逸脱することなく、任意の数の導電性磁石を使用できる。導電性磁石は、磁石と、導電性コーティングと、を含んでよい。磁石は、希土類磁石、永久磁石、セラミック磁石、電磁石、又は任意のその他種類の磁性材料であってよい。導電性磁気結合システムが壁又は天井に取り付けられる場合、磁気的結合を断つために過度の力を必要とせずに、電力消費構成要素の取り外しを可能にしつつも、電力消費構成要素の重量に耐えるように、磁石の強度は、電力供給構成要素と発光電力消費構成要素の接続を確実にするために十分でなくてはならない。一実施形態によると、磁石はネオジム磁石である。
【００２２】
磁石を覆う導電性コーティングは、磁石の磁気的結合に干渉せず、配電結合機構と発光構成要素との間の電気信号及び／又はデータ信号の経路指示のための導電路を正しく提供する、十分な厚みを有する任意の導電材料であってよい。実施形態によると、導電性コーティングはニッケルコーティングである。当然のことながら、導電性コーティングは、磁石が全く露出されないように磁石を完全に覆ってもよく、又は、磁石周囲に及び／若しくは磁石を通って導電路を提供しながら、磁石を一部のみ覆ってもよい。実施形態において、導電性コーティングは、ＬＥＤデバイスを動作させるために発光デバイス内の回路に電気的に接続される。
【００２３】
電力供給構成要素は、電源及び制御モジュールを更に備えてよい。電源及び制御モジュールは、電力設定（例えばパルス幅変調により）、その結果としてのデバイスの光出力を制御するために消費者が調整する、機械的スイッチを備えてよい。あるいは及び／又は加えて、電源及び制御モジュールは、１日のある時点（例えば日没時）のみに照明が点灯するようにデバイスのタイミングを制御してよく、１日のある時点において光の出力を変化させてもよい（例えば、食事中に暗くする）。及び／又は、電源及び制御モジュールは動作感知装置を含み、動作を感知したときのみ点灯する（その後、設定した時間点灯したままである）ようにしてもよい。電源及び制御モジュールは、リモコン（例えば、手持ち式リモコン又はコンピュータデバイス、例えば携帯電話、携帯情報端末（ＰＤＡ）、ラップトップコンピュータ、タブレット、コンピュータなど）で操作できる。
【００２４】
データは、電源及び制御モジュールと電球アセンブリとの間を伝送され、任意の数の照明要素及び／又は環境因子に従って光出力を最適化するインテリジェント照明システムをもたらし得る。電球が複数のＬＥＤを含む場合、パラメータはＬＥＤパラメータを含んでよい。電源及び制御モジュールは、インテリジェント照明システムを駆動する全てのマイクロプロセッサ及びその他構成要素を備えてよい。電力消費構成要素と同じようにこの制御装置をモジュール式にすることにより、故障したモジュールの修理、又は電源及び制御モジュールの性能の変更のため、電源及び制御モジュールを容易に交換できる。パルス幅変調動作及びインテリジェント照明システムは、例えば、米国特許出願公開第２００９／０２３８２５８号、同第２００９／０２４０３８０号、同第２００９／０２３７０１１号に記載されており、それぞれの全体が参考により本明細書に明示的に組み込まれる。あるいは、制御モジュールは、電球内に配置され、消費者によるベースの交換を必要とせずに、デバイス機能を電球に対応させてよい（例えば、多回路電球を制御するようプログラムされる制御装置を提供する）。
【００２５】
いくつかの実施形態では、ＬＥＤは低温出力又は高度熱放散を有してよく、装置は、ヒートシンク及び／又はクーリングフィンなどを含まなくてよい。
【００２６】
ＬＥＤが様々な材料に取り付けられることを考慮すると、デバイスの「電球」部分の形状及び寸法はほぼ無制限である。一実施形態では、発光構成要素は、錐体の形状に形成された基板を含み、ＬＥＤは錐体の内側及び錐体の外側に配置される。１回の反復で、錐体の内側上のＬＥＤは起動し、「スポットライト」照明効果をもたらす。２回目の反復で、錐体の外側上のＬＥＤが起動し、「日除け」又は「拡散」効果を作る。３回目の反復で、錐体の内側及び外側の両方のＬＥＤが起動されて、最大光量を提供する。
【００２７】
電力供給構成要素及び発光構成要素の様々な構成が企図される。電力供給構成要素はトラックシステムを含んでもよく、電力消費構成要素はＬＥＤ光ストリップを含んでもよい。ＬＥＤ光ストリップは、電力及び／又はデータを受容するためのトラックシステムに取り外し可能に接続されてもよい。あるいは、電力供給構成要素は、壁のソケットに差し込むのに適したプラグを含んでもよく、光を放射する電力消費構成要素はＬＥＤシート、好ましくは可撓性シートである。
【００２８】
これまで説明したように、デバイスの「電球」部分の形状及び寸法（すなわち、発光構成要素、又は電球アセンブリ７０２）はほぼ無制限である。例えば、図３で示されるように照明デバイス７００は、電球アセンブリ７０２を有してもよく、これは照明要素、例えば側壁７０３を含んでもよく、この照明要素は、以下においてより詳細に記載される方法で電球ベース７１０に結合される。側壁７０３は、これまで説明した構成を含む。本明細書で使用するとき、面が照明されているとして、又は照明することができるとして記載されているとき、示されている面はＬＥＤアレイを含む。以下において更に詳細に説明されているように、側壁７０３を含む材料の前面、後面、又は両面（並びに、絶面及び／又は後面の部分）は照明することができる。電球アセンブリ７０２の側壁７０３は、材料の単一シートから形成されてもよく、又は個々のシートのそれぞれが、材料の単一シートとして集合的に機能することができる方法で電気的に連結されている２つ以上のシート材料によって形成されてもよい２つ以上のシート材料は、固定されて、又は固定されずに、側壁７０３を形成してよい。シートが固定されて側壁７０３を形成する実施形態では、例えば音波溶接、接着剤などの当該技術分野において既知の任意の方法で、熱成形により、熱硬化により、又は機械的結合により、シートを固定し集合的に側壁７０３を形成してよい。あるいは、シートを熱成形及び／又は熱硬化し、接着不要としてよい。側壁７０３、又は以下に記載される実施形態における照明シート若しくは要素の任意のものは、非平滑化面（図示せず）を有してもよい。非平滑化プロセスは、照明したシートの製造中に実施されてもよく、又は製造したシート上に第２の操作として実施されてもよい。面の質感は、任意の適切な面粗さ又は波形を有してもよい。例えば、面の質感の粗さは、シートが照明されていないときに艶消しガラスの外観を与えることができる。加えて、透明層を照明シートの面に配置してよく、透明層の厚みを可変として、面の質感、及び／又は均一に拡散した光出力をもたらしてよい。場合によっては、審美的理由で加えられた面の質感が、放射光線を拡散するという追加の効果をもたらしてよい。
【００２９】
更に図３を参照して、側壁７０３が円筒を形成するように、電球アセンブリ７０２の側壁７０３は、底部の縁部７０６の直径と実質的に等しい直径を有する、上方の縁部７０４を含んでもよい。上部の縁部７０４は、ある面に収容されてもよく、この面は実質的に水平であってもよい。そのように構成されて、電球アセンブリ７０２は、従来の電球と同様の外形を有して、電球アセンブリ７０２が、従来の電球を使用するように設計されている照明装置内に挿入できるようにしてもよい。例えば、図３に示されている電球アセンブリ７０２の側壁７０３は高さＨ及び外径Ｄを有してもよく、これらはそれぞれ従来の電球の高さ（ねじ基部は除く）及び最大外径と実質的に等しい。より具体的には、図３に示されている電球アセンブリ７０２の側壁７０３は高さＨ及び外径Ｄを有してもよく、これらはそれぞれＡ１９白熱電球の高さ（ねじ基部は除く）及び最大外径（すなわち、それぞれ約８８．９ｍｍ（３  １／２インチ）並びに約６０．３ｍｍ（２  ３／８インチ））と実質的に等しい。しかしながら、高さＨ及び外形Ｄはそれぞれ、従来の電球の高さＨ及び／又は外形Ｄ（又は最大外形）と一致しない値など任意の好適な値を有してもよい。
【００３０】
上記の電球アセンブリ７０２の側壁７０３の形状及び寸法の任意の数の変形例が企図される。例えば、側壁７０３の上方の縁部７０４の面は、図４に示されているように、水平の基準面に対してある角度で配置されてもよい。更に、図５に示されているように、上方の縁部７０４は、２つ以上の縁部の区分７１２から構成されてもよく、２つ以上の縁部の区分７１２のそれぞれは、隣接する縁部の区分７１２とは異なる角度で配置されて、例えば鋸刃のパターンを形成してもよい。しかしながら、２つ以上の縁部の区分７１２のそれぞれは、そのようなパターンが繰り返sれるように同一であってもよい。例えば、２つ以上の縁部の区分７１２のそれぞれは、半円形状を有してもよく、又は図６に示されるように正弦波形状を有してもよい。更なる実施形態は、繰り返し又は非繰り返しの縁部の区分７１２を有し得る上方の縁部区分７０４を有してもよく、これは任意の形状又は形状の組み合わせを形成してもよい。図４、５、６、又は以下に説明される実施形態のいずれかにおいて示される実施形態の任意の側壁７０３の最大高さ及び外径は、例えば例えばＡ１９電球などの従来の電球の電球高さ（ねじ基部は除く）及び最大外径に実質的に等しくてもよい。しかしながら、最大高さＨ及び最大外形Ｄはそれぞれ、従来の電球の高さＨ及び／又は外形Ｄ（又は最大外形）と一致しない値など任意の好適な値を有してもよい。電球アセンブリ７０２はまた、カバー要素（図示せず）を含んでもよく、これは少なくとも側壁７０３の上に部分的に配置され、このカバー要素は、電球基部７１０に堅く固定され、側壁７０３に対する保護をもたらすことができる。このカバー要素は例えば透明なプラスチック材料から作られてもよい。あるいは、カバー要素は、特定の用途に適した任意の材料から作られてもよく、又は任意の形状を有してもよい。
【００３１】
図７２Ａに示されているように、側壁７０３の実施形態は複数の長手方向のスロット８７０を有してもよく、これは上方の縁部７０４に隣接する点まで、及び底部の縁部７０６に隣接する点まで延びてもよい。このため、側壁７０３の上方の縁部７０４が、長手方向に底部の縁部７０６に向かって配置されたとき、スロット８７０の間に配置された側壁７０３の部分は、図７２Ｂに示されるように半径方向に外側に広がる。側壁７０３は、側壁７０３の外側に広がった部分が所望の位置に留まるのを可能にする記憶材料を含んでもよい。あるいは、支持構造体、例えば中央軸部の周囲に摺動可能に配置されているハブ（図示せず）が使用されて、所望の位置で側壁７０３を維持してもよい。
【００３２】
図７３Ａ及び７３Ｂに示されている更なる実施形態では、側壁７０３は、複数の交互の折り畳み部８７２によって扇状の形状に形成されてもよく、側壁７０３の第１端部は電球ベース７１０（又はベースアセンブリ７３５）に固定されてもよい。したがって、図７３Ａに示されている第１位置では、側壁７０３は、電球ベース７１０の長手方向軸に沿って、又はこれと平行な比較的平坦な構成で延びてもよい。図７３Ｂに示されている第２位置では、側壁７０３の第２端部は、第１端部に対して外側に配置されてもよく、これによって側壁７０３を扇樣の形状にする。側壁７０３は、側壁７０３が所望の位置に留まるのを可能にする記憶材料を含んでもよい。あるいは、側壁７０３の最外部分は重りが付けられて、側壁７０３が扇樣の形状を維持するのを引力が可能にするようにしてもよい。側壁７０３の第１面及び／又は第２面の任意の部分は照明することができてもよい。
【００３３】
更なる実施形態では、側壁７０３の上方の縁部７０４は、開口部７０８を画定してもよく、これは例えば、側壁７０３の内面７１４上で作られた照明が上方に投影されるのを可能にする。しかしながら、図７に示されているように、実質的に水平な上面７１６は、電球アセンブリ７０２が開口部７０８を有さないように、側壁７０３の上方の縁部７０４と交差してもよい。あるいは、リップ部（図示せず）が上面７１６を超えて軸方向に延びるように、上面７１６は上方の縁部７０４から内側にオフセットされてもよい。電球アセンブリ７０２の他の実施形態では、上面７１６は水平でない場合があるが、その代わりに、水平の基準面に対する、ある角度で配置される場合がある。あるいは、上面７１６は曲線を付けて成形されてもよく、あるいは任意の他の非平坦な形状、又は例えば平坦な形状及び／又は非平坦な形状の組み合わせを有してもよい。より具体的には、上面は例えば、円錐形状又は半球状を有してもよい。上面７１６は、接着剤によって、又は機械的結合によって（例えばタブ／スロット構成）、あるいは１つ以上の側壁７０３又は上面７１６に付着するカラーの使用によって側壁７０３に結合されてもよい。あるいは、側壁７０３及び上面７１６は、材料の単一片から形成されてもよく、これによって、材料の単一片は側壁７０３及び上面７１６の両方から折り畳むことができる。
【００３４】
図８で示されているように、電球アセンブリ７０２は、周方向壁部７１８を含んでもよく、これは側壁７０３の上方の縁部７０４を超えて軸方向に延び、上面７１６と交差する。周方向壁部７１８は任意の好適な形状、例えば円錐台形の形状又は円形などを有してもよい。更に、上面７１６と交差する代わりに、周方向壁部７１８の上方縁部は、開口部７０８を画定してもよく、又は周方向壁部７１８は、開口部７０８を画定する内側に延びているリップ部を含んでもよい。周方向壁部７１８は、複数の壁区分（図示せず）を含んでもよく、これは集合的に周方向壁部７１８を構成し、壁区分は平坦であっても、及び／又は凹凸があってもよい。
【００３５】
以下により詳細に記載されるように、電球アセンブリ７０２の側壁７０３の任意の部分は照明することができる。例えば、図３に示される実施形態では、側壁７０３の外面７２０は、第１色で照明することができ、側壁７０３の内面７１４は第２色で照明することができる。あるいは、外面７２０及び内面７１４の両方は同じ色で照明することができる。他の実施形態では、内面７１４のみが照明する。図９に示されているこの構成では、反射面７２２は、電球ベース７１０に隣接する側壁７０３によって形成される円筒の内部に配置されてもよく、反射面７２２は実質的に略放物線状の形状を有して、側壁７０３の内面７１４から内側に向けられた光を、開口部７０８の外に反射することができる。上記の略放物線状の形状の代わりに、反射面４２２は任意の好適な形状、又は形状の組み合わせ、例えば平坦、楕円、双曲線、又はファセットなどを有してもよい。反射面７２２の代わりに、電球アセンブリ７０２は、図１０に示されているように、開口部７０８を通じて向けられた光を投影するよう照明することができる内側挿入部７２４を含む場合がある。内側挿入部７２４は平坦であってもよく、側壁７０３の底部の縁部７０６に隣接して、又はこれに接触して配置されてもよい。しかしながら、内側挿入部７２４は、側壁７０３の内部に任意の軸方向の一で配置されてもよく、並びに、内側挿入部７２４は、開口部７０８を通じて光を方向付けるのに適した任意の形状又は形状の組み合わせを有してもよい。内側挿入部７２４、又は反射面７２２は、側壁７０３の内面７１４の直径よりもわずかに小さい外形を有してもよい。例えば、側壁７０３の外径Ｄが、Ａ１９白熱電球の最大外径（約６０．３ｍｍ（２  ３／８インチ））に相当する場合、内側挿入部７２４又は反射面７２２の外径は約５７．２ｍｍ（２  １／４インチ）であってよい。しかしながら、内側挿入部７２４又は反射面７２２は任意の直径を有してもよい。電球アセンブリ７０２の更なる実施形態では、２つ以上の家ち側挿入部７２４は、側壁７０３内に配置されもよく、内側挿入部７２４は、特定の用途に適した任意の形状又は寸法を有してもよい。同様に、２つ以上の反射面７２２が側壁７０３内に配置されてもよく、反射面７２２は、特定の用途に適した任意の形状及び寸法を有してもよい。更に、反射面７２２及び内側挿入部７２４は、側壁７０３の内側に配置されてもよい。
【００３６】
図２９Ａ、２９Ｂ、及び２９Ｃに図示されるように、反射面７２２は、軸方向に移動可能な軸部７８０に固定されてよい。しかしながら、反射面７２２は、軸部７８０と一体形成してもよい。反射面７２２は、側壁７０３の内径よりもわずかに小さい外径を有してもよい。しかしながら、反射面７２２は、任意の好適な寸法の外径を有してよい。電球ベース７１０から離れる方向への軸部７８０の軸方向運動により、側壁７０３の照明された内面７１４から、縦方向基準軸７８２に対してある角度で、側壁７０３の開口部７０８を光が出射するようにできる。より具体的には、図２９Ａに示されるように、反射面７２２の底部が電球ベース７１０に隣接するように軸部７８０が第１位置にあるとき、開口部７０８から広がる光は、縦方向基準軸７８２に実質的に平行であり得る。図２９Ｂに図示されるように、反射面７２２の底部が電球ベース７１０から第２距離に配置されるように軸部７８０が第２位置にあるとき、開口部７０８から広がる光は、開口部７０８から広がる光が円錐形状を有し得るように、縦方向基準軸７８２と第１角度θ1を成すことができる。第１角度θ1は、例えば約１°〜４５°であってよい。より詳細には、第１角度θ1は１０°であってよい。図２９Ｃに図示されるように、反射面７２２の底部が電球ベース７１０から、第２距離よりも大きい第３距離に配置されるように軸部７８０が第３位置にあるとき、開口部７０８から広がる光は、縦方向基準軸７８２と、第１角度θ1よりも大きい第２角度θ2を成すことができ、第３位置によって得られる円錐形状は、第２位置による円錐形状よりも直径が大きい。第２角度θ2は、例えば約５°〜８５°であってよい。より詳細には、第２角度θ2は３０°であってよい。
【００３７】
図２９Ａ、２９Ｂ、及び２９Ｃの実施形態の軸部７８０は、当該技術分野において既知の任意の方法によって移動させてよい。例えば、軸部７８０は、固定式の軸性支柱７８４にねじ方式で接続されてよく、固定式支柱７８４に対して軸部７８０を手で回転させることにより、軸部７８０を軸方向に移動する結果となり得る。しかしながら、軸部７８０は、側壁７０３に対して回転しないようにしてよく、モーターが支柱７８４を回転して、軸部７８０を軸方向に移動できる。例えば、照明光の強度や色などの、照明デバイスの任意の機能を制御するため、軸部の上部は回転可能であってよい。図２９Ａ、２９Ｂ、及び２９Ｃの実施形態は、上記の任意の機能を有してよい。例えば、内面７１４のみ、又は外面７２０のみなど、側壁の任意の又は全ての面を照明することができる。
【００３８】
図３０Ａ、３０Ｂ、及び３０Ｃに図示される実施形態では、反射面７２２は、軸方向に移動可能な要素７８６上に配置してよい。移動可能な要素７８６は、円錐形状、略放物線形状、又は任意のその他好適な形状を有してよい。移動可能な要素７８６は、側壁７０３の内面７１４の直径よりもわずかに小さい外径を有してもよい。例えば、側壁７０３の外径が、Ａ１９白熱電球の最大外径（約６０．３ｍｍ（２  ３／８インチ））に相当する場合、移動可能な要素７８６の外径は約５７．２ｍｍ（２  １／４インチ）であってよい。しかしながら、移動可能な要素７８６は、任意の好適な寸法の外径を有してよい。電球ベース７１０から離れる方向への移動可能な要素７８６の軸方向運動により、側壁７０３の照明された内面７１４から、上記方法で縦方向基準軸に対してある角度で、側壁７０３の開口部７０８を光が出射するようにできる。より具体的には、図３０Ａに示されるように、移動可能な要素７８６の底部が電球ベース７１０に隣接するように移動可能な要素７８６が第１位置にあるとき、開口部７０８から広がる光は、縦方向基準軸７８２に実質的に平行であり得る。図３０Ｂに図示されるように、移動可能な要素７８６の底部が電球ベース７１０から第２距離に配置されるように移動可能な要素７８６が第２位置にあるとき、開口部７０８から広がる光は、開口部７０８から広がる光が円錐形状を有し得るように、縦方向基準軸７８２と第１角度θ1を成すことができる。第１角度θ1は、例えば約１°〜４５°であってよい。より詳細には、第１角度θ1は１０°であってよい。図３０Ｃに図示されるように、移動可能な要素７８６の底部が電球ベース７１０から、第２距離よりも大きい第３距離に配置されるように移動可能な要素７８６が第３位置にあるとき、開口部７０８から広がる光は、縦方向基準軸７８２と、第２角度θ2よりも大きい第２角度θ2を成すことができ、第３位置によって得られる円錐形状は、第２位置による円錐形状よりも直径が大きい。第２角度θ2は、例えば約５°〜８５°であってよい。より詳細には、第２角度θ2は３０°であってよい。移動可能な要素７８６は、当該技術分野において既知の方法によって移動させてよい。例えば、移動可能な要素７８６は、固定式の軸性支柱７８４にねじ方式で接続されてよい。移動可能な要素７８６は、側壁７０３に対して回転しないようにしてよく、モーターが支柱７８４を回転して、軸部７８０を軸方向に移動できる。図３０Ａ、３０Ｂ、及び３０Ｃの実施形態は、上記の任意の機能を有してよい。例えば、内面７１４のみ、又は外面７２０のみなど、側壁の任意の又は全ての面を照明することができる。
【００３９】
図１１に示されているように、１つ以上の窓部７２６は、側壁７０３及び上面７１６のいずれか又はこの両方上に配置されてもよい。１つ以上の窓部７２６のそれぞれは、任意の形状又は形状の組み合わせ、例えば星型、楕円形、円形、又は多角形などを有してもよい。更に、１つ以上の窓部７２６は文字、シンボル、ロゴ、単語、又は数の形状をとってもよい。電球アセンブリ７０２の実施形態では、１つ以上の窓部７２６は側壁７０３上に配置されてもよく、側壁７０３は内面７１４上のみで照明されてもよい。１つ以上の窓部７２６の合計表面積は、側壁７０３の全体の利用可能な表面積の割合を構成する場合があり（すなわち、窓部７２６が存在しない場合は、側壁７０３の合計表面積）、この割合は任意の好適な値であり得る。例えば、図１１に示される窓部７２６の合計表面積は、側壁７０３の全体の利用可能な表面積の２５％を構成する場合がある。
【００４０】
上記で簡単に説明したように、側壁７０３の底部の縁部７０６は、当該技術分野において既知の任意の手法によって（例えば接着剤又は機械的結合などによって）、電球基部７１０に結合されてもよく、これは以下により詳細に説明される。より具体的には、図１２に示されているように、底部の縁部７０６に隣接する側壁７０３の部分は、電球ベース７１０の上方に突出している周方向隆起部７３０に接着剤で固定されてもよい。示されているように、隆起部７３０の内面は、側壁７０３の外面７２０に接着剤で結合されてもいが、隆起部７３０の外面は、側壁７０３の内面７１４に接着剤で結合されてもよい。あるいは、側壁７０３の底部の縁部７０６から延びるタブ（図示せず）は、電球基部７１０の面上に形成された細長いスロット（図示せず）内に受容されてもよい。更に、１つ以上の内側に向けられた機構、例えばポスト又はスタブは、電球基部７１０の内面から突出してもよく、それぞれ電球基部７１０の内側に向けられている機構は、側壁７０３の底部の縁部７０６に隣接して配置された開口部内に受容されてもよい。代替の実施形態では、１つ以上のプラスチックのタブ（図示せず）は、当該技術分野において既知のいずれかによって（例えば接着剤によって、又は機械的締結によって）底部の縁部７０６に隣接する側壁７０３に固定されてもよく、プラスチックタブは、電球基部７１０に形成されたタブスロット（図示せず）内に受容されてもよい。電球アセンブリ７０２の更なる実施形態では、カラー（図示せず）は、側壁７０３の一部（例えば側壁７０３の底部の縁部７０６に隣接して配置される外側に延びるタブ）を固定する方法で電球基部７１０に固定されてもよい。カラーは、タブ／スロット接続によって、又は例えばネジ式接続によって電球基部７１０に結合されてもよい。
【００４１】
以下でより詳細に記載されるように、側壁７０３（並びに上面７１６及び周方向壁部７１８）は、当該技術分野において既知の任意の手法によって電球基部７１０に電気的に連結されてもよい。例えば、１つ以上の雄ピン又はブレードは側壁７０３の底部の縁部７０６から下方に突出してもよく、雄ピン又はブレードは、電球基部に形成された容器又はスロット内に受容されてもよい。
【００４２】
図２２に示されている実施形態では、側壁７０３は、電球ベース７１０上に取り外し可能に定置されてもよく、これは、ベースアセンブリ７３５と一体形成されてよい。以下により詳細に記載されるように、ベースアセンブリ７３５は、側壁７０３が照明できるようにする任意の電源に結合するよう適合される。例えば、図２２に示されているように、ベースアセンブリ７３５は電源に結合するためにエジソンねじを有する下部を含む。電球アセンブリ７０２の側壁７０３は、切頭集光円錐台形の形状を有する場合があり、周方向の伝導性ストリップ７３８は、側壁７０３の底部の縁部７０６に隣接して配置されてもよい。側壁７０３の底部の縁部７０６及び上方の縁部７０４の直径は、任意の値を有してよいが、底部の縁部７０６の直径は、上方の縁部７０４の直径より大きい。例えば、底部の縁部７０６の直径は、Ａ１９白熱電球の最大外形（約６０．３ｍｍ（２  ３／８インチ））とほぼ同じであってもよく、上方の縁部７０４の直径は約４４．５ｍｍ（１  ３／４インチ）であってもよい。電球基部７１０は、切頭集光円錐台形の形状を有してもよく、これは、底部の縁部７０６に隣接する側壁７０３の内面７１４が、周方向外面７４０の上にぴったりと合い、これによって電球基部７１０に側壁７０３が結合するように、側壁７０３の形状に概ね一致する。電球基部７１０は、任意の好適な値である最大外形を有してもよい。例えば、最大外形は底部の縁部７０６に外形とほぼ等しいか、又はわずかに大きくてもよい。更に、１つ以上の磁石が電球基部７１０及び側壁７０３上に配置されて、側壁７０３を電球基部７１０に互いに固定してもよい。あるいは、１つ以上の隆起部（すなわち戻り止め）が側壁７０３のうちの１つの上に形成されてもよく、並びに１つ以上の隆起部が、電球基部７１０上に形成された、対応する隆起部（すなわち戻り止め）と係合することができる。そのように組み立てることで、電球基部７１０の外周の周囲に配置された伝導性ストリップ７４２は、側壁７０３が電球基部７１０に電気的に連結されるように、側壁７０３上に配置される伝導性ストリップ７３８と接触してもよい。
【００４３】
図１３に示される更なる実施形態において、電球アセンブリ７０２の側壁７０３が、図３に示される円筒形状の代わりに、実質的に枝分かれしている円錐台形の形状を有してもよい。より具体的に、側壁７０３は、底部の縁部７０６の直径よりも大きい直径を有する上方の縁部７０４を含んでもよい。例えば、上方の縁部７０４の直径は、Ａ１９白熱電球の最大外形（約６０．３ｍｍ（２  ３／８インチ））とほぼ同じであってもよく、底部の縁部７０６の直径は約４４．５ｍｍ（１  ３／４インチ）であってもよい。しかしながら、側壁７０３の形状における差以外で、図１３の電球アセンブリ７０２は、図３に示されている電球アセンブリ７０２の実施形態と実質的に同一であってもよく、図１３の電球アセンブリ７０２は、上記の図３の実施形態の機構のいずれか、又は全てを含んでもよい。例えば、図１３に示されているように、切頭円錐形状の側壁７０３の上方の縁部７０４は、ある平面に限定されてもよく、その平面は実質的に水平であってもよい。あるいは、平面は、図４に示される実施形態と同様に、水平基準面に対してある角度で配置されてもよい。更に、切頭円錐形状の側壁７０３を有する電球アセンブリ７０２の実施形態はまた、例えば上方の縁部７０４に沿って縁部区分７１２、外周壁部７１８、反射面７２２、及び内側挿入部７２４、並びに／又は１つ以上の窓部７２６を含んでもよい。更に、切頭円錐形状の側壁７０３を有する電球アセンブリ７０２の実施形態の機能性は、上記の図３に示される電球アセンブリ７０２の実施形態の機能性と同一であってもよい。例えば、側壁の内面７１４又は外面７２０のいずれか又は両方は上記の方法で照明することができる。
【００４４】
図１４に示される更なる実施形態において、電球アセンブリ７０２の側壁７０３が、図３に示される円筒形状の代わりに、実質的に収束している円錐台形の形状を有してもよい。より具体的に、側壁７０３は、底部の縁部７０６の直径未満の直径を有する上方の縁部７０４を含んでもよい。例えば、底部の縁部７０６の直径は、Ａ１９白熱電球の最大外形（約６０．３ｍｍ（２  ３／８インチ））とほぼ同じであってもよく、上方の縁部７０４の直径は約４４．５ｍｍ（１  ３／４インチ）であってもよい。しかしながら、側壁７０３の形状における差以外で、図１４の電球アセンブリ７０２は、図３に示されている電球アセンブリ７０２の実施形態と実質的に同一であってもよく、図１４の電球アセンブリ７０２は、上記の図３の実施形態の機構のいずれか、又は全てを含んでもよい。例えば、図１４に示されているように、切頭円錐形状の側壁７０３の上方の縁部７０４は、ある平面に限定されてもよく、その平面は実質的に水平であってもよい。あるいは、平面は、図４に示される実施形態と同様に、水平基準面に対してある角度で配置されてもよい。更に、切頭円錐形状の側壁７０３を有する電球アセンブリ７０２の実施形態はまた、例えば上方の縁部７０４に沿って縁部区分７１２、外周壁部７１８、反射面７２２、及び内側挿入部７２４、並びに／又は１つ以上の窓部７２６を含んでもよい。更に、切頭円錐形状の側壁７０３を有する電球アセンブリ７０２の実施形態の機能性は、上記の図３に示される電球アセンブリ７０２の実施形態の機能性と同一であってもよい。例えば、側壁の内面７１４又は外面７２０のいずれか又は両方は上記の方法で照明することができる。
【００４５】
図１５に示される更なる実施形態において、電球アセンブリ７０２の側壁７０３は、上記の収束している切頭円錐形状の代わりに、実質的に円錐形状を有してもよい。より具体的には、側壁７０３の断面直径は、底縁部７０６から、側壁７０３の最上部分に配置されている先端部７３２まで、軸方向において絶えず減少してもよい。円錐の高さ及び直径は任意の好適な値を有してもよい。例えば、底部の縁部７０６の直径は、Ａ１９白熱電球の最大外形（約６０．３ｍｍ（２  ３／８インチ））とほぼ等しくてもよく、円錐の高さは、Ａ１９白熱電球の高さ−約８８．９ｍｍ（３  １／２インチ）とほぼ等しくてもよい。側壁７０３の形状における差以外で、図１５の電球アセンブリ７０２は、図３及び図１４に示されている電球アセンブリ７０２の実施形態と実質的に同一であってもよい。例えば、円錐形状の側壁７０３を有する電球アセンブリ７０２の実施形態はまた、１つ以上の窓部７２６を含んでもよい。更に、円錐形状の側壁７０３を有する電球アセンブリ７０２の実施形態の機能性は、上記の図３に示される電球アセンブリ７０２の実施形態の機能性と同一であってもよい。例えば、側壁の内面７１４又は外面７２０のいずれか又は両方は上記の方法で照明することができる。
【００４６】
図１６Ａ及び１６Ｂに示される更なる実施形態では、電球アセンブリ７０２の側壁７０３は、複数の切子面７３４から構成されてもよい。側壁７０３は、任意の数の切子面７３４を含んでもよく、側壁７０３は任意の全体的な形状をとってもよい。例えば、図１６Ａ及び１６Ｂで示されるように、側壁７０３の上部は、切頭収束のピラミッドの形状をとってもよく、側壁７０３の中間部分は立方体の形状をとってもよく、側壁７０３の下部は、切頭の分岐しているピラミッドの形状をとってもよい。しかしながら、側壁７０３の形状における差以外で、図１６Ａ及び１６Ｂの電球アセンブリ７０２は、図３に示されている電球アセンブリ７０２の実施形態と実質的に同一であってもよく、図１６Ａ及び１６Ｂの電球アセンブリ７０２は、上記の図３の実施形態の機構のいずれか、又は全てを含んでもよい。例えば、図１６Ａ及び１６Ｂに示されているように、切頭円錐形状の側壁７０３の上方の縁部７０４は、ある平面に限定されてもよく、その平面は実質的に水平であってもよい。更に、図１６Ａ及び１６Ｂの実施形態はまた、例えば上方の縁部７０４に沿って縁部の区分７１２、周方向壁部７１８、反射面７２２、及び内側挿入部７２４、並びに／又は１つ以上の窓部７２６を含んでもよい。更に、図１６Ａ及び１６Ｂの電球アセンブリ７０２の実施形態の機能性は、上記の図３に示される電球アセンブリ７０２の実施形態の機能性と同一であってもよい。例えば、側壁の内面７１４又は外面７２０のいずれか又は両方は上記の方法で照明することができる。
【００４７】
切子面７３４を有する電球アセンブリ７０２の更なる実施形態では、側壁７０３の図１７に示される切子面７３４は、収束している切頭円錐形状を形成してもよく、これは、分岐している切頭円錐形状の側壁７０３を有する、図１３の実施形態と実質的に同一であってもよい。あるいは、図１７に示される切子面は、側壁７０３の断面形状が、側壁７０３の長手方向軸に沿って一定であるように、実質的に水平であってもよい。更に、図１８に示されているように、側壁７０３は、長手方向に配置された切子面７３４を含んでもよく、これは隣接する切子面７３４に対してある角度で配置され、長手方向に配置された切子面７３４は垂直であってもよく、又は、側壁７０３が電球ベース７１０から軸方向に外に延びるにつれて収束するように、若しくは分岐するように、縦方向基準軸に対してある角度で配置されてもよい。上記の切子面は実質的に平坦であるが、１つ以上の切子面７３４は、凹凸があっても、湾曲しても、ないしは別の方法で非平坦であってもよい。上記の実施形態のいずれかにおいて、側壁７０３の最大外形及び全体の高さは任意の値を有してもよい。例えば、側壁７０３の最大外形は、Ａ１９白熱電球の最大外形（約６０．３ｍｍ（２  ３／８インチ））とほぼ等しくてもよく、側壁７０３の全体高さは、Ａ１９白熱電球の高さ−約８８．９ｍｍ（３  １／２インチ）の最大高さとほぼ等しくてもよい。
【００４８】
電球アセンブリ７０２の更なる実施形態では、側壁７０３は、図１９に示されるような楕円の形状、又はいずれか他の非円形の形状を有してもよい。かかる非円形形状は実質的に円筒形であってもよく、又は電球基部７１０に向かって収束してもよく、若しくは電球基部７１０から外に分岐してもよい。更に、側壁７０３は、平坦面及び湾曲面の両方を含み得る断面形状を有してもよい。更に、側壁７０３は、断面形状が側壁７０３の長手方向軸に沿って変化するように、不均一の断面形状を有してもよい。例えば、図２１に示されているように、側壁は実質的にらせん状の形状を有してもよく、側壁７０３の内面７１４は、第１色で照明されてもよく、外面７２０は第２色で照明されてもよい。代替の実施形態では、らせん状の形状の側壁７０３は、図７４に示されているように、円形、楕円形、又は他の曲線的形状を有するシートで形成されてよい。側壁７０３の形状における差以外で、図１９及び８３の電球アセンブリ７０２は、図３に示されている電球アセンブリ７０２の実施形態と実質的に同一であってもよく、図１９及び２１の電球アセンブリ７０２は、上記の実施形態の機構のいずれか、又は全てを含んでもよい。上記の実施形態のいずれかにおいて、側壁７０３の最大外形及び全体の高さは任意の値を有してもよい。例えば、側壁７０３の最大外形は、Ａ１９白熱電球の最大外形（約６０．３ｍｍ（２  ３／８インチ））とほぼ等しくてもよく、側壁７０３の全体高さは、Ａ１９白熱電球の高さ−約８８．９ｍｍ（３  １／２インチ）の最大高さとほぼ等しくてもよい。
【００４９】
図２０に示される更なる実施形態では、２つ以上の側壁７０３が電球アセンブリ７０２に含まれてもよい。例えば、第１の直径を有する円筒形の第１側壁７０３ａは、上記の手法で電球基部７１０に固定されてもよい。第１の直径よりも小さい第２の直径を有する円筒形の第２側壁７０３ｂは、第１側壁７０３の軸及び第２側壁７０３の軸が同軸上であるように、既知の手法で電球基部７１０に結合されてもよい。しかしながら、第１側壁７０３ａ及び第２側壁７０３ｂはそれぞれ、任意の適した断面形状を有してもよく、並びに軸方向にオフセットされてもよい。更に、図２０に示されているように、第２側壁７０３ｂは、軸方向において第１側壁７０３ａを超えて延びてもよい。あるいは、第１側壁７０３ａ及び第２側壁７０３ｂは任意の適した高さを有してもよい。例えば、第１側壁７０３ａの最大外形は、Ａ１９白熱電球の最大外形（約６０．３ｍｍ（２  ３／８インチ））とほぼ等しくてもよく、第２側壁７０３ｂの全体高さは、Ａ１９白熱電球の高さ−約８８．９ｍｍ（３  １／２インチ）の最大高さとほぼ等しくてもよい。更に、１つ以上の追加の側壁（図示せず）は、バルブ７１０に固定されてもよく、１つ以上の追加の側壁は、任意の適した寸法、形状、又は相対配向を有してもよい。
【００５０】
側壁７０３の形状における差以外で、図２０の電球アセンブリ７０２は、図３に示されている電球アセンブリ７０２の実施形態と実質的に同一であってもよく、図２０の電球アセンブリ７０２は、上記の実施形態の好適な特徴又は機能のいずれか、又は全てを含んでもよい。例えば、第１側壁７０３ａの外面７２０ａは、第１の色で照明することができ、第２側壁７０３ｂの外面７２０ｂは第２の色で照明することができる。更に、側壁７０３ａ、７０３ｂのいずれか又は全ては、任意の好適な形状を有する１つ以上の窓部７２６を有してもよい。更なる実施例として、反射面７２０は、第２側壁７０３ｂの内部の中に配置されてもよく、第２側壁７０３ｂの内面７１４ｂは、デバイス７００の上の位置で焦点照明を提供するよう照明してもよい。第２側壁７０３ｂの内面７１４ｂが照明している間、第１側壁７０３ａの外面７２０ａは照明され、調光されてもよい。
【００５１】
図２３に示される更なる実施形態では、軸部７４４は電球ベース７１０から上方に延びてもよく、軸部７４４は、電球ベース７１０の少なくとも一部と共に一体型部分として形成されてもよく、又は電球ベース７１０に固定されてもよい。複数のロッド７４６は、円筒形の側壁５０３を支持するように軸部７４４から変形方向に延びてもよく、電球の軸部７１０を側壁７０３に結合する電気接続子は、軸部７４４の内部内、及び少なくとも１つのロッド内に延びてもよい。単一の円筒形の側壁７０３の代わりに、側壁５０３は、任意の形状、及び図２０に示されているように使用され得る２つ以上の側壁５０３を有してもよい。上記の機能性及び特徴はまた、図２３に示されている電球アセンブリ７０２内に組み込まれてもよい。更に、図２４に示されるように、ヒンジ７４８は、電球ベース７１０に隣接して軸部７４４の長さに沿って配置されてもよく、これによって軸部７４４の下部は、軸部７４４の上部に対して旋回してもよい。
【００５２】
更なる実施形態では、側壁７０３は、実質的に円筒形状から実質的に切頭円錐形状に変形してもよく、又は逆もまた同様である。例えば、図２５Ａ及び２５Ｂに示されている実施形態では、半円筒形の第１側壁７０３ａは、第１側壁７０３ａ及び第２側壁７０３ｂが実質的に円筒形状を有するように、一対の逆方向に配置されたヒンジ７５０の周囲で半円筒形の第２側壁７０３ｂに結合される。ヒンジ７５０は、第１側壁７０３ａ及び第２側壁７０３ｂを円筒形の側壁部分７０３ｃに固定し、第１側壁７０３ａ及び第２側壁７０３ｂの内径は、円筒形の側壁部分７０３ｃの外形よりもわずかに大きくてもよい。そのように構成されて、第１側壁７０３ａ及び第２側壁７０３ｂのそれぞれは、第１側壁７０３ａ及び第２側壁７０３ｂが実質的に切頭台形の形状を有するように、ヒンジ７５０を中心として旋回する。ヒンジ７５０は、所望の位置で摩擦が第１側壁７０３ａ及び第２側壁７０３ｂを維持するように、第１側壁７０３ａ及び第２側壁７０３ｂ、並びに円筒形部分７０３ｃ周囲で密接に固定される。このヒンジは、第１側壁７０３ａと第２側壁７０３ｂとの間の１つ以上の電気接続を形成してもよい。
【００５３】
更に図２５Ａ及び２５Ｂを参照して、第１側壁７０３ａ及び第２側壁７０３ｂは、当該技術分野において既知の任意の手法で、所望の位置に旋回されてもよい。例えば、第１側壁７０３ａ及び第２側壁７０３ｂは所望の位置まで手動で旋回されてもよい。あるいは、電球ベース７１０（又は、電球ベース７１０及びベースアセンブリ７３５が単一ユニットである場合はベースアセンブリ７３５）と、第１側壁７０３ａ及び第２側壁７０３ｂとの間の機械的結合によって、第１側壁７０３ａ及び第２側壁７０３ｂを所望の位置に旋回してもよい。例えば、回転するカラー（図示せず）は、電球基部７１０に対するカラーの回転が、カラーの軸方向の変位となるように、電球基部７１０にねじ方式で結合されてもよい。とりわけ、第１側壁７０３ａ及び第２側壁７０３ｂのそれぞれは、ヒンジ７５０の間のある位置でカラーに固定されてもよく、電球基部７１０に対するカラーの回転は、カラーに固定された第１側壁７０３ａ及び第２側壁７０３ｂの点を、上方に又は下方に変位させ、これによって第１側壁７０３ａ及び第２側壁７０３ｂを所望の位置まで枢動させる。カラーは互いに回転されてもよく、又は電球基部７１０内で、又はこの外に配置されたモーターによって回転されもよい。モーターは、スイッチ、タイマー、光センサ、音声コマンド、又は始動されてもよい。
【００５４】
第１側壁７０３ａ及び第２側壁７０３ｂが上記で説明されているが、任意の数又は形状の側壁が使用されてもよい。例えば、図２６に示されている実施形態では、第１側壁７０３ａ、第２側壁７０３ｂ、及び第３側壁７０３ｃが使用されてもよい。更に、第１側壁７０３ａ及び第２側壁７０３ｂ（又は任意の追加の側壁）を実質的に円筒形状から、実質的に切頭台形の形状まで移動するための任意の手段が、デバイス５００に組み込まれてもよい。例えば、細長いハンドル（図示せず）は、側壁７０３の内部を通じて延びてもよく、剛性ロッド（図示せず）は、ハンドルが軸方向に変位したとき（手動により又は他の手段により）、ロッドが側壁を所望の位置まで押す、又は引くように、ハンドル及び各側壁に枢動可能に固定されてもよい。中央の軸方向軸部から半径方向に延びて側壁７０３を摺動する、入れ子のアクチュエータもまた、例えば電球基部７１０に対して側壁７０３を枢動するレバーとして企図される。
【００５５】
図２７Ａ及び２７Ｂに示される実施形態では、照明要素７５２は、細長い軸部７５４の遠位端に配置される。照明要素７５２は実質的に平坦であってもよく、並びにディスクの全体的な形状を有してもよい。例えば、ディスクは、従来のくぼみとして形成される照明キャニスターの標準的な直径よりも大きい直径を有してもよい。すなわち、くぼみとして形成される照明キャニスターが１２７ｍｍ（５インチ）の直径を有する場合、照明要素７５２は１７７．８ｍｍ（７インチ）の直径を有してもよい。いくつかの実施形態では、照明要素は約３ｃｍ〜約５０ｃｍの、あるいは約５ｃｍ〜約４０ｃｍの、あるいは約１０ｃｍ〜約３０ｃｍの、あるいは約１５ｃｍ〜約３０ｃｍの、あるいは約１５ｃｍ〜５０ｃｍの、あるいは約１５ｃｍ〜２５ｃｍの、あるいは約２０ｃｍ〜４０ｃｍの、あるいは約２０ｃｍ〜５０ｃｍの、あるいは約２５ｃｍ〜５０ｃｍの直径（すなわち最大寸法）を有してもよい。照明要素２つの照明面を有してもよい。照明面は概ね平坦であってもよく、凸状、凹状、又は平坦、凸状、及び凹状のいくつかの組み合わせであってもよい。照明面のそれぞれは、他方と同様な又は同じ表面積を有してもよい。ぐあ定期には、各照明面は、約７ｃｍ2〜約２０００ｃｍ2の、あるいは約２０ｃｍ2〜約１３００ｃｍ2の、あるいは約７５ｃｍ2〜約７００ｃｍ2の、あるいは約１７５ｃｍ2〜約７００ｃｍ2の、あるいは約１７５ｃｍ2〜約２０００ｃｍ2の、あるいは約１７５ｃｍ2〜約５００ｃｍ2の、あるいは約３００ｃｍ2〜約１３００ｃｍ2の、あるいは約３００ｃｍ2〜約２０００ｃｍ2の、あるいは約５００ｃｍ2〜２０００ｃｍ2の表面積を有してもよい。しかしながら、照明要素７５２は、寸法、形状、又は所望の用途に好適な形状の組み合わせを有してもよい。例えば、ディスクの代わりに照明要素７５２は、正方形の形状を有してもよい。照明要素７５２は、上部７５６、底部７５８、及び周方向の側部７６０を有してもよく、これらの面のいずれかは照明することができる。
【００５６】
更に図２７Ａ及び２７Ｂを参照すると、軸部７５４は、電球ベース７１０から延びてもよく、電球ベース７１０はベースアセンブリ７３５と一体形成されてよい。軸部７５４は、電球基部７１０から延びる第１軸部分７６２ａを含み、第２軸部分７６２ｂは第１軸部分７６２ａから延びる。より具体的に、第２軸部分７６２ｂは、軸部７５４の全体的な軸方向長さが調整可能であるように、第１軸部分７６２ａから入れ子状態で延びることができる。例えば、軸部７５４の最大の全体的な軸方向長さは、従来のくぼみとして形成される照明キャニスターの深さよりも大きくてもよい。例えば、くぼみとして形成される照明キャニスターは、約７ｃｍ〜約８ｃｍの深さを有してもよく、軸部は、約７ｃｍ〜約３０ｃｍの軸方向長さを有してもよく、あるいは、くぼみとして形成される照明キャニスターは約１０ｃｍの深さを有してもよく、軸部は約１０ｃｍ〜約３５ｃｍの軸方向長さを有してもよく、あるいは、くぼみとして形成される照明キャニスターは、約１２ｃｍ〜約１３ｃｍの深さを有してもよく、軸部は約１２ｃｍ〜約４０ｃｍ、あるいはくぼみとして形成される照明キャニスターは約１５ｃｍの軸方向長さを有してもよく、軸部は約１５ｃｍ〜約４５ｃｍの軸方向長さを有してもよい。いずれにせよ、軸部は固定式又は伸縮式であろうとなかろうと、約５ｃｍ〜約１００ｃｍの、あるいは約５ｃｍ〜約５０ｃｍの、あるいは約５ｃｍ〜約４０ｃｍの、あるいは約５ｃｍ〜約７５ｃｍの、あるいは約１５ｃｍ〜約１００ｃｍの、あるいは約１５ｃｍ〜約７５ｃｍの、あるいは約１５ｃｍ〜約５０ｃｍの、あるいは約１５ｃｍ〜約３５ｃｍの、あるいは約２５ｃｍ〜約１００ｃｍの、あるいは約２５ｃｍ〜５０ｃｍの、あるいは約２５ｃｍ〜約４０ｃｍの全長を有してもよい。更に、第２軸部分７６２ｂは第１軸部分７６２ａに対して回転してもよい。この相対回転（又は長さ調整）は、照明要素７５２の上部７５６、底部７５８、又は側部７６０の照明を調光若しくは増光し、並びに７５６、７５８、７６０の任意の部分を照明する又は消灯するような、デバイスの機能を起動させる、又は調整することができる。一実施形態では、第１軸部分は第２軸部分に対して３６０度と同程度に、あるいは３３０度と同程度に、あるいは３００度と同程度に、あるいは２７０度と同程度に、あるいは２４０度と同程度に、あるいは２１０度と同程度に、あるいは１８０度と同程度に、あるいは１５０度と同程度に、あるいは１２０度と同程度に、あるいは９０度と同程度に、あるいは６０度と同程度に、あるいは３０度と同程度に回転することができる。しかしながら、軸部７５４はいずれの機能を有さずに剛性であってもよい。ヒンジ７６４は、照明要素７５２を第２軸部分７６２ｂに結合してもよく、これによって照明要素７５２が軸部７５４に対して枢動できるようにする。しかしながら、照明要素７５２は、第２軸部分７６２ｂに堅く固定されてもよく、ヒンジは軸部７５４に沿って、任意の望ましい位置で配置されてもよい。あるいは、いずれのヒンジも含まれなくてもよく、照明要素７５２は軸部７５４に対して非枢動可能であってもよい。操作において、ベースアセンブリ７３５はくぼみとして形成される照明キャビティ内のソケットに挿入されてもよく、照明要素７５２は、照明された底部７５８が、例えば所望の領域に方向付けられた照明を提供するように回転されてもよい。
【００５７】
図７５Ａ及び７５Ｂに示されている実施形態では、照明要素７５２は、照明要素７５２の上部７５６から底部７５８まで延びる複数のスロット８７４を含んでもよい。スロット８７４は任意の所望の位置で配置されてもよい。例えば、図７５Ａ及び７５Ｂに示されているように、スロットは、ディスク形状の照明要素７５２の中心付近に同心円状に配置されてもよい。同心スロットの端部は、ディスクの中央の横断部分８７６まで延びてもよく、ディスクの横断部分８７６はディスクの中心を通過する軸８７８に沿って延びてもよい。複数の同心スロット８７６は、複数の円弧形状の置換可能部分８８０を画定し、置換可能部分８８０は、置換可能部分８８０と横断部分８７６の接点で枢動されてもよい。このため、図７５Ａに示されている第１構成では、置換可能部分８８０は実質的に同一平面上であってもよい。しかしながら、１つ以上の置換可能部分８０は、横断部分８７６に対して枢動されてもよい。より具体的に、図７５Ｂで示されているように、横断部分８７６を通過する面に対して、第１の置換可能部分８８０の上面を通過する面が、第１の角度（例えば０度から９０度の間）で配置されてもよく、第２置換部分８８０の上面を通過する面は、横断部分８７６を通過する面に対して第２角度（例えば０度から９０度の間）で配置されてもよい。照明要素７５２は、中央の横断部分に対して配置されたと、置換可能部分が所望の位置に留まるのを可能にする記憶材料を含んでもよい。
【００５８】
図７６Ａ及び７６Ｂに示されている代替の実施形態では、ディスク形状の証明要素７５２は、照明要素７５２の中心付近に配置される、らせん状のパターンを形成する単一スロット８７４を有してもよい。そのように構成されると、電球アセンブリ７０２は、図７６Ｂに示されているように軸部７５４が上方に延びるように配置され、照明要素７５２を含む材料の重量は、照明要素７５２が軸部７５４に巻き付くように、照明要素７５２を軸部７５４を中心に下方に変位させる。あるいは、電球アセンブリ７０２は、図７６Ａに示されているように軸部７５４が下方に延びるように（ベースアセンブリ７３５が埋め込み型照明用レセプタクルに配置されるときなど）配置され、照明要素７５２を含む材料の重量は、照明要素７５２を軸部７５４から下方に変位させる。
【００５９】
図７７Ａ及び７７Ｂに示されている更なる代替の実施形態では、水平ロッド８８２は、電球アセンブリ７０２の軸部７５４の遠位端に結合されてもよい。複数の円弧状の照明要素７５２は、ロッド８８２に回転可能に結合されてもよい。より具体的に、各照明要素７５２の第１端部は、ロッド８８２の第１端部に回転可能に接続されてもよく、照明要素７５２の第２端部は、ロッド８８２の第２端部に回転可能に接続されてもよい。そのように構成されると、円弧状の照明要素７５２のいずれか又は全ては、ロッド８８２を中心として所望の位置まで回転されてもよい。更に、円弧状の照明要素７５２のそれぞれは、図７７Ｂに示されるように、入れ子になった位置で照明要素７５２が維持されるのを可能するように配置され、そのような寸法にされてもよい。
【００６０】
更なる実施形態では、照明デバイス７００は電球アセンブリ７０２を含み、この電球アセンブリ７０２の照明要素（１つ又は複数）は、１つ以上の可撓性照明ストリップアセンブリ８８４であってよい。例えば、図７８に示される電球アセンブリ７０２の実施形態では、電球アセンブリ７０２は、第１照明ストリップアセンブリ８８４ａ及び第２照明ストリップアセンブリ８８４ｂを含んでもよい。各照明ストリップアセンブリ８８４ａ、８８４ｂは、これまで説明した可撓性照明材料を含む照明ストリップ８８６を含んでもよい。
【００６１】
それぞれの照明ストリップアセンブリ８８４ａ、８８４ｂの照明スチリップ８８６は、望まれる用途に好適な任意の形状を有することができる。例えば、図７８及び７９で示されているように、第１照明ストリップ８８６ａ及び第２照明ストリップ８８６ｂはそれぞれ細長いリボン樣形状を有してもよい。より具体的には、第１照明ストリップ及び第２照明ストリップ８８６ｂは、線状の第１の長手方向縁部８８８、及び第１の長手方向縁部８８８に平行であり、これからオフセットされている線状の第２の長手方向縁部８９０によって部分的に画定されてもよい。横断距離（すなわち、各照明ストリップ８８６の長手方向軸に垂直な距離、すなわち幅）は適切な値を有することができる。例えば、横断距離はおよそ約５０ｍｍ〜約５ｍｍ、あるいは４０ｍｍ〜約１０ｍｍ、あるいは３０ｍｍ〜約１０ｍｍ、あるいは２５ｍｍ〜約５ｍｍ、あるいは約２０ｍｍ〜約１０ｍｍの第１幅の範囲内、あるいはこれらの組み合わせのであってもよい。より具体的には、この距離は約２０ｍｍであってもよい。あるいは、横断距離は、約１０ｍｍ〜約３ｍｍの第２幅の範囲内であってもよい。追加の代替として、横断距離は約５０ｍｍ〜約２５ｍｍの第２幅の範囲内で範囲内であってもよい。更なる実施形態では、第１長手方向縁部８８８及び第２長手方向縁部８９０は非線状（又は線状であるが、非平行）であってもよく、縁部８８８、８９０は収束してもよく、又は分岐してもよく、部分的に湾曲してもよく、縁部の１つ以上の部分に対して角度が付けられてもよい。湾曲した縁部、又は例えば鋸歯状縁部を有する実施形態の横断距離は、その湾曲した又は鋸歯状縁部８８８、８９０を二等分（又は実質的に二等分）する基準線の間の距離であるということを当業者は理解するであろう。更なる実施形態では、各照明ストリップ８８４の横断距離は事前に確立されてもよく、又はユーザーによって決定されてもよい。より具体的には、個々の照明ストリップ８８４は、マスターシートから取り除かれてもよく、マスターシートは長手方向に穿孔されて、各照明ストリップ８８４の所望の幅をユーザーが選択できるようにしてもよい。
【００６２】
照明ストリップアセンブリ８８４の細長い照明ストリップ８８６は、第１端部８９２、及びこの第１端部８９２と反対側の第２端部８９４を有してもよい。いくつかの実施形態では、照明ストリップアセンブリは、第１端部８９２及び第２端部８９４のそれぞれで露出した導電性層を有してもよい。他の実施形態において、照明ストリップアセンブリ８８４は、第１端部８９２及び第２端部８９４の一方又は両方で配置され得る、又はこれらに隣接されて配置され得るコネクタアセンブリ８９６を更に含んでもよい。第１長手方向縁部８８８及び第２長手方向縁部８９０はそれぞれ、照明ストリップ８８４の第１端部８９２から第２端部８９４まで延びてもよい。コネクタアセンブリ８９６はベース分８９８を含んでもよく、ベース分８９８は、細長くてもよく、並びに照明ストリップの長手方向軸に実質的に垂直に配置されてもよい。ベース分８９８は、当該技術分野において既知の任意の方法によって、例えば、例えば照明ストリップ８８６の第１部分８９２及び／又は第２部分８９４の周囲での複数部のベース分の機械的結合によって、締まり嵌めによって、超音波溶接によって、又はスナップ嵌めによって、照明ストリップ８８６の第１端部８９２及び／又は第２端部８９４に固定されてもよい。コネクタアセンブリ８９６は、製造時において、照明ストリップ８８４に接続されてもよく、又は各照明ストリップ８８４の幅がユーザーによって決定され得る場合には、ユーザーによって端部８９２、８９４に固定されてもよい。
【００６３】
コネクタアセンブリ８９６は、照明ストリップ８８６を電源に電気的に連結するよう適合された１つ以上のコンタクト要素９００も含んでもよく、コンタクト要素９００は、照明ストリップ８８６を電源に電気的に連結することができる任意の部品又は部品の任意のアセンブリを含んでもよい各コンタクト要素９００は、ベース分８９８によって照明ストリップ８８６に連結されてもよい。例えば、ベース分８９８は、照明ストリップ８８６の第１端部８９２及び／又第２端部８９４に固定されてもよく、１つ以上のコンタクト要素９００は、１つ以上のコンタクト要素９００が照明ストリップ８８６に電気的に連結されるように、ベース分８９８に連結されてもよい（又はこれによって保持されてもよい）。代替の実施形態では、１つ以上のコンタクト要素９００は、照明ストリップ８８６の第１端部８９２及び／又は第２端部８９４に直接連結されてもよい。図７９及び８０に示されるように、コネクタアセンブリ８９６は、単一のコンタクト要素９００を含み、コンタクト要素９００は、細長いプレート９０１の形状をとってもよい。代替の実施形態では、各コンタクト要素９００は１つ以上の円筒形プラグを含んでもよい。細長いプレート９０１（又はコンタクト要素９００の任意の実施形態）は、ベースアセンブリ７３５の対応するスロット９０２内（ベースアセンブリ７３５の上部７３５）に受容されるような寸法であってもよい。１つ以上のコンタクト要素９００は、ベースアセンブリ７３５の上部７３５ａに取り外し可能に連結されてもよい。例えば、１つ以上のスロット９０２は、ベースアセンブリ７３５の上部７３５ａに形成されてもよく、より具体的には、１つ以上のスロット９０２はベースアセンブリ７３５の上部７３５ａの上面９０５内に、又はこの上に形成されてもよい。しかしながら、１つ以上のスロットは、ベースアセンブリ７３５の任意の望ましい位置の上に、例えば、ベースアセンブリ７３５の上部７３５ａの外側円筒形面上に形成されてもよい。１つ以上のコンタクト要素９００は、１つ以上のスロット９０２内に取り外し可能に受容されるように適合されてもよい１つ以上のコンタクト９０４、例えば、バネ接点は、スロット９０２内に配置されてもよく、１つ以上のコンタクト９０４は、細長いプレート９０１がスロット９０２内に配置されたとき、細長いプレート９０１と物理的接触を維持するよう適合されてもよい。スロット９０２内に配置された１つ以上のコンタクト９０４は、電源と電気的に連結されて、照明ストリップ８８６に電力を供給する。細長いプレート９０１は凹状機構（図示せず）を有してもよく、これは、コネクタおアセンブリ８９６がスロット９０２内に正しく挿入されたときに、スロット９０２内のコンタクト９０４が、凹状機構と係合するように、細長いプレート上に配置されてもよい。コネクタアセンブリ８９６及び／又はベースアセンブリ７３５は、１つ以上のコンタクト要素が、スロット９０２内のコンタクト９０４に対して正しい向きで確実にスロット９０２に挿入される（例えば、スロット及び細長いプレート内のコンタクト間で正しい極性を維持するために）ようにする１つ以上の機構（図示せず）を含んでもよい。更に、コネクタアセンブリ８９６及び／又はベースアセンブリ７３５は、ベースアセンブリ７３５のスロット９０２から意図せずして外されるのを防ぐ、１つ以上の機構を提供する１つ以上の機構（図示せず）を含んでもよい。
【００６４】
これまで説明してきたように、１つ以上の照明ストリップアセンブリ８８４の照明ストリップ８８６のそれぞれは可撓性であってもよく、照明ストリップアセンブリ８８４のそれぞれの一方若しくは両方の端部に配置されたコネクタアセンブリ８９６は、ベースアセンブリ７３５に取り外し可能に連結されてもよい。結果として、電球アセンブリ７０２の構成をカスタマイズすることができる。例えば、複数のスロット９０２はベースアセンブリ７３５に提供されてもよく、ユーザーは、第１照明ストリップアセンブリ８８４ａの第１コンタクト要素９００を、所望の第１スロット９０２内へ、及び第１の照明ストリップアセンブリ８８４ａの第２コンタクト要素９００を所望の第２スロット９０２内へ挿入することができる。ユーザーは、第２照明ストリップアセンブリ８８４ｂの第１コンタクト要素９００を、第３の所望のスロット９０２内へ、及び第２の照明ストリップアセンブリ８８４ｂの第２コンタクト要素９００を第４の所望のスロット９０２内へ挿入することができる。必要に応じて、ユーザーは次いで、第１照明ストリップアセンブリ８８４ａの第１コンタクト要素９００を、第１スロット９０２から取り外し、第１の照明ストリップアセンブリ８８４ａの第１コンタクト要素９００を、例えば第５スロット９０２内へ挿入することができる。複数のスロット９０２が設けられていることによって、ユーザーは、ベースアセンブリ７３５に対して１つ以上の照明ストリップアセンブリ８８４の構成又は位置を構成することができ、これによってユーザーは審美的に心地良く、個別の照明構成を作ることを可能にする。照明ストリップアセンブリ８８４は、任意の数の形状（例えば曲線的な形状若しくは１つ以上の鋭利な縁部など）に形成されてもよい。
【００６５】
照明ストリップ又はストリップ８８６は任意の好適な長さを有してもよい。例えば、図７８で示されているように、第１照明ストリップ８８６ａは第１長さを有してもよく、第２照明ストリップ８８６ｂは、第１長さ未満の第２長さを有してもよい。いくつかの実施形態では、照明ストリップ又はストリップ８８６は、約２０ｃｍの、あるいは約１５ｃｍの、あるいは約１０ｃｍの、あるいは約２５ｃｍの、あるいは約３０ｃｍの長さを有してもよい。同様に、２つ以上の照明ストリップ８８６を使用する実施形態では、照明ストリップ８８６は、約１ｃｍ単位で、あるいは約２ｃｍ単位で、あるいは約３ｃｍ単位で、あるいは約４ｃｍ単位で、あるいは約５ｃｍ単位で、あるいは約６ｃｍ単位で、あるいは約７ｃｍ単位で長さが変更してもよい。いくつかの実施形態では、任意の２つのストリップの長さの比は、約１：１〜約１：２、あるいは約１：１〜１：１．５、あるいは約１：１〜１：３、あるいは約１：１〜１：４、あるいは約１：１及び１：５であろう。図示されていないが、変動する寸法の３つ、４つ、５つ、又はそれ以上のストリップが存在してもよい。第２の照明ストリップアセンブリ８８４ｂの第１及び第２コンタクト要素９００は、正面から見たときに照明ストリップ８８６ｂが曲線的なアーチ（又はループ）の形状を有するように、ベースアセンブリ７３５内に形成された第１対のスロット９０２に挿入されてもよい。より具体的には、照明ストリップ８８６ｂは、従来の電球の断面の一般的な形状を有してもよい（例えばＡ１９白熱電球など）。更に、第１の照明ストリップアセンブリ８８６ａの第１及び第２コンタクト要素９００は、第１対のスロット９０２に直交して配置された第２対のスロット９０２内に挿入されてもよく、第１の照明ストリップアセンブリ８８４ａの照明ストリップ８８６ａは、照明から見たときに、曲線的なアーチ（又はループ）の形状をとってもよい。第２照明ストリップ８８６ｂと同様に、第１照明ストリップ８８６ａは、従来の電球の断面の一般的な形状を有してもよい（例えばＡ１９白熱電球など）。第１の照明ストリップアセンブリ８８４ａは、第２の照明ストリップアセンブリ８８４ｂよりも大きな長さを有しているため、第２照明ストリップ８８６ｂの上部の曲線的な部分は、第１照明ストリップ８８６ｂの上部の曲線的な部分の下に配置される。第１の照明ストリップアセンブリ８８４ａは、第２の照明ストリップアセンブリ８８４ｂに直交して配置されるため、第１の照明ストリップアセンブリ８８４ａ及び第２の照明ストリップアセンブリ８８４ｂの全体的な形状は、定型化した従来の電球の形状に似ている。
【００６６】
第１長さを有する第１照明ストリップ８８６ａ及び第２長さを有する第２照明ストリップ８８６ｂの代わりに、単一の照明ストリップアセンブリ８８４が、図８４Ａ及び８４Ｂに示されているように、ベースアセンブリ７３５に結合されてもよい。単一の照明ストリップアセンブリ８８４は、照明ストリップ８８６の第１端部８９２及び第２端部８９４に隣接して配置されたコネクタアセンブリ８９６を有してもよく、コネクタアセンブリ８９６は、上記の方法でベースアセンブリ７３５内に形成された適切なスロット９０２内に受容されてもよい。照明ストリップアセンブリ８８４の照明ストリップ８８６は、正面から見たときに、曲線的なアーチ（又はループ）の形状をとってもよく、照明ストリップ８８６は、従来の電球の断面の一般的な形状を有してもよい（例えばＡ１９白熱電球など）。このため、照明ストリップアセンブリ８８４の寸法は、従来の電球（Ａ１９白熱電球など）の断面寸法に一致してもよい。具体的な実施例として、曲線的なアーチ（又はループ）の高さは、Ａ１９白熱電球の高さに一致してもよく、係る高さは約８８．９ｍｍ（３  １／２インチ）であり得る。高さは例えば、アーチ（又はループ）とベースアセンブリ７３５の水平又は実質的に水平の上面との間の垂直距離として定義されてもよい。しかしながら、高さは、アーチ（又はループ）の最上部分と、ベースアセンブリ７３５の上面の任意の好適な部分（例えば、ベースアセンブリ７３５の上面に形成された１つ以上のスロット９０２を部分的に画定する縁部）との間の距離である。更なる実施例として、曲線的なアーチ（又はループ）の最大外形は、Ａ１９白熱電球の最大外形に一致してもよく、かかる外形は約６０．３ｍｍ（２  ３／８インチ）であってもよい。
【００６７】
従来の電球（Ａ１９白熱電球など）のものと一致する高さ及び最大外形の代わりに、曲線的なアーチ（又はループ）の高さ及び最外外形値は任意の好適な値を有してもよい。例えば、曲線的なアーチ（又はループ）の高さは、図８５Ａ及び８５Ｂに示されるように、Ａ１９白熱電球の高さ未満（又はこれを大きく下回る）であってもよい。より具体的に、高さは、約１ｃｍ〜約２０ｃｍ、あるいは、約１ｃｍ〜約１５ｃｍ、あるいは約１ｃｍ〜約１０ｃｍ、あるいは約３ｃｍ〜約２０ｃｍ、あるいは約３ｃｍ〜約１５ｃｍ、あるいは約３ｃｍ〜約１０ｃｍ、あるいは約５ｃｍ〜約２０ｃｍ、あるいは約５ｃｍ〜約１５ｃｍ、あるいは約５ｃｍ〜約１０ｃｍであってもよい。同様に、また図８５Ａ及び８５Ｂに示されるように、曲線的なアーチ（又はループ）の最大幅は、Ａ１９白熱電球の最大幅未満であってもよく、最外幅は、例えばＡ１９白熱電球の全体的な部分を維持してもよく、又は維持しなくてもよい。とりわけ、いくつかの実施形態では、曲線状のアーチの最大幅（例えば照明ストリップ８８６によって形成されるループにおいて）は約２ｃｍ〜約２０ｃｍ、あるいは約２ｃｍ〜約１５ｃｍ、あるいは約２ｃｍ〜１０ｃｍ、あるいは約２ｃｍ〜５ｃｍ、あるいは約４ｃｍ〜約２０ｃｍ、あるいは約４ｃｍ〜約１５ｃｍ、あるいは約４ｃｍ〜約１０ｃｍであってもよい。このため、曲線的なアーチ（又はループ）の高さが３８．１ｍｍ（１．５”）である場合、最大バアは約２５．４ｍｍ（１”）となる。すなわち、ループ及び／又はアーチに形成されたときに、照明ストリップ８８６の幅と高さの比率は、約１：１〜約１：３、あるいは約１：１〜約１：２、あるいは約１：１〜約３：４であってもよい。
【００６８】
更なる実施形態では、曲線的なアーチ（又はループ）の高さは、図８６Ａ及び８６Ｂに示されるように、Ａ１９白熱電球の高さ超（又は有意にこれよりも高い）であってもよい。より具体的には、高さは例えば約１２７ｍｍ（５インチ）、１５２．４ｍｍ（６”）、又は１７７．８ｍｍ（７”）であってもよい。同様に、図８６Ａ及び８６Ｂに示されているように、曲線的なアーチ（又はループ）の最大幅は、Ａ１９白熱電球の最大幅よりも著しく大きくてもよく、最外幅は、例えば白熱電球Ａ１９の全体的な部分を維持してもよい。このため、曲線的なアーチ（又はループ）の高さは１７７．８ｍｍ（７”）、最大幅は約１２０．６ｍｍ（４．７５”）である。
【００６９】
更なる実施形態では、第１照明ストリップ８８６ａは第１長さを有してもよく、第２照明ストリップ８８６ｂは、図７８を参照して説明したように、第１長さ未満の第２長さを有してもよい。しかしながら、図８７Ａ及び８７Ｂに示されるように、第１照明ストリップ８８６ａの曲線的なアーチ（又はループ）の高さは、Ａ１９白熱電球の高さ超（又は有意にこれよりも大きい）であってもよく、第２照明ストリップ８８６ｂの曲線的なアーチ（又はループ）の高さは第１照明ストリップ８８６ａの曲線的なアーチ（又はループ）の高さよりも有意に小さくてもよい。例えば、第２照明ストリップ８８６ｂの曲線的なアーチ（又はループ）の高さは、Ａ１９白熱電球の曲線的なアーチ（又はループ）の高さと等しいか、又はこれよりも有意に小さくてもよい。例えば、第１照明ストリップ８８６ａの曲線的なアーチ（又はループ）の高さは、例えば約１７７．８ｍｍ（７”）であってもよく、第２照明ストリップ８８６ｂの曲線的なアーチ（又はループ）の高さは約２５．４ｍｍ（１”）であってもよい。あるいは、第２照明ストリップ８８６ｂの曲線的なアーチ（又はループ）の高さは、第１照明ストリップ８８６ａの曲線的なアーチ（又はループ）の高さよりもわずかに小さくてもよい。更なる実施形態では、第１照明ストリップ８８６ａの曲線的なアーチ（又はループ）の高さ及び第２照明ストリップ８８６ｂの曲線的なアーチ（又はループ）の高さの両方は、Ａ１９白熱電球の高さよりもわずかに小さくてもよい。様々な寸法及び様々な相互の向きを有する任意の数の追加の照明ストリップアセンブリ８８４は、ベースアセンブリ７３５に結合されて、従来の電球（例えばＡ１９白熱電球）の形状に匹敵するように、ベースアセンブリ７３５に結合されてもよいということを当業者は理解するであろう。
【００７０】
これまで説明された（又は以下に説明される）実施形態のいずれかにおいて、照明ストリップ８８６のそれぞれの幅は様々であってもよい。例えば、図８７Ａ及び８７Ｂに示される実施形態では、第１照明ストリップ８８６ａ及び第２照明ストリップ８８６ｂは、横断距離の第１幅内の横断幅（すなわち、各照明ストリップ８８６の長手方向軸に垂直な距離、すなわち幅）を有してもよく、両方の横断幅は等しくてもよい。しかしながら、第１照明ストリップ８８６ａ及び第２照明ストリップ８８６ｂは、異なる横断幅を有してもよく、横断幅のそれぞれは、上記のように第１範囲、第２範囲、及び第３範囲から選択されてもよい。更に、２つを超える照明ストリップ８８６が使用される場合、照明ストリップ８８６のいずれかの横断幅は、第１範囲、第２範囲、及び第３範囲から選択されてもよい。例えば、１０の照明ストリップ８８６は、ベースアセンブリ７３５に結合され（又はベースアセンブリ７３５に結合することができる）に結合され、全ての１０の照明ストリップ８８６は、等しい横断距離を有してもよく、横断距離は第２範囲内であってもよい。照明ストリップの全ての長さが等しくてもよく、照明ストリップのいずれか又は全ての流さは変化してもよいということを当業者は理解するであろう。
【００７１】
上述のように、照明ストリップアセンブリ８８４の照明ストリップ８８６は可撓性であってもよい。より具体的には、照明ストリップ８８６は、材料を製造するために使用される材料に従う任意の好適な曲げ弾性率を有してもよい。更に、材料の曲げ弾性率に関わらず、材料は、構造体の電気的及び／又は物理的一体性を損なうことなく（例えば、材料の層を剪断させる、電気構成要素を短絡させることなく、等）、それが曲げられ得る最小半径を有してもよい。本明細書で使用するとき、この最小半径は、「最小曲げ半径」と呼ばれる。最小曲げ半径及び曲げ弾性率は、使用される基板材料及び材料の望ましい可撓性によって、特定の用途に従って変化してもよい。例えば、第１基板材料を使用する照明ストリップ８８６は、４ｍｍ〜２５ｍｍの曲げ半径を有してもよく、一方で、第２基板材料を使用するディスクの形態の照明要素７８２は、著しく大きい約１００ｍｍ〜２００ｍｍ又はそれ以上の最小曲げを有してもよい。したがって、いくつかの実施形態では、照明ストリップ８８６は、約１０ｍｍ〜約２０ｃｍ、あるいは約１０ｍｍ〜約１０ｃｍ、あるいは約１０ｍｍ〜約５ｃｍ、あるいは約３ｃｍ〜約５ｃｍ、あるいは約３ｃｍ〜約１０ｃｍ、あるいは約３ｃｍ〜約２０ｃｍの最小曲げ半径を有する。あるいは、シート７８８は、例えば約１５ｃｍの、より大きな曲げ半径を有して、比較的剛性であってもよい。２つ以上の照明ストリップアセンブリ８８４がある用途に使用される場合、当業者は、照明ストリップ８８６の全ての最小曲げ半径は等しくてもよく、又は照明ストリップ８８６の任意若しくは全ての最小曲げ半径は変化してもよいということを理解するであろう。
【００７２】
照明ストリップ８８６の可撓性によると、第１コネクタアセンブリ８９６は、第２コネクタアセンブリ８９６に対して回転されて照明ストリップを巻きつけることができる。例えば、図８１に示されているように、単一照明ストリップアセンブリの第１及び第２コンタクト要素９００は、１４５度〜４５度の角度で配置されてもよく、あるいは１００度〜４５度、あるいは１００度〜１４５度、あるいは８０度〜１００度、あるいは約９０度の角度で配置されるスロット９０２内に挿入されて、ベースアセンブリ７３５から延びる細長いアーチを作ることができる。あるいは、図８２Ａ、８２Ｂに示されているように、単一の照明ストリップアセンブリ８８４の照明ストリップ８８６は巻き付けられて複数のループを形成することができる。更に、図８３Ａ、８３Ｂに示されるように、２つ以上の照明ストリップアセンブリ８８４の照明ストリップ８８６は巻き付けられて所望の構成を形成することができる。
【００７３】
照明ストリップアセンブリ８８４の照明ストリップ８８６のそれぞれは、任意の所望の方法で照明することができる。例えば、照明ストリップ８８６のいずれか又は全ての全体の前側面は、照明することができる。あるいは、全面の一部は照明することができる。他の実施形態において、前側面の部分は、選択的な照明をすることができ、これによって、照明ストリップ８８６の前側面全体が、照明されてもよい、又は照明ストリップの前側面の一部のみが照明されてもよい。同様に、任意の又は全ての照明ストリップ８８６の後側面全体は、照明することができる。あるいは、後側面の一部のみが、照明することができ、後側面の部分は選択的な照明をすることができる。選択的な照明は、これまで説明されたものなど、任意の方法によって制御されてもよい。いくつかの実施形態では、選択的な照明は、照明ストリップによるものであってもよい（すなわち第１照明ストリップは照明されてもよく、その一方で第２照明ストリップは照明されないままであってもよい、等）。
【００７４】
図２８Ａ及び２８Ｂに示される照明デバイス７００の更なる実施形態では、可撓性コード７６６は、電球ベース７１０から延びてもよく、電球ベース７１０はベースアセンブリ７３５と一体形成されてよい。ハブ７６８は、コード７６６の遠位端に配置され、複数の支持ロッド７７０はハブ７６８から半径方向の延びてもよい。照明要素７７２は、複数の支持ロッド７７０によって支持されてもよく、支持ロット７７０、ハブ７６８、及びコード７６６は、照明要素７７２を含むベースアセンブリ７３５を電気的に接続する手段を提供してもよい。照明要素７７２は任意の形状を有してもよく、照明要素７７２の任意の内面及び／又は外面は照明することができる。例えば、図２８Ａ及び２８Ｂに示されるように、照明要素７７２は、概ね円筒形状を形成する、複数の切子面７７４を含んでもよく、切子面７７４の全て（又は一部）は照明することができる。他の実施例は図２８Ｃに示されており、ここでは照明要素７７２は、複数の円筒７７６から構成される。ハブ７６８は、ユーザーが機能設定を選択できるか、又は調整することができる（照明を調光する、又は内部の切子面７７４のみの照明に切り替えるなど）ようにするインターフェースを有することができる。
【００７５】
図３１Ａ、３１Ｂ、３１Ｃ、及び３１Ｄに示される他の実施形態では、シートアセンブリ７８７は、シート７８８を含んでもよく、シート７８８の両面は照明することができる。シート７８８は可撓性であってもよく、シートは所与の用途に好適な曲げ半径を有してもよい。例えば、シート７８８は、２５．４ｍｍ（１”）〜１５２．４ｍｍ（６”）の最小曲げ半径を有してもよい。あるいは、シート７８８は、約６０．９６ｃｍ（２４”）のより大きな曲げ半径を有して、例えば実質的に剛性であってもよい。あるいは、シート７８８は、任意の最小曲げ半径、又はこれまで説明した最小曲げ半径の範囲を有してもよい。シート７８８はダイヤモンド形状を有してもよく、図３１Ａ、３１Ｂ、３１Ｃに示されるように実質的に平面状であってもよい。しかしながら、シート７８８は、図３１Ｄに示される凹凸のある形状など、任意の形状又は形状の組み合わせを有してもよい。必要に応じて、シート７８８は、印刷されたパターン若しくは画像、又は他のタイプ若しくは装飾を含んでもよい。電力コード７９０は、シート７８８に電気的に連結されてもよく、電力コード７９０はまた、例えば標準的な壁コンセントなどの電源に連結され得る電力インターフェース７９２に電気的に連結されて、シート７８８を照明するための電力を供給することができる。しかしながら、電力インターフェース７９２は、任意の電源、例えば標準的な照明のソケット又は車のライター差込口とインターフェース接続することができる場合がある。電力コード７９０はシート７８８に恒久的に連結されてもよく、又はそれは取り外し可能に連結されてもよい。機能インターフェース７９４は、シート７８８及び電力インターフェース７９２に電気的に連結してもよく、機能インターフェース７９４は、シート７８８の機能（電源スイッチ、調光器、又は任意の他の好適な機能など）を制御するためのインターフェースを含んでもよい。シートアセンブリ７８７は、シート７８８の第１部分がシートの第２部分に取り付けられるために、少なくとも２つの連結要素７９６を含み得る。例えば、第１連結要素はシートの第１部分に連結されてもよく、第２連結要素はシートの第２部分に連結されてもよく、第１連結要素は第２連結要素を係合するよう適合されて、シートの第１部分をシートの第２部分に取り外し可能に固定してもよい。
【００７６】
図３１Ａ、３１Ｂ、３１Ｃ、及び３１Ｄに示される実施形態の連結要素７９６は、例えばフック・ループ式ファスナー又はフック及び磁気ファスナーなど、シート７８８の少なくとも２つの部分を取り外し可能に連結することができる、当該技術分野において既知の任意の機構であってもよい。更なる実施例として、連結要素７９６は、図３１Ａで示されているように、ダイヤモンド形状のシートの４つの角部のそれぞれに配置されてもよい。連結要素７９６は、図３１Ｃに示されているように、シートを所望の形状で固定するために、メス口８００内に取り外し可能に固定することができるオス凸部７９８を含んでもよい。２つ以上のタイプの連結要素７９６、例えば複数の内側に向けられたスリット８０２が含まれてもよく、シートの縁部は、スリット８０２のうちの１つに挿入されて、図３１Ｂに示されるように所望の位置でシートを固定することができる。シートアセンブリ７８７は、壁から吊り下げられてもよく、天井照明の電源から吊るされてもよく、天井から吊るされてもよく、又は平坦な面上に配置されてもよい。
【００７７】
図３２Ａから３２Ｅに示される更なる実施形態では、デバイス７００は概して細長い形状を有してもよい。具体的に、ベース８０４は、ほぼ長手方向に延びてよい。ベース８０４は特定の用途のための任意の好適な長さを有してもよく、ベースは、装置７００の全体的な長さが従来的な蛍光照明の付属品とほぼ等しいような寸法にされてもよい。例えば、ベース８０４は、デバイス７００の全体的な長さが３０４．８ｍｍ（１２インチ）、６０９．６ｍｍ（２４インチ）、９１４．４ｍｍ（３６インチ）又は１２１９．２ｍｍ（４８インチ）の長さにであるような寸法にされてもよい。ベース８０４は、具体的な用途に関して任意の好適な形状を有してもよい。例えば、図３２Ａで示されているように、ベース８０４は、第１壁部８０６及び第２壁部８０８から構成されてもよく、第１壁部８０６及び第２壁部８０８は、ベース８０４が楔樣の形状を有するように、中央に配置されたスロット壁部８１０を中心として対称的形成されてもよい。ベース８０４は、一体成型された形状として製造されてもよく、又は２つ又はそれ以上の構成要素から組み立てられてもよい。照明要素８１２はベース８０４に連結されてもよく、並びに照明要素８１２は、特定の用途に好適な任意の形状又は寸法を有してもよい。例えば、照明要素８１２は、図３２Ａ及び９４Ｂに示されているように実質的に平坦であってもよく、照明要素８１２は、スロット壁部８１０に沿ってベース８０４の全長に沿って延びてもよいしかしながら、照明要素８１２は、例えばベース８０４の長さに沿って離間されるセグメントから構成され得る。全体の照明要素８１２など、照明要素８１２の任意の部分は、以下により詳細に示されるように、照明することができる。
【００７８】
図３２Ａから３２Ｅまでを参照して、カバー８１４は、恒久的な連結又は取り外し可能な連結など、当該技術分野において既知のものによってベース８０４に連結されてもよい。例えば、カバー部８１４の上縁部及び底縁部はそれぞれ、第１壁部８０６及び第２壁部８０８の末端部にそれぞれ形成されたスロット内に摺動してもよい。ベース８０４に固定されたとき、カバー８１４は、例えば凸状、凹状、又は平坦など、任意の断面形状を有してもよい。更に、カバー８１４は、単一の一体型部分から構成されてもよく、又は集合的にカバー８１４を形成するいくつかのセグメントから構成されてもよく、カバー８１４の１つのセグメントは例えば凸状であってもよい。カバー８１４は実質的に艶消されてもよく、又は透明であってもよく、並びにカバー８１４は面のテクスチャーを有してもよく、又はテクスチャーを有していなくてもよい。更に、カバー８１４は任意の好適な色を有してもよい。代替の実施形態では、カバー８１４は、照明要素８１２の代わりに照明してもよい。
【００７９】
図３２Ａから３２Ｅを参照して、エンドキャップ８１６はベース８０４の各端部に固定されてもよい。各エンドキャップ８１６は任意の形状を有してもよく、エンドキャップ８１６は、カバー８１４／ベース８０４アセンブリの断面と実質的に同一である断面を有してもよい。各エンドキャップ８１６は当該技術分野において既知の任意の方法によって（例えばタブ／スロットアセンブリ、又は締まりばめによってなど）、ベース８０４の各端部に固定されてもよい。エンドキャップ８１６のうちの少なくとも電力インターフェース７９２に連結されてもよい。例えば、エンドキャップ８１６がベース８０４に固定されるとき、照明要素８１２（又はカバー８１４が照明することができる場合はカバー８１４）が電力インターフェース７９２に固定されるように、可撓性コード８１８は、エンドキャップ８１６から電力インターフェース７９２まで延びることができる。機能インターフェース７９４は、照明要素８１２（又はカバー８１４が照明することができる場合はカバー８１４）及び電力インターフェース７９２に電気的に連結されてもよく、機能インターフェース７９４は、照明要素８１２（又はカバー８１４が照明することができる場合はカバー８１４）の機能（例えば電力スイッチ、調光器、又は任意の他の好適な機能）を制御するためのインターフェースを含んでもよい。機能インターフェース７９４は、電力コード８１８に連結されたモジュールなどを含め、デバイス７００の任意の好適な位置では配置されてもよい。あるいは、機能インターフェース７９４は、エンドキャップ８１６又は電力インターフェース７９２と一体形成されてもよい。
【００８０】
図３２Ａから３２Ｅまで更に参照して、２つ以上のカバー８１４／ベース８０４アセンブリは一緒に固定されて、マルチユニットアセンブリ８２２を形成してもよい。個々のカバー８１４及びベース８０４の形状は変化し得るため、マルチユニットアセンブリ８２２は、任意の断面形状又は形状の組み合わせを有してもよい。例えば、図３２Ｃ及び３２Ｅで示されているように、マルチユニットアセンブリ８２２は実質的に円筒形状を有してもよい。あるいは、マルチユニットアセンブリ８２２は、図３２Ｄに示されているように、半円筒形状を有してもよい。カバー８１４／ベース８０４は、タブ／スロット構成の使用によって、又は磁気結合など、当該技術分野において既知である任意の手段により相互に固定することができる。例えば、細長いタブ８２０の一部は、２つの隣接するカバー８１４／ベース８０４アセンブリのそれぞれのベース８０４のスロット壁部８１０によって形成されるスロット内に挿入されて半円筒を形成してもよく、又は細長いタブ８２０の一部は、４つのカバー８１４／ベース８０４アセンブリのそれぞれのベース８０４のスロット８１０によって形成されるスロット内に挿入されて円筒を形成してもよい。マルチユニットアセンブリ８２２が電力コード８１８から吊るされる場合、電力コード８１８は、エンドキャップ８１６のうちの１つ又は全てに連結されてマルチユニットアセンブリ８２２を支持することができるハブに連結されてもよい。
【００８１】
図３３に示される更なる細長い実施形態では、蛍光交換アセンブリ８２３は、従来の管型蛍光灯の形状を有してもよく、これによって蛍光交換アセンブリ８２３は、従来の管型蛍光ソケットに挿入されて、従来の管型蛍光灯と交換することができる。具体的には、蛍光交換アセンブリ８２３の照明要素８１２は、照明することができてもよく、照明要素８１２は実質的に円筒形であってもよい。照明要素８１２は、剛性の外側シリンダー８２４内に配置されてもよく、外側シリンダー８２４は、例えばプラスチック又はガラスなど、任意の好適な材料から作製されてもよい。照明要素８１２及び外側シリンダー８２４は、示されているように、円筒形状であってもよく、又は任意の断面形状又は形状の組み合わせを有してもよい。更に、照明要素８１２は、設置時に適用されるトルクに耐えるような十分に剛性である場合、外側シリンダー８２４はいずれも使用されなくてもよい。エンドキャップ８２６は、照明要素８１２の両端に配置されてもよい。エンドキャップ８２６は、任意の好適な形状であってもよく、並びに円筒形であってもよく、外側シリンダー８２４のものと実質的に等しい外形を有してもよい。エンドキャップ８２６は、ねじ結合又はタブ／スロット締めなど、当該技術分野において既知の任意の手法によって、外側シリンダー８２４に（いずれの外側シリンダー８２４も使用されていない場合は照明要素８１２に）に堅く固定されてもよい。１つ以上のピン８２８は、エンドキャップ８２６のそれぞれから延びてもよく、ピン８２８は集合的に、従来の蛍光電球をソケットと連結するのに使用される、いくつかの従来の構成のいずれかを形成してもよい。ピン８２８は、電力インターフェース７９２に電気的に連結されてもよく、電力インターフェース７９２は、電力インターフェース７９２が従来のソケットからの電圧を、照明要素８１２を照明するのに好適な電圧に変換することができるように、照明要素８１２に電気的に連結されてもよい。エンドキャップ８２６のうちの一方又は両方は、電力インターフェース７９２を含んでもよく、電力インターフェース７９２はピン８２８及び照明要素８１２に電気的に連結されてもよい。機能インターフェース７９４は、照明要素８１２及び電力インターフェース７９２に電気的に連結されてもよく、機能インターフェース７９４は、照明要素８１２の機能を制御するインターフェース（電源スイッチ、調光器、又は任意の他の好適な機能など）を含んでもよい。機能インターフェース７９４及び電力インターフェース７９２は、１つ又は両方のエンドキャップ７２６に一体形成されてもよい。外側シリンダー８２４の外形（いずれの外側シリンダー８２４も使用されていない場合は照明要素８１２）は、従来の蛍光電球の外形に実質的に等しくてもよい。例えば、外側シリンダー８２４の外形は３８．１ｍｍ（１  １／２インチ）であってもよい。蛍光交換アセンブリ８２３の全体的な長さ（ピン８２８の長さは除く）は、従来の蛍光電球の長さに実質的に等しくてもよい。例えば、蛍光交換アセンブリ８２３の長さは、３０４．８ｍｍ（１２インチ）、６０９．６ｍｍ（２４インチ）、９１４．４ｍｍ（３６インチ）又は１２１９．２ｍｍ（４８インチ）であ���てもよい。しかしながら、外側シリンダー８２４の外形及び蛍光交換アセンブリ８２３の長さは任意の好適な値を有してもよい。
【００８２】
上記で簡単に説明したように、任意の数の考えられる物理的形状を取ることに加え、本説明による照明アセンブリは、任意の数の操作上の機能を提供してよい。各機能は、１つ以上の設定可能なパラメータを含んでよく、特定の実施形態に応じて、ソフトウェア、ファームウェア、ハードウェア、並びに／又はソフトウェア、ファームウェア、及び／若しくはハードウェアの組み合わせによって、電球、ベース、及び結合機構のいずれかの組み合わせにおいて実施できる。
【００８３】
いくつかの実施形態では、例えば、アセンブリ１０００は、図３７Ａに示されるように、座部１００４と一体形成され、座部１００４に結合されるベース部１００２を含む。座部１００４は電球部１００６を受容し、これは同様にベースと一体形成されてよく、又は別々に形成され、ベース部１００２に固定して若しくは取り外し可能に結合してよい。電球部１００６は、任意の発光素子を含んでよく、具体的には、照明したシート、白熱電球又は蛍光灯（図示せず）、シェード、１つ以上のＬＥＤなどを挙げてよい。図３７Ｂに図示する機能性ブロック図に示されるように、アセンブリ１０００は、電球１００８（例えば、照明したシート）と、制御装置１０１０と、電源インターフェース１０１２と、を含む。電源インターフェース１０１２は、アセンブリ１０００を、ＡＣ及び／又はＤＣ電源であってよい電源（図示せず）に物理的に及び／又は電気的に結合させるのに役立つことができる。電源インターフェース１０１２は、おそらく制御装置と連携して、電源から供給される電気信号を変換し、適合させ、切り替え、フィルタリングし、調節し、及び／又はインピーダンス整合を実施することもできる。例えば、１００８が１つ以上の発光ダイオードを含む場合、電源インターフェース１０１２は、ダイオードの特性及び電球１００８を形成する１つ以上の照明回路の構成に従って、電源によって供給される１２０ＶＡＣ信号を低電圧ＤＣ信号に変換でき、並びに／又は制御装置１０１０に、適切な動作電圧を提供できる。別の例として、電源インターフェース１０１２は、電源によって供給される様々な電圧かつ周波数の電力信号に適合させ、例えば、同一のアセンブリ１０００を、６０ヘルツ、１２０ＶＡＣ信号で、５０ヘルツ、１２０ＶＡＣ信号で、６０ヘルツ、２４０ＶＡＣ信号などで使用できるようにしてよい。更に別の例として、電源インターフェース１０１２は、複数の電源（例えば、電源ラインからの電力と、エネルギー保管デバイスからの電力）間の接続を切り替えてよい。更に別の例として、電源インターフェース１０１２は、電源によって供給される電気信号をフィルタリング及び／又は調節し、電気信号からノイズを除去、電気信号をＡＣからＤＣへ変換、及び／又は１つ以上の信号（例えば、通信信号）を除去若しくは単離してよい。アセンブリ１０００はまた、１つ以上のセンサ１０１４と、通信インターフェース１０１６を形成する１つ以上の構成要素（例えば、受信機及び送信機）と、を備えてもよい。
【００８４】
図３８Ａに示されるような別の実施形態では、２つ以上のアセンブリ１０１８が別々に形成されてよい。アセンブリ１０１８は、ベースアセンブリ１０２０と、電球アセンブリ１０２２と、を備えてよく、これらは互いに取り外し可能に結合されてよい。ベースアセンブリ１０２０及び電球アセンブリ１０２２は、それぞれ結合部１０２４及び１０２６を備えてよく、これらは互いに連携して、ベースアセンブリ１０２０を電気的かつ物理的に電球アセンブリ１０２２に結合する。電球アセンブリ１０２２は、任意の発光素子を含んでよく、具体的には、照明したシート、白熱電球又は蛍光灯（図示せず）、シェード、１つ以上のＬＥＤなどを挙げてよい。図３８Ｂに図示する機能性ブロック図に示されるように、ベースアセンブリ１０２０は、電源インターフェース１０１２に関して上述した方法で動作する、主電源インターフェース１０２８を備えてよい。ベースアセンブリ１０２０はまた、制御装置１０３０と、通信インターフェース１０３２を形成する１つ以上の構成要素と、１つ以上のセンサ１０３４と、を備えてもよい。
【００８５】
ベースアセンブリ１０２０はまた、結合インターフェース１０３９も備えてよく、これ自体は、ベースアセンブリ１０２０によって供給される電力信号及びデータ信号を、それぞれ、電球アセンブリ１０２２の結合インターフェース１０４３の対応するインターフェース１０４０及び１０４２に電気的に結合するための、二次電源インターフェース１０３６と、データインターフェース１０３８と、を含む。いくつかの実施形態では、ベースアセンブリ１０２０によって電球アセンブリ１０２２に供給される電力信号は、エネルギー誘導伝達手段によって提供される。
【００８６】
データ信号は、特定の実施形態に応じて、電球アセンブリとベースアセンブリとの間を通過する任意のデータ信号であってよい。例としてであり限定するものではないが、代表的なデータ信号として、電球アセンブリ中の１つ以上のセンサとベースアセンブリ中の制御装置との間の信号、ベースアセンブリ中の制御装置又は通信インターフェースから、電球アセンブリ中の送信機へ送られる信号、電球アセンブリ中の受信機によって受信され、ベースアセンブリ中の制御装置に中継される信号、並びに／又は、電球の種類及び／若しくは電球アセンブリの特徴を識別する、電球アセンブリからベースアセンブリに対する信号を挙げてよい。図３８Ｂには別のインターフェースとして示されるが、インターフェース１０３６及び１０３８（並びに１０４０及び１０４２）は、例えば、電力信号がデータ信号用の搬送波信号として機能する、単一のインターフェースであってもよい。
【００８７】
いくつかの実施形態では、対応するデータインターフェース１０３８及び１０４２は、近距離無線通信プロトコル、ブルートゥースプロトコル、無線自動識別（ＲＦＩＤ）プロトコルなどといった、無線通信を実行してよい。
【００８８】
いくつかの実施形態では、ベースアセンブリ１０２０の代わりに、電球アセンブリ１０２２内に制御装置１０３０を実装してよい。加えて、いくつかの実施形態では、ベースアセンブリ１０２０は、電力インターフェース１０３６及び電源インターフェース１０２８のみを備えてよく、一方、残りのセンサ１０３４、制御装置１０３０、及び／又は通信インターフェース１０３２は、電球アセンブリ１０２２の一部であってよい。このような「情報処理能力のない」ベースアセンブリ１０２０を実装し、制御装置、及び場合によっては他の構成要素を「情報処理能力のある」電球アセンブリ１０２２に組み込む実施形態によって、電球アセンブリ１０２２を取り換え、ベースアセンブリ１０２０をそのままにする（すなわち、電源に接続された状態）ことで、消費者が照明アセンブリに機能性を追加することを可能にできる。加えて、情報処理能力のある電球アセンブリ１０２２を情報処理能力のないベースアセンブリ１０２０と共に使用することで、制御装置１０３０が発光素子１０４４によって得られる機能を制御するように任意の特定の発光素子１０４４を対応する制御装置１０３０と共に実装することができる。例えば、複数の照明回路を有する発光素子１０４４は、複数の照明回路を制御するよう構成される、対応する制御装置１０３０を有するであろう。
【００８９】
電球アセンブリ１０２２は、１つ以上の照明回路１０４４を含み、この照明回路１０４４はそれぞれ、電気的に、かつ任意に選択的にインターフェース１０４０に結合され、照明回路１０４４中の対応する複数の照明要素に電力を供給する。１つ以上のセンサ１０４６も電球アセンブリ１０２２内に備えられ、インターフェース１０４０及び１０４２の一方又は双方に電気的に結合されてよい。例えば、センサ１０４６は、データ信号（例えば、感知されたパラメータを示す）を、インターフェース１０４２及び１０３８を介して制御装置１０３０に送信及び／又は受信しながら、インターフェース１０４０から動作電力を受信できる。あるいは、１つ以上のセンサ１０４６は、インターフェース１０４２を介して提供される信号からの動作電力を受信してよい。インターフェース１０３６／１０４０及び１０３８／１０４２の物理的及び電気的実装は、以下の「結合」の項で、特定の実施形態に対して説明する。
【００９０】
上記で簡単に説明したように、ベースアセンブリ１０２０及び電球アセンブリ１０２２のいくつかの実施形態は、不正な電球アセンブリのベースアセンブリ１０２０との使用を避けるために、相互運用可能な１つ以上の機能を含んでよい。これら「ロックとキー」機能は、本来は電子的、電気的、及び／又は機械的であってよい。図３８Ｃは、図３８Ｂに示されるものと類似しているが、電子的及び／又は電気的ロックとキーインターフェースを含む、照明アセンブリのブロック図を示す。特に、電球アセンブリ１０２２の結合インターフェース１０４３が、電子的キーデバイス１０４１を含む。電子的キーデバイス１０４１は、例えば、電力の印加及び／又は特定の信号の受信による、特定の機能の実行が可能な、単純な集積回路（ＩＣ）デバイスであってよい。電子的キーデバイス１０４１は、電気的接続１０４５を介してデータインターフェース１０４２に電気的に結合される電力インターフェース（すなわち、電力受信用のピン又は接続、図示せず）、及び電気的接続１０４７を介してデータインターフェース１０４２に電気的に結合されるデータインターフェース（すなわち、データ受信／送信用の１つ以上のピン又は接続、図示せず）を有してよい。これまで説明したように、データインターフェース１０４３は、ベースアセンブリ１０２０中の結合インターフェース１０３９のデータインターフェース１０３８に結合されてよく、電力インターフェース１０４５及びデータインターフェース１０４７にそれぞれ対応する、電子的キーデバイス１０４１への電気的接続１０４９及び１０５１を備えてよい。このように、電子的キーデバイス１０４１は、電力を受信し、データインターフェース１０３８を介して制御装置から／制御装置へデータを受信／送信することができる。
【００９１】
当然のことながら、電子的キーデバイス１０４１は、接続されるとベースアセンブリ１０２０からの電力の受信が、及び、電球アセンブリ１０２０中の制御装置１０３０への有線又は無線信号によるデータの送信が可能な任意のデバイスであってよい。例えば、電子的キーデバイス１０４１は、無線電力の受信、及び無線データの送信の両方が動作可能な無線自動識別（ＲＦＩＤ）デバイスであってよい。
【００９２】
いずれにせよ、制御装置１０３０は、適合した電球アセンブリ１０２２がないと、電力インターフェース１０３６に（つまり、電力インターフェース１０４０を通して電球アセンブリ１０２２に）電力を供給しないようにプログラムされる。すなわち、ベースアセンブリ１０２０が電源に接続される（例えば、ＡＣ電源に差し込む、従来の電球ソケットに固定するなど）場合、電力インターフェース１０３６は、電球アセンブリ１０２２に結合されないとき、つまり、結合される電球アセンブリ１０２２がベースアセンブリ１０２２に不適合であるときは電源が切れる（すなわち、電球アセンブリ１０２２が電子的キーデバイス１０４１を備えない場合、又は電子的キーデバイス１０４１が正しく認証されない場合）。ベースアセンブリ１０２０は、最小電力信号を、例えば、データインターフェース又は無線送信機を介して供給し、電子的キーデバイス１０４１が存在すると、そこに電力を供給できる。電力信号の受信に応えて、電子的キーデバイス１０４１は、データインターフェース又は無線インターフェースを介して、ベースアセンブリ１０２０に、具体的には制御装置１０３０にデータを提供できる。電子的キーデバイス１０４１によって送信されたデータを受信すると、制御装置１０３０は受信したデータを解釈し、それによって１つ以上の機能を選択的に可能にできる。制御装置１０３０が電球アセンブリ１０２２中に実装される実施形態では、キーデバイス１０４１は、それに対応してベースアセンブリ１０２０中に位置してよい。
【００９３】
図３８Ｄは、ベースアセンブリ１０２０と電球アセンブリ１０２２との間の相互運用性を選択的に可能にする代表的な方法を示すフローチャートである。電球アセンブリ１０２２がベースアセンブリ１０２０に結合されると、電力が電子的キーデバイス１０４１に供給される（ブロック１０５３）。電子的キーデバイス１０４１は、１つ以上のデータ値をベースアセンブリ１０２０中の制御装置１０３０に送信する（ブロック１０５５）。１つ以上のデータ値として、例えば、電球アセンブリのシリアルナンバーを挙げてよい。データ（シリアルナンバーの形態であろうとなかろうと）は、任意のアルゴリズム、具体的には、アルゴリズムについて先見の明がなければ、データの確実な再現を困難にし得るアルゴリズムに従ってプログラムされてよい。いくつかの実施形態では、データ（やはり、シリアルナンバーの形態であろうとなかろうと）は、例としてであり限定するものではないが、電球アセンブリに組み込まれるセンサの存在と種類、電球アセンブリに実装される回路の数と種類、タイマー、調光器、その他同種のもの、電球形状、実装される通信プロトコル、照明要素で使用できる色などといった様々な機能との適合性を含む、電球アセンブリの１つ以上の特性を示す情報を含んでよい。
【００９４】
電子的デバイスキー１０４１から送信されたデータを受信すると、制御装置１０３０は、１つ以上の計算及び／又は動作を実施し、受信した値の妥当性を判定する（ブロック１０５７）。例えば、制御装置１０３０は、アルゴリズムへの入力として受信したデータの１つ以上の部分を用い、アルゴリズムの出力を受信したデータの１つ以上の部分と比較してよい。制御装置１０３０が、データが妥当であり、その結果、電球アセンブリ１０２２が適合していると判断した場合（ブロック１０５７において）、制御装置１０３０は、判定した妥当性に応じて１つ以上の機能を選択的に可能にする（ブロック１０５９）。１つ以上の機能として、例えば、限定するものではないが、電力を電力インターフェース１０３６に供給し、電球アセンブリ１０２２に電力供給すること、調光機能又はタイマー機能を提供すること、電球アセンブリ１０２２中の１つ以上の回路を制御すること、電球アセンブリ１０２２若しくはベースアセンブリ１０２０中の１つ以上のセンサに応答すること、又は本明細書に記載の任意のその他機能を挙げてよい。
【００９５】
いくつかの実施形態では、上記のベースアセンブリ１０２０中に配置されている照明アセンブリの１つ以上の機能は、その代わりに、電球アセンブリ１０２２中に配置されてよい。特に、いくつかの実施形態では、制御装置１０３０及び／又は通信インターフェース１０３２の一方又は双方は、図３８Ｅに示されるように、電球アセンブリ１０２２中に存在してよい。これらの実施形態では、電力のみを電球アセンブリ１０２２に供給することが必要であるため、結合インターフェース１０３９及び／又は結合インターフェース１０４３が、対応するデータインターフェース１０３８及び１０４２を含むことが不要である場合がある。したがって、各結合インターフェース１０３９及び１０４３は、ベースアセンブリ１０２０から電球アセンブリ１０２２に電力を伝達するための、それぞれ電力インターフェース１０３６及び１０４０を備えてよい。同じく、電力インターフェース１０４０は、電力を制御装置１０３０に供給でき、この装置は、通信インターフェース１０３２、発光素子１０４４、センサ１０４６などに電力を供給できる。当然のことながら、通信インターフェース１０３２、発光素子１０４４、及び／又はセンサ１０４６はそれぞれ、いくつかの実施形態では、電力インターフェース１０４０から直接的に電力供給されてもよい。この「情報処理能力のある電球」を含む実施形態は、様々な構成並びに／又は様々な機能を有する電球アセンブリが同様に、これらの構成及び／若しくは機能に対応するよう構成され、並びに／又はプログラムされている対応する制御装置を含むことを確実にできる。例えば、２つの照明回路を有する電球アセンブリは、両方の照明回路を独立して制御するよう構成される及び／又はプログラムされる制御装置を有してよく、周辺光センサを組み込む電球アセンブリは、センサなどからの信号を受信し、その信号に応答するよう構成される及び／又はプログラムされる制御装置を有してよい。
【００９６】
本明細書に記載される電球、ベース、及びアセンブリの様々な実施形態は、１つ以上の他のデバイス、例えば、通信インターフェース１０１６又は通信インターフェース１０３２に、通信可能に結合されてよい。図３９は、デバイスネットワーク１０４８を示す。デバイスネットワーク１０４８は、アセンブリ１０５０を含み、このアセンブリは、図３７Ｂのアセンブリ１０００、又は図３８Ｂの電球アセンブリ１０２２に類似してよい。いずれにせよ、アセンブリ１０５０は通信インターフェース（例えば、通信インターフェース１０３２を伴う通信インターフェース１０１６）を含み、具体的には、１つ以上のトランシーバー１０５２を含む。アセンブリ１０５０は、トランシーバー１０５２を用いて、１つ以上の他のデバイスと通信できる。他のデバイスは、１つ以上の制御装置１０５４、１つ以上のセンサ１０５６、１つ以上の他の電球アセンブリ１０５８、１つ以上の機器１０６０、及び／又は実装される物理的かつ論理的ネットワークに適合する任意の他のデバイスを備えてよい。各制御装置１０５４、センサ１０５６、他の電球アセンブリ１０５８、機器１０６０、又は他のデバイスは、受信機、送信機、及び／又はトランシーバーを備えてよい。例えば、各制御装置１０５４、他の電球アセンブリ１０５８、及び機器１０６０は、それぞれトランシーバー１０６２、１０６８、及び１０７０を備えてよく、一方センサ１０５６は、送信機１０６４のみを備えてよい。有線又は無線であってもよい物理的ネットワーク１０７２は、トランシーバー１０５２、１０６２、１０６８、及び１０７０、並びに送信機１０６４を通信可能に接続する。
【００９７】
デバイスネットワーク１０４８は、例えば、ホームオートメーションネットワークであってよい。このため、物理的ネットワーク１０７２は、光ファイバー、ケーブル、デジタル加入者線（ＤＳＬ）、ツイストペア、ユニバーサルシリアルバス（ＵＳＢ）、ファイアーワイヤ、電力線などといった有線ネットワークであってよい。物理的ネットワーク１０７２は、任意のＲＦ、赤外、又はその他無線技術を用いる無線ネットワークであってもよい。例としてであり限定するものではないが、無線ネットワークとして、ＩＥＥＥ  ８０２．１１（ＷｉＦｉ）、ＧＰＲＳ、ＵＭＴＳ、ブルートゥースなどの無線電信規格、及び任意のその他適合した無線ネットワークを挙げてよい。デバイスネットワーク１０４８上のデバイスは、ホームオートメーション目的に適応している任意の専用又はオープン標準を用いて、物理的ネットワーク１０７２上で互いに通信できる。周知のホームオートメーションプロトコルとして、Ｘ１０プロトコル、ユニバーサル電力線バス（ＵＰＢ）、ＯＮＥ−ＮＥＴ、及び特にＺｉｇＢｅｅが挙げられる。
【００９８】
デバイス１０５０、１０５４、１０５６、１０５８、及び１０６０は、デバイスネットワーク１０７２を用いて協働し、ホームオートメーション機能をもたらすことができる。いくつかの実施形態では、制御装置１０５４は、ネットワーク１０７２上の他のデバイスからコマンドを受信し、及び／又は他のデバイスへコマンドを送信可能なＸ１０制御装置であってよい。例えば、制御装置１０５４は、センサ１０５６からのコマンド（すなわち、送信機１０６４によって送信された信号）を、トランシーバー１０６２を介して受信でき、アセンブリ１０５０などのネットワーク１０７２上の他のデバイスにコマンドを送信できる。ネットワーク１０７２上の制御装置１０５４及びデバイスによって実施されるプロトコルに応じて、ネットワーク１０７２上のデバイス、具体的にはアセンブリ１０５０に送信されたコマンドとして、デバイスのスイッチを入れること、デバイスのスイッチを切ること、輝度を上げる又は下げること、ステイタスを要求すること、又は予めプログラムされたモードを実行すること、が挙げられる。
【００９９】
いくつかの実施形態では、制御装置１０５４は、携帯機器（図示せず）であってよく、又は携帯機器に通信可能に結合されてよい。携帯機器は、デバイスネットワーク１０７２上でのコマンドの送信及び／又は受信が可能な１つ以上のアプリケーションを実行してよく、又は、制御装置１０５４が携帯機器に結合されるとき、制御装置１０５４へのコマンドの送信及び／又は制御装置からのコマンドの受信が可能であってよい。かかるアプリケーションは、「Ｓｅｎｓｉｎｇ  ａｎｄ  Ａｄｊｕｓｔｉｎｇ  Ｆｅａｔｕｒｅｓ  ｏｆ  ａｎ  Ｅｎｖｉｒｏｎｍｅｎｔ」という表題の関連出願＿＿＿＿＿＿＿＿（整理番号１２０９６）に記載されている。例えば、いくつかの実施形態では、携帯機器は、スマートフォンデバイス上での実行に適合したアプリケーションを実行する、スマートフォンデバイス（又は、携帯情報端末、携帯型メディアプレイヤー、タブレット型コンピュータなど）である。アプリケーションは、携帯機器とデバイスネットワーク１０７２上の対応するトランシーバーとの間の無線（又は有線）インターフェースを介して通信でき、このトランシーバーは、制御装置１０５４の一部（又は制御装置に通信可能に接続される）であってよい。携帯機器は、デバイスネットワーク１０７２へ直接コマンドを送信し、及び／若しくはデバイスネットワーク１０７２から直接コマンドを受信してよく、又は、制御装置１０５４などの中間制御装置を介してそれを行ってもよい。
【０１００】
いくつかの実施形態では、従来のリモコン（いくつかの実施形態では、壁取り付け式制御パネルであってもよい）によって、本明細書に開示される照明要素を含むアセンブリの、ユーザーによる制御を可能にできる。図４０は、照明アセンブリ１０７４のブロック図を示す。照明アセンブリ１０７４は、１つ以上のリモコンデバイスから１つ以上のコマンド信号を受信する１つ以上の受信機１０７６を含む。リモコンデバイスは、有線リモコン１０７８又は無線リモコン１０８０であってよい。いくつかの実施形態では、照明アセンブリ１０７４は、有線リモコン１０７８及び無線リモコン１０８０の双方からの信号を受信可能な１つ以上の受信機を備えてよい。当然のことながら、無線リモコン１０８０は赤外線通信プロトコル（例えばＩｒＤＡ）又はＲＦプロトコルを実装できると同時に、無線リモコン１０８０は、かかる制御での使用に適した任意の無線プロトコルを介してコマンドを送信できる。同様に、有線リモコン１０７８は、特に照明アセンブリ１０７４に有線接続されてよく、又はユニバーサル電力線バスなどの電力配線を介して受信機１０７６と通信してもよい。いずれにせよ、リモコン１０７８及び／又はリモコン１０８０を操作し、照明アセンブリ１０７４を、スイッチオン、スイッチオフ、明るく、暗く、プリセットモードを入力、又は、以下に詳述する他の機能を含む照明アセンブリ１０７４と関連する任意のその他機能を有効にさせることができる。
【０１０１】
いくつかの実施形態では、１つの照明アセンブリは、別の照明又はアセンブリに対する、リモコン機能の提供に役立ってもよい。図４１は、このような「連鎖」制御を実装するシステム１０８２を示す。第１照明アセンブリ１０８４は、図３８Ｂに示されるように、電球アセンブリ１０２２と、ベースアセンブリ１０２０と、を備えてよく、又は、図３７Ｂに示される照明アセンブリ１０００として組み込まれてよい。いずれにせよ、照明アセンブリ１０８４は、電球又はその他発光素子１０９８と、制御装置１０９６Ａと、１つ以上の送信機１０８６と、１つ以上の受信機１０８８と、を含む。受信機１０８８は、リモコンデバイス１０８０から、ホームオートメーション制御装置１０５４から、又はその他照明アセンブリ１０５０からの、１つ以上の信号１０９７の受信が可能であってよい。
【０１０２】
送信機１０８６の操作により、照明アセンブリ１０８４は、コマンド及び／又は信号を、他の照明アセンブリ、例えば図４１に更に示される照明アセンブリ１０９０に送信及び／又は中継することもできる。このように、リモコン１０８０は、信号１０９７を照明アセンブリ１０８４に送信できる。信号１０９７は、受信機１０８８によって受信され、送信機１０８６によって信号１０９９として再送信されてよい。信号１０９９は、受信機１０９２及び照明アセンブリ１０９０によって受信されてよい。
【０１０３】
いくつかの実施形態では、照明アセンブリ１０８４に通信可能に結合されるセンサは、照明アセンブリ１０８４において動作（例えば、電球アセンブリ１０９８のスイッチを入れる）を起こすことができ、同様に照明アセンブリ１０８４は、照明アセンブリ１０９０に同様又は異なる動作を取らせることができる。例えば、センサが低光量検出器として実装される場合、センサによって低光量状態が検出されると、照明アセンブリ１０８４、具体的には制御装置１０９６Ａに、電球アセンブリ１０９８のスイッチを入れさせることができ、照明アセンブリ１０８４内の送信機１０８６は、照明アセンブリ１０９０中の受信機１０９２による受信のため、信号１０９９を送信できる。信号１０９９にコードされる命令は、照明アセンブリ１０９０、具体的には制御装置１０９４に命令し、照明アセンブリ１０９０内の電球アセンブリ１０９４を動作させてよい。
【０１０４】
いくつかの実施形態では、送信機１０８６は、電球１０９６Ａ内の回路として実装されてよく、及び／又は受信機１０９２は、電球１０９６Ｂ内の回路として実装されてよい。図４２に示される代表的な実施形態では、システム１１００は、第１電球１１０２と、第２電球１１０４と、を含み、照明アセンブリ１０８４及び１０９０などの対応する照明アセンブリ内に配置されてよい。電球１１０２は、ＬＥＤ発光装置を実装する第１回路１１０６と、ＩｒＤＡ送信機を実装する第２回路１１０８と、を備えてよい。同様に、電球１１０４は、ＬＥＤ発光装置を実装する第１回路１１１０と、ＩｒＤＡ受信機を実装する第２回路１１１２と、を備えてよい。回路１１０６及び１１０８は、回路１１０８が、電球１１０２の外周の周囲のバンドを形成するように配置されてよい。
【０１０５】
例えば、図４３は、直角円錐台として実装される電球１１１４を示す。電球１１１４の外面１１１６は、本明細書に記載されるＬＥＤなどの可視発光素子が配置される第１領域１１１８と、赤外線発光素子が配置される第２領域１１２０と、を含む。このように、図４１の照明アセンブリ１０８４などの照明アセンブリは、電球１１１４から外向き全方向に、一般に軸Ａを横切って放射状に広がる赤外信号を送信してよい。同様に、第２領域１１２０は、赤外線受信素子を備えてよい。このように、図４１の照明アセンブリ１０９０などの照明アセンブリは、一般に軸Ａを横切る任意の方向からの赤外信号を受信してよい。
【０１０６】
電球１１０２の第２回路１１０８（すなわち送信機）は、照明アセンブリ１０８４の制御装置１０９８などの制御装置に通信可能に結合されてよい。同様に、電球１１０４の第２回路１１１２は、照明アセンブリ１０９０の制御装置１０９４などの制御装置に通信可能に結合されてよい。照明アセンブリが、電球アセンブリと、別々に形成されたベースアセンブリと、を含む実施形態では、制御装置と、電球１１０２及び１１０４の対応する第２回路１１０８及び１１１２との間の対応する信号は、以下に詳述するように結合機構を通過してよい。
【０１０７】
当然のことながら、送信機１０８６及び受信機１０９２は、ＩｒＤＡプロトコルを実装する必要はない。送信機１０８６及び受信機１０９２は、代わりに独自の赤外プロトコルを実装することができ、又は実際には任意の好適な無線プロトコルを実装できる。更に、個々の送信機１０８６及び受信機１０９２は、図４２及び４３にはそれぞれ電球１１０２及び１１０４中に実装されるように示されるが、電球中に配置する必要はなく、その代わりに、図３８Ｂに示されるベースアセンブリ１０２０などのベース内に配置されてよい。
【０１０８】
また、本明細書に記載される照明装置を実装する照明アセンブリは、一体型調光回路を備えてもよい。図４４は、照明装置１１２２を示す。照明装置１１２２は、電球１１２４と、制御装置回路１１２６と、電力インターフェース１１２８と、調光回路１１３０と、を含む。電球１１２４は、いくつかの実施形態では照明したシートであってよい。上記のように、電力インターフェース１１２８は、制御装置回路１１２６に、かつ電球１１２４に直接的又は間接的に、電気的に結合される。電球１１２４は、複数の照明回路１１３２Ａ、１１３２Ｂ、１１３２Ｃを有するように示される。複数の照明回路１１３２Ａ、１１３２Ｂ、及び１１３２Ｃはそれぞれ、調光回路１１３０によって別々に電力が供給される。照明回路１１３２Ａ、１１３２Ｂ、及び１１３２Ｃは、それぞれ接続１１３４Ａ、１１３４Ｂ、及び１１３４Ｃを介して、調光回路１１３０に電気的に結合される。制御装置１１２６は、１つ以上の制御線１１３６を介して、調光回路１１３０に制御信号を提供できる。いくつかの実施形態では、電力インターフェース１１２８は、制御装置１１２６を含む構成要素を操作するのに所望の電圧を制御装置１１２６に供給しながら、複数の照明回路１１３２Ａ〜Ｃのそれぞれを照明するのに所望の電圧を調光回路１１３０に供給する。別の実施形態では、電力インターフェース１１２８は、複数の照明回路１１３２Ａ〜Ｃのそれぞれを操作するのに所望の電圧を制御装置１１２６に供給し、複数の照明回路１１３２Ａ〜Ｃのそれぞれに対する所望の電圧が調光回路１１３０に供給される。加えて、センサが電球１１２４に組み込まれている場合など（例えば、図４３参照）、いくつかの実施形態では、１つ以上の信号は、制御装置１１２６と電球１１２４との間を直接的に通過してよい。いくつかの実施形態では、調光回路１１３０は、パルス幅変調を実行し、１つ以上の照明回路１１３２Ａ〜Ｃの輝度を制御できる。
【０１０９】
図４４と同様に、図４５は、一体型調光回路を含む照明アセンブリ１１４２を示す。照明アセンブリ１１４２は、電球アセンブリ１１４４と、ベースアセンブリ１１４６と、を含む。照明アセンブリ１１２２と同様に、電球アセンブリ１１４４は、３つの照明回路１１４８Ａ〜Ｃを有するものとして示される。照明回路１１４８Ａ〜Ｃは、結合機構１１５０に電気的に結合される。電球アセンブリ１１４４の結合機構１１５０は、ベースアセンブリ１１４６中の対応する結合機構１１５２と電気的かつ機械的に結合される。ベースアセンブリ１１４６は、結合機構１１５２に加え、制御装置１１５４と、電力インターフェース１１５６と、調光回路１１５８と、を含む。照明アセンブリ１１２２と同様に、電力インターフェース１１５６は、照明アセンブリ１１４２を電源（図示せず）に電気的に結合する。電力インターフェース１１５６は、電源から受信された電気信号を変換し、適合させ、切り替え、フィルタリングし、調節し、及び／又はインピーダンス整合を実施し、並びに、制御装置１１５４及び調光回路１１５８へ１つ以上の電気信号を提供する。電力インターフェース１１５６によって制御装置１１５４へ提供される電気信号は、制御装置１１５４の構成要素に電力を供給するのに適合する電気信号を含み、また、電球アセンブリ１１４４に電力を供給するのに適合する電気信号を含んでもよい。電球アセンブリ１１４４に電力を供給するのに適合する電気信号は、同様に、制御装置１１５４によって調光回路１１５８に、結合機構１１５２及び１１５０を経由して照明回路１１４８Ａ〜Ｃに提供されてよい。あるいは、電力インターフェース１１５６は、照明回路１１４８Ａ〜Ｃに電力を供給するのに適合する電気信号を、調光回路１１５８から直接的に供給してよい。
【０１１０】
調光回路１１５８は、同様に、結合機構１１５２及び１１５０を介して、制御装置１１５４から受信される１つ以上の信号に従って、照明回路１１４８Ａ〜Ｃに１つ以上の電気信号を提供する。当然のことながら、いくつかの実施形態は、３つを超える又は３つ未満の照明回路１１４８Ａ〜Ｃを有することができ、したがって、調光回路１１５８は、３種類を超える又は３種類未満の信号を提供できる。例えば、一部の電球アセンブリ１１４４（又は電球１１２４）は、単一の照明回路１１４８のみ、及び、調光回路１１５８から照明回路１１４８に提供される単一の信号のみを有してよい。
【０１１１】
ここで、代表的な調光回路ブロック１１６０を示す図４６を参照して、調光回路１１５８を説明する。調光回路１１６０では、電力インターフェース（例えば、電力インターフェース１１５６）によって、直接的又は制御装置（例えば、制御装置１１５４）を介して提供されてよい電気信号１１６２は、１つ以上のスイッチ１１６４Ａ〜Ｃを通って１つ以上の照明回路（例えば、回路１１４８Ａ〜Ｃ）に選択的に提供されてよい。複数の照明回路を有する照明アセンブリでは、各照明回路を選択的に切り替えることで、十分に複数のレベルの輝度を提供できる。すなわち、各照明回路が同程度の照明レベル（例えば、５０Ｗの白熱電球相当）を提供する場合、照明アセンブリの光出力は、その照明レベルの１倍、２倍、又は３倍（例えば、５０−１００−１５０Ｗの３段切り替え電球相当）であってよい。あるいは、複数の照明回路は、それぞれ異なるレベルで照明し、追加の照明レベルを提供できる。例えば、照明アセンブリが、２０、４０、及び８０Ｗの白熱電球相当の照明レベルを有する３つの照明回路を有する場合、２０、４０、６０、８０、１００、１２０、及び１４０Ｗ相当の照明レベルは、１つ、２つ、又は３つの照明回路に電力信号を選択的に提供することによって、もたらすことができる。
【０１１２】
あるいは、つまり図４６に追加されるように、トライアック回路１１６６Ａ〜Ｃは、各照明回路と、照明回路に選択的に電力を供給する対応するスイッチ１１６４Ａ〜Ｃとの間に配置されてよい。一般的に周知のように、トライアック回路１１６６Ａ〜Ｃは、トライアックに加えて、コンデンサと、可変抵抗器と、を備えてよい。個々のトライアック回路１１６６中の可変抵抗器の抵抗を変化させることにより、取り付けられた照明回路に提供されるエネルギー量（したがって、照明回路により発生される光量）が可変となってよい。スイッチ１１６４及びトライアック回路１１６６の組み合わせによって、照度を大きく変えるようにする。当然のことながら、実装される照明要素と互換性があり、本明細書に記載の照明回路での使用に適合した任意の既知の調光技術を使用できる。
【０１１３】
制御装置（例えば、制御装置１１５４）は、制御線１１６８Ａ〜Ｃを介して、スイッチ１１６４Ａ〜Ｃを入れるのに必要な制御信号を提供してよく、及び／又は、制御線１１７０Ａ〜Ｃを介して、各トライアック回路１１６６Ａ〜Ｃ中の可変抵抗器の抵抗を変えるのに必要な制御信号を提供してよい。いくつかの実施形態では、スイッチ１１６４Ａ〜Ｃは、ソリッドステートスイッチであってよい。いくつかの実施形態では、調光回路１１６０（又は調光回路１１６０に信号を提供する制御装置）は、例としてであり限定するものではないが、デジタル・アナログ変換器及びアナログ・デジタル変換器などの他の構成要素を備えてよい。
【０１１４】
照明アセンブリは、単一のユニット（図４４のように）として、又は結合サブアセンブリ（図４５のように）として実装されるかのいずれにせよ、１つ以上のセンサ及び／又は検出器を備えてよい。センサ／検出器として、１つ以上の光検出器、動作感知装置、音検出器、温度センサ、圧力センサ、電圧検出器、煙検出器、一酸化炭素検出器などを挙げてよい。１つ以上のセンサ及び／又は検出器はそれぞれ、ベースアセンブリ中に組み込まれてよく、電球アセンブリ中に組み込まれてよく、又は照明アセンブリに通信的及び／若しくは物理的に結合するのに適合するモジュールであってよい。図４７は、制御装置１１７４に電気的に結合される単一のセンサ１１７２を示す。制御装置１１７４は、制御論理ブロック１１７６と、Ｉ／Ｏブロック１１７８と、を含む。Ｉ／Ｏブロック１１７８は、入力信号の受信、又は出力信号の送信目的で実装される任意の回路を備えてよく、具体的には、センサ１１７２から信号を受信する、電源から１つ以上の電気信号を受信する、１つ以上の電気信号を電球へ出力する、１つ以上の制御信号を出力するなどの働きをしてよい。
【０１１５】
図４７は、汎用プロセッサ１１８０と、メモリ１１８２と、を含むものとして論理ブロック１１７６を示す。メモリ１１８２は、不揮発性メモリ及び揮発性メモリの一方又は両方を含んでよく、プロセッサ１１８０によって実行可能な命令を格納し、プロセッサ１１８０上で１つ以上の制御アルゴリズムを実行できる。メモリデバイス１１８２上に格納された命令によってそのようにプログラムされると、プロセッサ１１８０は専用プロセッサになることができる。１つ以上の制御アルゴリズムは、様々な刺激に応答して特定の作業を実行してよい。無制限に、代表的な制御アルゴリズムは以下を実行してよい。
（１）所定の閾値レベルを下回る光検出器（すなわち、光起電ダイオード）からの信号に応答して照明回路に通電する
（２）所定の閾値レベルを下回る光検出器からの信号に応答して照明回路を切断する
（３）所定の閾値レベルを上回る光検出器からの信号に応答して照明回路に通電する
（４）所定の閾値レベルを上回る光検出器からの信号に応答して照明回路を切断する
（５）光検出器からの減少していく信号に応答して照明回路の輝度を連続的に上げる
（６）光検出器からの減少していく信号に応答して照明回路の輝度を連続的に下げる
（７）光検出器からの増加していく信号に応答して照明回路の輝度を連続的に上げる
（８）光検出器からの増加していく信号に応答して照明回路の輝度を連続的に下げる
（９）音検出器からの信号に応答して照明回路に通電する
（１０）音検出器からの信号の欠如に応答して照明回路を切断する
（１１）動作感知装置からの信号に応答して照明回路に通電する
（１２）動作感知装置からの信号の欠如に応答して照明回路を切断する
（１３）煙の検出を示している煙検出器からの信号に応答して照明回路に通電する
【０１１６】
あるいは、論理ブロック１１７６は、ソフトウェアの代わりにハードウェアに実装されてよい。すなわち、プロセッサ１１８０及びメモリ１１８２の代わりに、論理ブロック１１７６は、フィールドプログラマブルゲートアレイ（ＦＰＧＡ）又はＡＳＩＣとして実装されてよい。
【０１１７】
いくつかの実施形態では、センサ１１７２は音検出器（例えばマイク）であり、制御装置１１７４と連携し、音検出器からの信号に応答して１つ以上のコマンドを実行する。特定の実施形態では、メモリ１１８２上に格納される命令を実行可能なコンピュータを用いて、プロセッサ１１８０が音声処理能力を含み、かつユーザーによって声に出して発せられ、音検出器によって検知される一連のコマンド（例えば「点灯」、「消灯」など）を認識するように構成してよい。別の実施形態では、論理ブロック１１７６は、プロセッサ１１８０に加えて、音声認識を実装するための専用プロセッサ（図示せず）、例えばデジタル信号プロセッサ（ＤＳＰ）、ＡＳＩＣ、ＦＰＧＡ、又は特別にプログラムされた汎用プロセッサを備えてよい。更に別の実施形態では、プロセッサ１１８０を、音声コマンド以外に（又は音声コマンドに加えて）聴覚信号を認識するよう構成してよい。例えば、プロセッサ１１８０を、手をたたく、口笛を吹くなどに応答して音検出器から送信される信号を認識するよう構成してよい。加えて、音検出に応答する制御を実装することにより、ユーザーがコマンドを発して、複数の照明アセンブリに影響を及ぼすのを可能にするような、連鎖制御又はホームオートメーション制御に対するインターフェースを提供できる。例えば、ユーザーは、「全て消灯」などのコマンドを発すると、照明アセンブリに、そのコマンドをホームオートメーション制御装置まで中継させる、及び／又は、直接別の照明アセンブリにコマンドを発するようにさせることができる。
【０１１８】
図４８は、照明アセンブリ１２００の実施形態を示す。照明アセンブリ１２００は、電球１２０２と、制御装置１２０４と、電力インターフェース１２０６と、を含む。電力インターフェース１２０６は、主電源１２０８に接続されてよい。いくつかの実施形態では、主電源１２０８は電源ライン（例えば、６０Ｈｚにおける１２０Ｖ  ＡＣ）であり、一方別の実施形態では、主電源１２０８は電力貯蔵デバイス（例えば、電池）である。電力インターフェース１２０６は、主電源１２０８からの電気信号を入力として受信してよく、制御装置１２０４及び電球１２０２の構成要素に電力供給が可能な１つ以上の電気信号を受信してよい。１つ以上の電気信号は、制御装置１２０４の構成要素に電力供給する第１電気信号と、電球１２０２に電力供給する第２電気信号と、を含んでよい。あるいは、電球１２０２及び制御装置１２０４が同じ電圧動作を要する場合、電力インターフェース１２０６は、単一の電気信号を制御装置１２０４及び電球１２０２に提供できる。
【０１１９】
電力インターフェース１２０６は、１つ以上の追加の信号を受信、及び／又は制御装置１２０４に提供してもよい。例えば、１つ以上のホームオートメーションプロトコル信号（例えば、Ｘ１０信号）を、主電源１２０８によって提供されるＡＣ信号で運んでよい。ホームオートメーションプロトコル信号を、電力インターフェース１２０６において、ＡＣ電気信号と共に受信してよい。電力インターフェース１２０６は、適当なフィルタリングを経て、ＡＣ電気信号からホームオートメーションプロトコル信号を分離してよく、ホームオートメーションプロトコル信号をデータ接続１２１０を介して制御装置１２０４に通過させてよい。同時に、電力インターフェース１２０６は、ＡＣ電気信号を（例えば、ＡＣ電気信号を低電圧ＤＣ電気信号に変換することによって）適切に調節でき、調節された信号を電力接続１２１２を介して制御装置１２０４に通過させ、その構成要素に対する動作電力を提供してよい。
【０１２０】
照明アセンブリ１２００、具体的には電力インターフェース１２０６は、二次電源１２１４に更に接続されてよい。二次電源１２１４は、二次電源ライン又は電力貯蔵デバイス、例えば電池又は容量デバイスであってよい。主電源１２０８のように、二次電源１２１４は、電力インターフェース１２０６に電気信号を提供してよく、そこから電力インターフェース１２０６は、電気的接続１２１２を介して、制御装置１２０４に１つ以上の電気信号を提供用に生じることができる。
【０１２１】
いくつかの実施形態では、電力インターフェース１２０６は、制御装置１２０４及び／又は電球１２０２に、主電源１２０８又は二次電源１２１４のいずれかから生じる電気信号を選択的に提供する。電力インターフェース１２０６は、１つ以上の判定基準に従って、主電源１２０８又は二次電源１２１４のいずれかを選択してよい。１つ以上の判定基準として、例としてであり限定しないが、主電源１２０８の利用可能性、主電源１２０８によって提供される電気信号の安定性、主電源１２０８によって提供される電気信号の質、主電源１２０８によって提供される電力コストなどを挙げてよい。主電源１２０８又は二次電源１２１４の間の選択に用いられる１つ以上の判定基準を評価するための回路及び／又はプログラム論理は、電力インターフェース１２０６、制御装置１２０４、又はその両方の一部であってよい。
【０１２２】
いくつかの実施形態では、主電源１２０８はＡＣ電源であってよく、一方二次電源１２１４は電池であってよい。主電源１２０８が不安定になる、又は利用できなくなる場合、制御装置１２０４及び／又は電力インターフェース１２０６は、電球１２０２（及び制御装置１２０４）を二次電源１２１４から操作させてよい。例えば、二次電源１２１４が容量デバイスである実施形態では、電力インターフェース１２０６及び／又は制御装置１２０４は、二次電源１２１４から電力をとり、主電源１２０８が起こす瞬時電圧低下中に、電球１２０２及び／又は制御装置１２０４に伝える。別の例では、二次電源１２１４として使用される容量デバイスは、電球１２０２中の１つ以上の照明回路の全て、又はそれより少ないものに、最大の又は低減した電力を供給するのに十分であってよく、電球１２０２が、主電源１２０８が使用できなくなった後の一定期間、完全に又は部分的に照明を継続できる。
【０１２３】
また、二次電源１２１４が電力貯蔵デバイスであるいくつかの実施形態では、主電源１２０８からの電力を用いて二次電源１２１４を充電してよい。主電源１２０８からの電力を用いる二次電源１２１４の充電は、電力インターフェース１２０６によって制御されてよい。加えて、又はあるいは、１つ以上の光起電デバイスを、二次電源１２１４へのエネルギー充電に提供してよい。図４８に示される照明アセンブリ１２００では、電球１２０２は、複数の光起電ダイオードを含む回路１２１６を含むものとして示される。光起電回路１２１６からの電力を用いて、二次電源１２１４を充電できる。
【０１２４】
図４９は、光起電回路を含む電球１２１８の１つの例示的な実施形態を示す。電球１２１８は、図２を参照して説明されるように、複数の別個の発光デバイスの多層材料の層上に配置された多層材料から形成される、直角円錐台の形態をとってもよい。多層材料及び／又は別個のダイオードデバイスは、重層化されたダイオード装置を形成する。特に、電球１２１８は、図２に示されるダイオード装置に類似の連続した装置から形成される装置１２２８であってもよい。
【０１２５】
図４９を再び参照すると、電球１２１８は、装置５２０の対応するダイオード層にそれぞれ対応し得る内面１２２０及び外面１２２２を有する。いくつかの実施形態では、内面１２２０上のダイオード及び外面１２２２上のダイオードは、発光ダイオードであってよいが、別の実施形態では、内面１２２０上のダイオードが発光ダイオードであってよく、外面１２２２上のダイオードが光起電ダイオードであってよい。このように、内面１２２０は光を収集し、その収集した光を保管のために（例えば第２電源１２１４）変換するよう適合されてもよく、その一方で、外面１２２２は、主電源１２０８／第２電源１２１４からのエネルギーを光に変換するよう適合されてもよい。
【０１２６】
主電源１２０８又は第２電源１２１４はのいずれかが電源ラインである必要はないということが理解される必要がある。実際に、いくつかの実施形態は、第２電源１２１４を省略してもよく、かつ主電源１２０８としてエネルギー保管デバイスを実装してもよく、いくつかの実施形態では、主要電源１２０８及び二次電源１２１４はネルギー保管デバイスであってもよい。例えば図４９に示される電球１２１８など、発光及び光起電デバイスの両方を有する電球に結合されたとき、照明装置は自己充電型であってもよい。例えば、１つの面上の光起電ダイオード（例えば上面１２２０）は、日中、光をエネルギーに変換し、エネルギー保管デバイスに充電し、同じ面又は異なる面（例えば下面１２２２）上の発光ダイオードは、保管されたエネルギーを夜に光に変換することができる。
【０１２７】
電球内の複数の照明回路の使用もまた、それ自体を他の用途に役立てる。いくつかの実施形態では、２つ以上の照明回路はそれぞれ、異なる色に、又は異なる色温度で発光する素子（例えば、フィラメント、ガス、ＬＥＤなど）に通電できる。第１及び第２照明回路の一方又は両方に選択的に通電することにより、装置から放射される光の色及び／又は色温度を選択できる。例えば、第１の複数の発光ダイオードが赤い光を放射し、第２の複数の発光ダイオードが青い光を放射してよい。したがって、第１及び第２照明回路を選択的に又は組み合わせて通電することにより、赤、青、又はマゼンダの照明を選択できる。第３照明回路が装置に追加される場合は、追加の色又は色温度の素子が第３照明回路上に被着されてよい。いくつかの実施形態では、第３照明回路は、緑の光を放射する複数の素子上に被着積されてもよい。赤、青、及び緑の発光ダイオードを別々の照明回路上で実施することは、赤、青、緑、マゼンダ、黄、シアン、又は白の光の選択を可能にする。
【０１２８】
いくつかの実施形態では、個々の照明回路それぞれは、調光回路、例えば図４６に示される調光回路１１６０に電気的に結合されてよい。各照明回路上のダイオードが放射する光の輝度を選択的に上げる又は下げることにより、装置１２３０によって放射される光の色を正確に制御できる。
【０１２９】
また、様々な電球形状と組み合わせて、複数の照明回路及び／又は複数の照明される面を使用するという概念も応用し、様々な、又は選択した照明パターンを達成できる。図５０は、様々な照明パターンをもたらすのに複数の面及び複数の照明回路を実装する電球１２４４の代表的な実施形態を示す。電球１２４４は、外面１２４６及び内面１２４８を有し、外面１２４６及び内面１２４８のそれぞれの発光ダイオードは、２つの個々の照明回路に電気的に結合される。１つの照明回路に通電して外面１２４６を照明すると、比較的広範囲に照明をもたらすことができ、一方、別の照明回路に通電して内面１２４８を照明すると、より狭い範囲に照明をもたらすことができる。当然のことながら、両方の照明回路に通電して外面１２４６及び内面１２４８の両方を照明すると、最大の照度を得ることができる。
【０１３０】
また、１つ以上のタイミング機能を、本明細書に記載する照明アセンブリの様々な実施形態で実装してもよい。いくつかの実施形態では、毎日のタイマー機能を操作し、毎日の予めプログラムされた時間に、電球内の１つ以上の照明回路に通電する。有利には、毎日のタイマー機能を実装する実施形態は、毎日の照明予定を実施するために、別個の外部タイマーデバイスを必要としない。別の又は追加の実施形態では、１つ以上のタイマー機能は、トリガーイベントからプログラム可能な期間を終了した後、電球の照明回路を切るようにプログラム可能であってよい。トリガーイベントとは、照明を点灯する（例えば、動作感知装置による、スイッチによるなど）ことであってよく、又は他の別のイベント（例えば、時刻、プログラムされた光レベルの検出など）であってよい。更に別の又は追加の実施形態では、１つ以上のタイマー機能は、トリガーイベントからプログラム可能な期間を終了した後、電球の照明回路を入れるようにプログラム可能としてよい。
【０１３１】
照明アセンブリに関して本明細書に記載する様々な機能が、互いに組み合わせて実装できることは明らかであろう。例えば、調光機能は、色及び／又は照明パターンを調節する複数の照明回路と連携して作動できる。センサ及び／又は検出器は、音又は動作の検出、暗さの検出などによって１つ以上の照明回路を照明し、かつ所定の期間が経過した後に照明を消すタイミング機能と連携して作動できる。ホームオートメーション又はリモコン接続性（例えば、Ｘ１０準拠、携帯機器アプリケーションなど）を、タイミング機能、方向選択、色選択、動作、音、及び光検出器、連鎖制御接続性、並びに調光回路と協働させ、検出器の感度、照明構成、タイマー値などのプログラミングを可能にしてよい。連鎖制御接続性を、動作、音、及び／又は光検出器と連携して作動し、単一の検出器が複数の照明デバイスを制御するのを可能にしてよい。
【０１３２】
照明アセンブリの設置段階で、機能性を組み込み、有効化し、又はアクセス可能とすることは、厳密には必須ではない。いくつかの実施形態では、１つ以上の機能を実装するのに必要なハードウェア及び／又はソフトウェアは、照明アセンブリ中に存在してよいが、無効化又はアクセス不可能であってよい。実装によって、照明アセンブリの購入及び／又は設置後に１つ以上の機能を有効化してよい。例えば、オートメーション制御装置に購入したコードを入力すると、ホームオートメーション制御装置から出されるコマンドによって、ある機能（例えば、調光器機能）を有効にしてよい。照明アセンブリがベースアセンブリ及び分離可能な電球アセンブリを含む実施形態では、ベースアセンブリが無効化機能を備えてよく、これは、ベースアセンブリが無効化機能をサポートする電球アセンブリに結合すると、有効化されてよい。しかし１つの例として、プログラムされた機能、及び動作検出の実装が可能な回路を有するベースアセンブリは、ベースアセンブリが一体型動作検出センサを有する電球アセンブリに結合したときのみに、その機能を有効化又は使用可能にすることができる。
【０１３３】
いくつかの実施形態では、使用したり、有効化したりすることはできないが、いくつかの機能が存在してよい。有利には、このような実施形態は、メーカーが、１つ以上の任意機能を消費者に提供すると同時に、単一のハードウェア実装のみを製造可能にできる。すなわち、同一のハードウェアを有する第１及び第２デバイスを、製造プロセス中にプログラムし、例えば、メモリデバイス、具体的には読み取り専用メモリ（ＲＯＭ）デバイス中でフラグビットを用いることにより、様々な機能を可能にすることができる。
【０１３４】
関連して、いくつかの実施形態は、１つ以上のモジュールインターフェース接続を実装できる。図５１Ａは、ベースアセンブリ１２５０の実施形態のブロック図である。ベースアセンブリ１２５０は、制御装置１２５２と、電力インターフェース１２５４と、結合インターフェース１２５６と、を含む。加えて、ベースアセンブリ１２５０は、モジュールインターフェース１２５８を含む。モジュールインターフェース１２５８は、制御装置１２５２に、ベースアセンブリ１２５０の外にある１つ以上のモジュールを電気的に結合するのに、場合によっては、ベースアセンブリ１２５０に、１つ以上のモジュールを機械的に結合するのに、適合させてよい。モジュールインターフェース１２５８は、１つ以上の物理的かつ電気的インターフェースを提供し、１つ以上の外部モジュールに対応できる。１つ以上の物理的インターフェースを標準化してよいが、１つ以上の物理的インターフェースを、特定のモジュール又は特定のモジュールの一部に適合させ、一方１つ以上の別の物理的インターフェースを、異なるモジュールに適合させてよい。いくつかの実施形態では、モジュールインターフェース１２５８は、外部モジュール上の対応するプラグのレセプタクルとして形成される、１つ以上の物理的インターフェース及び電気的インターフェースを含む。
【０１３５】
いくつかの実施形態では、モジュールインターフェース１２５８は、少なくとも一部は、結合インターフェース１０３９に対応してよい。図５１Ｂは、モジュールインターフェース１２５８が結合インターフェース１０３９に対応する、モジュール機能構成を実装する照明アセンブリの代表的な実施形態のブロック図である。図５１Ｂでは、ベースアセンブリ１０２０は、結合インターフェース１０３９と、センサ１０３４と、制御装置１０３０と、通信インターフェース１０３２と、電源インターフェース１０２８と、を含むものとして示される。同様に、電球アセンブリ１０２２は、発光素子１０４４と、センサ１０４６と、結合インターフェース１０４３と、を含むものとして示される。
【０１３６】
各結合インターフェース１０３９及び１０４３は、それぞれ電力インターフェース１０３６及び１０４０を、それぞれデータインターフェース１０３８及び１０４２を含む。制御装置１０３０は、基本的機能を実装してよく、又は実装された機能を必要としない実施形態では、制御装置１０３０をベースアセンブリ１０２０から完全に省略してもよい。図５１Ｂのような実施形態では、モジュール１２５１を、電気的に、ある実施形態では物理的に、ベースアセンブリ１０２０と電球アセンブリ１０２２との間に配置してよい。モジュール１２５１は、結合インターフェース１２５３（ベース−モジュール結合インターフェース）及び結合インターフェース１２５５（電球−モジュール結合インターフェース）を有し、ベースアセンブリ１０２０の結合インターフェース１０３９、及び電球アセンブリ１０２２の結合インターフェース１０４３の対応するものに、電気的に、いくつかの実施形態では物理的にそれぞれ適合する。すなわち、結合インターフェース１０３９の電力インターフェース１０３６は、結合インターフェース１２５３の電力インターフェース１２５７に結合してよく、結合インターフェース１０３９のデータインターフェース１０３８は、結合インターフェース１２５３のデータインターフェース１２５９に結合してよく、結合インターフェース１０４３の電力インターフェース１０４０は、結合インターフェース１２５５の電力インターフェース１２６１に結合してよく、結合インターフェース１０４３のデータインターフェース１０４２は、結合インターフェース１２５５のデータインターフェース１２６３に結合してよい。ベース−モジュール結合インターフェース１２５３は、ベースアセンブリ１０２０から、結合インターフェース１２５３中の電力インターフェース１２５７、及び結合インターフェース１０３９中の電力インターフェース１０３６を介して、電気信号を受信できる。いくつかの実施形態では、ベース−モジュール結合インターフェース１２５３は、結合インターフェース１０３９中の相補的誘導結合素子に結合する誘導結合素子を備えてよい。いくつかの実施形態では、ベース−モジュール結合インターフェース１２５３は、ベースアセンブリ１０２０から、結合インターフェース１２５３中のデータインターフェース１２５９、及び結合インターフェース１０３９中のデータインターフェース１０３８を介して、データ信号を受信できる。
【０１３７】
モジュール１２５１は、結合インターフェース１２５３及び１２５５に電気的に結合される、モジュール機能ブロック１２６５を備えてよい。モジュール機能ブロック１２６５は、プロセッサ、センサ、メモリ、ＦＰＧＡ、ＡＳＩＣ、ファームウェア、ソフトウェア、別個の構成要素などを含むがこれらに限定されない、所望の機能の実装に必要な任意の回路及び／又はプログラミングを備えてよい。いくつかの実施形態では、モジュール機能ブロック１２６５は、日々の点灯／消灯タイマー機能、又は遅延点灯／消灯タイマー機能などのタイマー機能を実装してよい。いくつかの実施形態では、モジュール機能ブロック１２６５は動作感知装置機能を実装してよく、動作を検出するセンサと、動作の検出に応答する制御機能を実装するのに必要な回路及び／又はプログラミングと、を備えてよい。いくつかの実施形態では、モジュール機能ブロック１２６５は、照明アセンブリ中の１つ以上の照明回路の強度を制御する、又はユーザーに制御させるための、１つ以上の調光機能を実装してよい。いくつかの実施形態では、モジュール機能ブロック１２６５は、照明アセンブリ中の１つ以上の回路より多く、制御装置又は追加の制御装置（例えば伸張回路）を実装し、照明に関する色、色温度、照明方向、及び／又は照明する面を制御してよい。例えば、ベースアセンブリが単一の照明回路のみに対する制御装置を実装する場合、モジュール１２５１、具体的には機能ブロック１２６５は、例えばベースから１回の電力入力を受信し、モジュールから電球アセンブリへ、２つの個々に独立して制御可能な電力出力を実行することにより、２つの照明回路の制御装置を実装できる。
【０１３８】
したがって、モジュール１２５１は、結合インターフェース１２５３を介して１つ以上の信号を受信でき、１つ以上の受信された信号を、機能ブロック１２６５によって実装される機能に従って変更でき、インターフェース１２５５を介して１つ以上の変更された第２信号を提供できる。ほんの一例として、モジュール１２５１は調光機能を実装してよく、したがって、ベースアセンブリから電気信号（例えばＡＣ電気信号）を受信し、受信された電気信号を（例えば、信号を切り替える、信号の電圧を下げる、信号を変調するなどによって）変更し、変更された電気信号を結合インターフェース１２５５を介して電球アセンブリ１０２２に提供できる。いくつかの実施形態では、変更された電気信号を、結合インターフェース１０４３中の相補的誘導結合素子に結合する、結合インターフェース１２５５中の誘導結合素子を介して、電球アセンブリ１０２２に提供してよい。
【０１３９】
モジュール機能ブロック１２６５は、電球アセンブリ１０２２及び／又はベースアセンブリ１０２０中の回路及び／又はプログラミングとも協働し、モジュール１２５１に関する機能を実装することができる。例えば、示されるように、ベースアセンブリ１０２０は制御装置１０３０を備えてよい。モジュール機能ブロック１２６５は、制御装置１０３０と協働可能なセンサ（図示せず）を含み、制御装置１０３０が追加機能を実装することを可能にできる。当然のことながら、制御装置１０３０を予めプログラムし、モジュール１２５１の追加によって追加機能を実装してよく、又はモジュール１２５１に付随する機能を実装するために、アップデートを必要としてよい。いくつかの実施形態では、モジュール機能ブロック１２６５は、照明アセンブリ中の別の構成要素をアップデートする、例えば制御装置１０３０に関連するプログラムをアップデートする手段を含む。あるいは、いくつかの実施形態では、別のインターフェース（例えば通信インターフェース１０３２）を介して、制御装置１０３０をアップデートしてよい。同様に、モジュール機能ブロック１２６５は、センサ、つまり電球アセンブリ１０２２中のセンサ１０４６と協働してよい。
【０１４０】
当然のことながら、モジュール機能ブロック１２６５は、電球アセンブリ１０２２及びベースアセンブリ１０２０のいずれか、又は両方と、それぞれ結合インターフェース１２５５及び１０３９を介して、通信できる。いくつかの実施形態では、例えば、モジュール１２５１、具体的にはモジュール機能ブロック１２６５は、ベースアセンブリ１０２０とモジュール１２５１との間のデータを、データインターフェース１０３８及びデータインターフェース１２５９を介して受信及び又は送信しながら、ベースアセンブリ１０２０から、電力インターフェース１０３６及び電力インターフェース１２５７を通って動作電力を受信できる。いくつかの実施形態では、電球アセンブリ１０２２は、ベースアセンブリ１０２０によってモジュール１２５１に提供された動作電力を、モジュール１２５１から電力インターフェース１２６１及び電力インターフェース１０４０を介して受信でき、ベースアセンブリ１０２０及び／又はモジュール１２５１と、データインターフェース１２６３及びデータインターフェース１０４２を介してデータ交換できる。電力及び／又はデータの一方若しくは両方、又はその一部は、モジュール機能ブロック１２６５の回路を通過でき、又はモジュール機能ブロック１２６５を迂回して、モジュール１２５１の結合インターフェース１２５３と１２５５との間を直接的に通過できる。
【０１４１】
図５１Ｃ及び５１Ｄはそれぞれ、ベースアセンブリ１２６７及び付随するモジュール１２６９の斜視図及び側面図を示す。示される実施形態では、ベースアセンブリ１２６７は、凹状の形状の結合面１２７１を有し、対応する形状の凸面、例えばモジュール１２６９上の凸面１２７３、又は電球アセンブリ（図示せず）上の凸面（図示せず）と結合する。更に示される実施形態では、コネクタレセプタクル１２７５は、コネクタレセプタクル１２７５の開口部１２７７が面１２７１と同一平面にあるように配置される。コネクタレセプタクル１２７５は、モジュール１２６９の面１２７３から延びる、対応するプラグコネクタ１２７９と嵌合するように適合される。図５１Ｃ及び５１Ｄに示されるモジュール１２６９はディスク形状である。すなわち、モジュール１２６９は、直径Ｄに対して小さい厚みＴを有する。また、モジュール１２６９は、面１２７１と曲率（例えば凸部）が同一（又は少なくとも同等）の面１２８１も有し、モジュール１２６９がない場合に、面１２７１を介して面ベースアセンブリ１２６７と結合するよう適合される電球アセンブリ（図示せず）が、同様に面１２８１を介してモジュール１２６９に結合できるようにする。モジュール１２６９は、コネクタレセプタクル１２８３の開口部１２８５が面１２８１と同一平面にあるように、モジュール１２６９内に配置されるコネクタレセプタクル１２８３を同様に備えてよい。
【０１４２】
当然のことながら、いくつかの実施形態では、面１２７１及び／又は１２８１の曲率は、図５１Ｃ及び５１Ｄに示すものと異なっていてもよく、又は面１２７１及び／又は１２８１は全く湾曲していなくてもよい。加えて又はあるいは、いくつかの実施形態では、コネクタレセプタクル１２７５及び１２８５、並びにコネクタプラグ１２７９は、図５１Ｃ及び５１Ｄに示すものと異なる形状を有してよい。面１２７１と同一平面に配置されるコネクタレセプタクル１２７５の開口部１２７７を有する代わりに、例えば、レセプタクル１２７５全体が面１２７１から突き出てよく、コネクタプラグ１２７９がモジュール１２６９の面１２７３内に引っ込んでいてよい。更に別の実施形態では、ベースアセンブリ１２６７及びモジュール１２６９のそれぞれのデータ及び／又は電力接続は、コネクタレセプタクル１２７５及びコネクタプラグ１２７９の代わりに（又は加えて）、面１２７１及び１２７３を通過してよく、又はコネクタレセプタクル１２７５及びコネクタプラグ１２７９を完全に省略してもよい。
【０１４３】
照明アセンブリにハードウェアを追加することによる追加機能の実装を目的として、外部モジュールが企図されるが、いくつかの実施形態では、外部モジュールは、照明アセンブリが、外部モジュールへの接続に先立って可能であるが、それ以前に無効化又は利用できなかった１つ以上の機能を有効化又は使用可能にするためだけに役立たせてよい。すなわち、いくつかの実施形態では、外部モジュールは、機能を有効化する「ドングル」としての機能を果たしてよい。別の実施形態では、外部モジュールは、動作感知装置、音検出器、光検出器、二次電源、予備電源、光起電充電デバイス、タイマー機能、及び／又はリモコン接続性（例えば、リモコン、連鎖制御、ホームオートメーションシステムとの互換性など）の実装のために、ハードウェア及び／又はソフトウェア及び／又はファームウェアを備えてよい。外部モジュールとの接続性を実装する実施形態は、例えば、室外にあるセンサが、室内にある照明アセンブリの照明を制御する場合など、センサが照明アセンブリの近位以外の位置にあることが望ましい場合に、特に有利であり得る。
【０１４４】
上記のように、図３８Ｃ及び３８Ｄに示される照明アセンブリに関して、モジュール１２６９は、ベースアセンブリ１２６７及び／又は電球アセンブリと協働し、照明アセンブリにロックとキー機能を提供してよい。例えば、モジュール１２６９は、コネクタ１２７９及び１２７５を介して、ベースアセンブリ１２６７、具体的にはベースアセンブリ１２６７中の制御装置と通信できる、電子的キーデバイス（図示せず）を備えてよい。また、モジュール１２６９は、電球アセンブリ中の電子的キーデバイスへ／電子的キーデバイスから１つ以上の信号を通過させ、第２のロックとキー機能を実装することもできる。すなわち、制御装置は、１つ以上のモジュール及び１つ以上の電球アセンブリ中の電子的キーデバイスに電力を供給し、１つ以上の電子的キーデバイスから受信したデータを確認及び／又は解釈し、並びに、ベースアセンブリ、モジュール、及び／又は電球アセンブリにおいて特徴又は機能を独立して、又は任意の組み合わせで実装することを可能にできる。
【０１４５】
いくつかの実施形態では、外部モジュールは、対応モジュールと協働し、ユーザー補助機能を達成できる。例えば、電話用ジャックへの差し込み、又は携帯電話への接続に適合するモジュールは、モジュールインターフェース１２５８を介してベースアセンブリ１２５２に結合するよう適合するモジュールと協働し、照明アセンブリに電話の着信を（例えば、ちらつき、点滅などにより）示させることができる。別の例として、モジュールインターフェース１２５８を介してベースアセンブリ１２５２に結合するよう適合するモジュールは、警報デバイス（例えば、煙検出器、一酸化炭素検出器、セキュリティシステム、ドアベル、ベビーモニターなど）と接続するモジュールと協働し、照明アセンブリに１つ以上の警報デバイスに関係する１つ以上の状態を（例えば、ちらつき、点滅などにより）示させることができる。ベースアセンブリ１２５２を他のデバイスに結合するための通信機能の実装に加えて、外部モジュールは、ストロボ又はＬＥＤ表示器などの視覚信号デバイスを備えてもよい。当然のことながら、いくつかの実施形態では、ユーザー補助機能は、ベースアセンブリ１２５０への外部モジュールの接続によって追加され得るが、同じユーザー補助機能をベースアセンブリ内に実装することもできる。
【０１４６】
また、照明アセンブリは、様々な視覚又は可聴表示器を備えて、照明アセンブリに組み込まれる様々な機能の動作を示すこともできる。いくつかの実施形態では、照明アセンブリ、具体的には照明アセンブリのベースは、１つ以上の従来のＬＥＤ表示灯を備えてよい。ＬＥＤ表示灯は、例えば、照明アセンブリが電源に接続されたこと、タイミング機能が有効になったこと、光検出器が有効になったこと、又は電球アセンブリ中の１つ以上の特定の照明回路に通電されたことを示すことが可能であってよい。ＬＥＤ表示灯は、ベースの側部に組み込まれる個々のＬＥＤランプであってよい。あるいは、ＬＥＤ表示器は、ベースの外周に延びる１つ以上の環状の光パイプを照明してもよい。いくつかの実施形態では、同様の表示器は、電球アセンブリに組み込まれてもよい。例えば、１つ以上の照明回路が、電球の面上に環状表示器を形成してよく、又は電球の面上に小さい表示領域を形成してよい。
【０１４７】
様々な制御機構をベース及び／又は電球アセンブリに組み込み、照明アセンブリに組み込まれる機能の制御を可能にしてよい。図５２に示されるものなどのいくつかの実施形態では、ベースアセンブリ１２７０は、１つ以上の環状制御リング１２７２、１２７４を備えてよい。図５２に示される実施形態では、環状制御リング１２７２、１２７４は、ユーザーが、ベースアセンブリにタイマー機能を構成することを可能にする。具体的には、ユーザーは、環状制御リング１２７２上の表示器１２７６を、ベースアセンブリ１２７０上に示される複数の時間１２７８のうちの１つと揃え、タイマー機能の「点灯」時間を設定してよい。ユーザーは、環状制御リング１２７４上の表示器１２８０を、ベースアセンブリ１２７０上に示される複数の時間１２７８のうちの１つと揃え、タイマー機能の「消灯」時間を設定してよい。
【０１４８】
加えて又はあるいは、環状制御リングは、別の機能の制御を実装してよい。例えば、図５３は、環状制御リング１２８４及び１２８６が、それぞれ電球アセンブリ（図示せず）中の２つの照明回路を制御する、ベースアセンブリ１２８２を示す。各環状制御リング１２８４及び１２８６は、対応する環状制御リング１２８４又は１２８６を回転することにより、対応する照明回路が、取り付けられた照明要素を選択的に通電し、明るく、及び暗くさせることができる表示器１２８８を含む。
【０１４９】
また、多位置スイッチを用いて、様々な機能の制御を実装してもよい。図５４は、２つの二位置スイッチ１２９２及び１２９４を有するベースアセンブリ１２９０を示す。スイッチ１２９２及び１２９４はそれぞれ、付随する照明回路に通電又は切断するよう操作でき、各照明回路に取り付けられる照明要素のスイッチを入れる又は消すことができる。スイッチ１２９２及び１２９４のそれぞれを「点灯」位置に動かすことで、ユーザーは、取り付けられた電球アセンブリ（図示せず）中の第１及び第２照明回路のそれぞれに通電することができ、対応する照明回路に結合された照明要素を照明させられる。当然のことながら、ベースアセンブリ１２９０は、２つのスイッチ１２９２及び１２９４を有するように示されるが、ベースアセンブリ１２９０は、より多い又はより少ないスイッチを有してもよい。加えて、スイッチ１２９２及び１２９４は、電球アセンブリ中の対応する照明回路を制御するように示されるが、スイッチ１２９２及び１２９４は、別の機能もまた（又は代わりに）制御できる。例えば、スイッチ１２９２及び１２９４は、電球アセンブリの上面及び下面に対応する照明回路を制御することにより、電球アセンブリによって提供される光の方向と種類と制御できる。スイッチ１２９２及び１２９４は、二位置スイッチによる制御に適しているタイマー機能、センサ機能、調光機能、又は任意の他の機能を有効化又は無効化することもできる。更に、スイッチ１２９２及び１２９４は二位置スイッチとして示されるが、他の数（例えば、３、４、５など）の位置を有するスイッチを用いて、照明アセンブリの機能を制御できることも明らかである。
【０１５０】
図５５に示されるように、いくつかの実施形態では、ベースアセンブリ１３００は１つ以上の摺動機構１３０２を実装し、ベースアセンブリ１３００に付随する１つ以上の機能を制御する。図５５では、摺動機構１３０２は、「暗」と表示される末端部１３０４と、「明」と表示される末端部１３０６との間の連続範囲の位置を動かすことができる、調光制御装置として示される。別の実施形態では、摺動機構１３０２を操作し、センサの感度を設定する、又はタイマーを設定する（例えば、設定可能な時間後消灯する）ことができる。いくつかの実施形態では、摺動機構１３０２は、電球アセンブリ（図示せず）から放射される光の色を制御してよい。摺動機構１３０２は、例えば、アナログ・デジタル変換器に印加される電圧を変え、各照明回路が結合し、照明要素が異なる波長で放射している状態で、ベースアセンブリ１３００中の制御装置（図示せず）に、電球中の２つ以上の照明回路それぞれを選択的に暗く及び／又は明るくさせることができる。
【０１５１】
図５６に示される実施形態などの、更に別の実施形態では、ベースアセンブリ１３１０は、電子的ユーザーインターフェースモジュール１３１２を備えてよい。電子的ユーザーインターフェースモジュール１３１２は、ディスプレー（例えば、ＬＥＤ、ＬＣＤ、又は電気泳動ディスプレー）１３１４と、１つ以上のボタン１３１６〜１３２２と、を備えてよい。電子的ユーザーインターフェースモジュール１３１２を操作し、電球アセンブリの機能を制御してよい。モジュール１３１２を操作してタイマー機能を制御する場合、例えば、ボタン１３１６は、ユーザーが、モジュール１３１２を「タイマー入」モードに、又は「タイマー切」モードにすることを可能にでき、ボタン１３１８は、ユーザーが、現在時刻、「入」時刻、及び／又は「切」時刻を設定することを可能にでき、ボタン１３２０及び１３２２は、ユーザーが、設定された値を上げる（ボタン１３２０）又は下げる（ボタン１３２２）ことを可能にできる。類似する電子的ユーザーインターフェースモジュール１３１２を実装し、様々なセンサの感度が挙げられるが、これらに限定されない他の機能を制御できる。
【０１５２】
電球アセンブリとベースアセンブリとの間の対話により、照明アセンブリの１つ以上の機能を制御することもできる。図５７及び５８はそれぞれ、ベースアセンブリ１３３０の平面図及び斜視図である。結合機構１３３４の面１３３２は、くぼみとして形成される溝１３３６を含む。くぼみとして形成される溝１３３６内に配置される摺動機構１３３８は、制御装置（図示せず）に電気的に結合される。図５７に示される実施形態では、結合機構１３３４は更に、面１３３２の中央部１３４４に位置する凹部１３４２に配置された磁気アセンブリ１３４０を含む。磁気アセンブリ１３４０は、少なくとも１つの磁気素子を含む。凹部１３４２内に配置され、結合機構１３３４の面１３３２の中心に置かれる単一の磁気素子として示されるが、結合機構１３３４は、複数の磁気アセンブリ１３４０を備えてよく、磁気アセンブリ１３４０は、結合機構１３３４の中心に置かれる必要はなく、面１３３２からくぼんでいる必要はない。更に、別の物理的結合機構（差し込み、ねじ付き面など）が、ベースアセンブリ１３３０と電球アセンブリとの間の物理的接続をもたらし得る時、結合機構１３３４は、磁気アセンブリ１３４０を全く含む必要はない。
【０１５３】
いずれにせよ、ここで図５９を参照して、摺動機構１３３８は、電球アセンブリ１３５０の結合機構１３４８上の作動ピン１３４６を受容するよう適合される。ベースアセンブリ１３３０の結合機構１３３４と嵌合するとき、結合機構１３４８の面１３５２は、ベースアセンブリ１３３０の面１３３２と同一平面に位置するように適合される。面１３５２の中央部において、磁石であってよい磁気的係合可能面１３５４が配置され、磁気アセンブリ１３４０を介して、電球アセンブリ１３５０をベースアセンブリ１３３０に磁気的に結合する。結合機構１３３４及び１３４８が互いに係合するとき、作動ピン１３４６が、摺動機構１３３８中のピン収容部１３３９に収容されるように、作動ピン１３４６が配置される。作動ピン１３４６は、電球アセンブリ１３５０の底面図である図６０に示される、凹部１３５６内に配置されてよい。作動ピン１３４６及び凹部１３５６が協調し、作動ピン１３４６を摺動機構１３３８に係合させ、くぼみとして形成される溝１３３６内で摺動機構１３３８を移動させることを可能にできる。
【０１５４】
図６１は、ベースアセンブリ１３６０の実施形態の斜視図を示す。ベースアセンブリ１３６０は、２つの環状制御リング１３６２及び１３６４を含む。示される実施形態では、環状制御リング１３６２を操作して、取り付けられた電球アセンブリ（図示せず）の照明の強度を制御し、一方環状制御リング１３６４を操作して、取り付けられた電球アセンブリの照明の方向を制御する。選択表示器１３６６は、環状制御リング１３６２及び１３６４それぞれの現在の設定を示す。示されるように、例えば、環状制御リング１３６２は、６０ワット（又は相当）の設定であることを示す「６０Ｗ」に位置し、環状制御リング１３６４は「ランプ」に位置する。環状制御リング１３６２は、電球アセンブリの１つ以上の照明回路の端子間の電圧を変えることにより、電球アセンブリの異なる照明回路を選択することにより、電球アセンブリの照明回路をベースアセンブリ１３６０の異なる回路に結合するなどによって、操作できる。
【０１５５】
更に、図６１は、環状制御リング１３６２を「４０Ｗ」、「６０Ｗ」、及び「１００Ｗ」と表示される位置を有するものとして示しているが、任意の所望の方法でスイッチ位置を表示できる。例えば、限定されないが、各位置の表示は、白熱光のワット数に基づく光の輝度を示してよく、ベースアセンブリで用いる電球の実際のワット数を示してよく、又は単に「低」、「中」、及び「高」、並びに「１」、「２」、及び「３」などを示してもよい。加えて、環状制御リング１３６２は、ベースアセンブリ１３６０中の制御装置に結合して、制御装置の挙動を変え（例えば、制御装置に調光回路の挙動を変更させる、制御装置が電球アセンブリを様々な回路に結合させる、又は制御装置の出力を変える）、ベースアセンブリ１３６０中の調光器に結合して、調光器の出力を変え、又はベースアセンブリ１３６０中の複数の回路に結合できる。
【０１５６】
同様に、ベースアセンブリ１３６０の環状制御リング１３６４は、電球アセンブリから放射される光の方向を制御できる。図６２Ａ及び６２Ｂは、２種類の設定である「凹部」及び「ランプ」のそれぞれの位置を選択するよう位置する、環状制御リング１３６４を示す。図６２Ａに示されるように、環状制御リング１３６４を「ランプ」設定に調節すると、図６４Ａに示されるように、電球及びベースアセンブリが（共に）、突き出し燭台式電灯１３７４として取り付けられる場合に望ましいように、電球アセンブリ１３６８に、電球アセンブリ１３６８の第１端部に配置された第１照明要素１３７０を照明させることができる。一方、環状制御リング１３６４を「凹部」設定に調節すると（図６２Ｂに示されるように）、図６４Ｂに示されるように、電球及びベースアセンブリが（共に）、凹部の照明付属品１３７６に取り付けられる場合に望ましいように、電球アセンブリ１３６８に、電球アセンブリ１３６８の第２端部に配置された第２照明要素１３７２を照明させ、電球アセンブリの末端部１３７４から照明をもたらすことができる。
【０１５７】
いくつかの実施形態では、環状制御リング１３６４の作動によって操作し、例えば、ベースアセンブリ１３６０中の１つ以上の端子を選択的に通電することにより、又は、（例えば、電球アセンブリ１３６８に送信される制御信号によって）電球アセンブリ１３６８中のスイッチに、電球アセンブリ１３６８中の１つ以上の照明回路を、ベースアセンブリ１３６０上の端子に選択的に結合させることにより、電球アセンブリ１３６８中の１つ以上の照明回路を選択的に通電できる。更に、図６１、６２Ａ、６２Ｂ、６４Ａ、及び６４Ｂは、環状制御リング１３６４を「凹部」及び「ランプ」と表示される位置を有するものとして示しているが、任意の所望の方法で位置を表示できる。例えば、限定されないが、各位置の表示は、照明される面（例えば「内側」又は「外側」）を示してよく、又は、イラスト（例えば、突き出し燭台式の絵と凹部の絵、様々な照明パターンを有する電球の絵など）であってもよい。
【０１５８】
加えて、いくつかの実施形態では、照明要素の２つ以上の区分が電球アセンブリ中の対応する照明回路に結合してよい。例えば、図６３Ａ、６３Ｂ、及び６３Ｃは、「直接」、「間接」、及び「全面」の３つの設定のそれぞれを選択するよう位置する環状制御リング１３６５を有するベースアセンブリ１３６１を示す。図６３Ａに示されるように、環状制御リング１３６５を「直接」設定を選択するよう調節すると、ベースアセンブリ１３６１中の第１端子に選択的に通電し、取り付けられた照明要素の第１部分を照明でき、一方、図６３Ｂに示されるように、環状制御部１３６５を「間接」設定を選択するよう調節すると、ベースアセンブリ１３６１中の第２端子に選択的に通電し、取り付けられた照明要素の第２部分を照明できる。図６３Ｃに示されるように、環状制御リング１３６５を「全面」設定を選択するよう調節すると、ベースアセンブリ１３６１中の第１及び第２端子の両方に選択的に通電し、取り付けられた照明要素の第１及び第２部分の両方を照明できる。
【０１５９】
図６５Ａ、６５Ｂ、及び６５Ｃは、ベースアセンブリ１３６１に設置された電球アセンブリ１３７７を含む照明アセンブリ１３７５を示す。第１部分１３７９及び第２部分１３８１を有する電球アセンブリ１３７７が示される。図６５Ａでは、環状制御リング１３６５が、図６３Ａのように「直接」照明設定を選択するよう位置し、第１部分１３７９を照明させ（例えば、第１指向性照明要素（図示せず）により）、一方第２部分１３８１が暗いままである、ベースアセンブリ１３６１を示す。これは、例えば、直接読書灯を提供するのに望ましい。図６５Ｂでは、環状制御リング１３６５が、図６３Ｂのように「間接」照明設定を選択するよう位置し、第２部分１３８１を照明させ（例えば、第２指向性照明要素（図示せず）により）、一方第１部分１３７９が暗いままである、ベースアセンブリ１３６１を示す。これは、例えば、柔らかい周辺光効果を提供するのに望ましい。図６５Ｃでは、環状制御リング１３６５が、図６３Ｃのように「全面」照明設定を選択するよう位置し、第１及び第２部分１３７９及び１３８１の両方を照明させる（例えば、第１及び第２指向性照明要素により）、ベースアセンブリ１３６１を示す。これは、例えば、バランスのとれた及び／又は最大の照明を提供するのに望ましい。当然のことながら、第１及び第２部分１３７９及び１３８１は、電球アセンブリ１３７７の２つの、ほぼ同じ大きさの部分を形成するものとして図６５Ａ〜６５Ｃに示されるが、アセンブリの分割又は区分の可能性は制限されない。例としてであり限定しないが、電球アセンブリの区分は、垂直、水平、又は任意のその他望ましいパターンであってよい。同様に、２つの区分又は部分を有するものとして示されるが、照明要素は、２つ超又は未満の区分又は部分を有してよい。例えば、突き出し燭台式電灯に配置され得る実施形態では、照明要素は、３つの部分、すなわち、照明要素の表面積の２５パーセントからなる第１部分（例えば、第１読書灯をもたらす）、照明要素の表面積の異なる２５パーセントからなる第２部分（例えば、第２読書灯をもたらす）、及び照明要素の表面積の残りの５０パーセントからなる第３部分（例えば、間接光をもたらす）を有する。同様に、照明要素が４つの区分又は部分を有する実施形態では、各部分は照明要素の表面積の２５パーセントからなる。更に、例えば、２枚の壁で形成される９０度の角に配置され得る実施形態では、照明は、２つの区分又は部分、すなわち、照明要素の表面積の７５パーセントからなる第１部分（例えば、間接照明をもたらす）、及び照明要素の表面積の残りの２５パーセントからなる第２部分（例えば、直接照明をもたらす）を有する。
【０１６０】
電球アセンブリ１３６８が異なる形状で形成されるとき、環状制御リング１３６４は同様に機能することができる。図６６及び６７は、結合機構１３８２、軸部１３８４、及び照明要素１３８６を有する電球アセンブリ１３８０を示す。照明要素１３８６は、第１照明面１３８８及び第２照明面１３９０を有する、概ね平坦なディスク様構造（照明要素１３８６が円形である必要はないが）であり得る。例えば、各照明面１３８８、１３９０は、上記のように発光ダイオードのアレイを備えてよい。環状制御リング１３６４を操作して、照明面１３８８及び１３９０の一方又は他方（又は両方）を選択的に照明できる。例えば、環状制御リング１３６４を第１位置に調節すると（図６６に示されているように）、第２照明面１３９０の発光ダイオードアレイを照明させることができ、一方環状制御リング１３６４を第２位置に調節すると（図６７に示されているように）、第１照明面１３８８の発光ダイオードアレイを照明させることができる。図６６及び６７には、アイコン１３９２が環状制御リング１３６４で使用され、様々な制御位置の機能を示し得ることが示される。図６８は、状況１３９８においてほぼディスク様照明要素を配置し得る、２つの方法を示す。図６８では、図６６に示されるように調節された環状制御リング１３６４を有する第１照明アセンブリ１３９４が、間接照明をもたらす。同時に、環状制御リング１３６４が図６７に示されるように調節された第２照明アセンブリ１３９６は、直接照明をもたらす。
【０１６１】
いくつかの実施形態では、タッチセンサー式面が、照明アセンブリの１つ以上の機能を制御できる。照明アセンブリの点灯又は消灯のいずれかを制御することに加え、タッチセンサー式制御部は調光回路を操作でき、ユーザーが、制御部の表面に沿って指を動かし、所望の輝度と一致する制御部の特定の領域に触れることで、照明アセンブリの照明を暗く及び／若しくは明るくできるように、又は２つ以上の既定の輝度設定を繰り返すようにできる。その代わりに（又は加えて）、タッチセンサー式制御部によって、ユーザーは、電球アセンブリ中の点灯及び／又は消灯可能な１つ以上の照明回路を繰り返すようにできる（例えば、環状制御リング１３６４の代わりに）。
【０１６２】
タッチセンサー式制御部は、照明アセンブリの多くの実施形態で、及び本明細書に記載する装置を使用する照明アセンブリの多くの実施形態で実装できる。多くの照明アセンブリとは異なり、ほとんどの意図及び目的において、照明要素としてＬＥＤアレイを有する照明アセンブリは２次元であり得る。この理由から、かかる照明アセンブリは、引き出し及びキャビネットなどの空間での使用に特に適しており、ここでは、キャビネット下照明などとして使用するため裏張りとして使用できる（図７１参照）。タッチセンサー式制御部は、ベースアセンブリに触れることで、ユーザーが１つ以上の照明アセンブリの機能を制御できるように、ベースアセンブリに組み込まれてよい。いくつかの実施形態では、タッチセンサー式制御部は、例えば、タッチセンサー式モジュールをベースアセンブリに接続することにより、又はそれ自体がタッチセンサー式制御部に接続されるモジュールをベースアセンブリに接続することにより、ベースアセンブリに別々に取り付け可能であってよい。更に別の実施形態では、タッチセンサー式制御部を電球アセンブリに組み込み、ユーザーが電球アセンブリに触れ、照明アセンブリの１つ以上の機能を制御できるようにしてよい。そのような実施形態では、照明アセンブリのベース又はベースアセンブリに位置し、照明アセンブリの電球又は電球アセンブリに配置されるセンサ（すなわち、タッチセンサー式面）に接続される、制御装置内に制御機能が実装され得ることが、企図される。
【０１６３】
本説明による照明アセンブリの様々な実施形態は、１つ以上の機能に対する制御要素を備えてよく、この制御要素は、電球アセンブリ内に組み込まれるか、更には電球自体である。ここで図６９を参照すると、照明アセンブリ１４００は、照明アセンブリ１４００に両方とも組み込まれる、ベース区分１４０２と、電球区分１４０４と、を含む。電球区分１４０４は、円筒形のシェード部材１４０５と、柄１４０６と、を含む。いくつかの実施形態では、シェード１４０５は照明要素である。別の実施形態では、柄１４０６は照明要素である。
【０１６４】
いずれにせよ、柄１４０６は軸１４０７の周囲を回転可能であり、ベース１４０２中の調光回路に電気的及び／又は機械的に結合される。柄１４０６の末端部１４０８は、電球区分１４０４末端部１４１０から突き出ている。軸１４０７の周囲を柄１４０６が回転すると、調光回路を調節し、電球区分１４０４から放射される照明の強度を制御するよう操作できる。いくつかの実施形態では、柄１４０６の回転により、ベース区分１４０２中の加減抵抗器を作動し、それによって照明要素に印加される電圧を直接調節することで、調光回路を調節するよう操作される。別の実施形態では、柄１４０６の回転により、アナログ・デジタル変換器への入力を調節し、電圧又は照明要素に適用された信号のデューティサイクルを間接的に調節することで、調光回路を調節するよう操作される。
【０１６５】
更に別の実施形態では、柄１４０６は調光回路に結合されない場合もある。その代わりに、柄１４０６を制御装置又はスイッチに結合してよく、軸１４０７の周囲を柄１４０６が回転すると、制御装置への１つ以上の信号を変更し、又は様々な出力回路間を変換するよう操作できる。１つ以上の信号を変更することにより、制御装置が照明要素への出力を変更できるようになり、又は照明要素の出力を直接的に変更できる。例えば、柄１４０６の回転によって、制御装置が、３つの照明モード（例えば、低、中、及び高照明モード間、又は照明要素内の３つの照明回路間）間を切り替えできる。あるいは、柄１４０６の回転によって、電球部１４０４が、ベース部１４０２中で既に有効化されている異なる回路と接続できる。
【０１６６】
図７０では、照明アセンブリ１４１２は、ベースアセンブリ１４１４と、電球アセンブリ１４１６と、を含む。照明アセンブリ１４１６は、直角円錐台状のシェード１４１８と、柄１４２０と、を含み、これらのうちいずれかが照明要素であってよい。電球アセンブリ１４１６上の結合機構１４２２は、ベースアセンブリ１４１４上の結合機構１４２８に配置される対応する球１４２６と結合するよう適合される、ソケット１４２４を含む。球１４２６及びソケット１４２４は、球継ぎ手として連動し、電球アセンブリ１４１６が調節可能に配置されることを可能にする。柄１４２０は、電球アセンブリ１４０６を握るのに便利な場所と、電球アセンブリ１４１６を結合機構１４２２に対して動かすためのてこ部分の両方を提供することにより、ユーザーが電球アセンブリを調節可能に配置することを助けることができる。
【０１６７】
図６９の照明アセンブリ１４００中の柄１４０６と同様に、柄１４２０は、照明アセンブリ１４１２の１つ以上の機能に対する制御部として働くこともでき、具体的には、照明を暗く又は明るくする、照明パターンを変更する、照明の色を変更する、照明アセンブリを点灯／消灯するなどのために、軸１４３０の周囲を回転可能であってよい。
【０１６８】
上段に記載の機能及び制御を組み合わせて、無数のその他組み合わせ及び／又は機能を実装できる。１つの例示の実施例としてであるが、照明アセンブリの制御装置によって、照明アセンブリを点滅させられる。上記制御機構の１つによって、ユーザーが、点灯時間及び消灯時間のうちの１つ以上を変化させることを可能にできる。別の例として、制御装置は、２つ以上の導電性照明回路のオン及びオフを選択的及び／又は周期的に切り替える１つ以上のタイマーを実装することにより、様々な照明パターンをもたらし得る。
【０１６９】
当然のことながら、上段に記載の様々な機能及び制御を互いに組み合わせて実装し、複数の機能を制御できる。例えば、照明アセンブリは、調光機能及び毎日のタイマー機能を有してよい。照明アセンブリは、図５７〜６０に示される摺動機構１３３８を用いて、調光機能に対する制御部を実装してよく、一方で、電子的ユーザーインターフェースモジュール１３１２を用いて、毎日のタイマー機能の制御部を実装してよい。更に、上段及び添付の図５２〜６０に記載の機能制御部は、別々ではあるが、結合可能な電球アセンブリ及びベースアセンブリを含む照明アセンブリについて示されるが、機能制御機構を、電球とベースが分離できない一体型照明アセンブリにも同様に実装できることが、当業者は容易に理解するであろう。
【０１７０】
上記の多くの実施形態が、電源に結合するためにエジソンねじを有するベースアセンブリに結合された電球アセンブリに関連して説明されている。しかしながら、繰り返し示されているように、記載されている実施形態の多くはエジソンネジを有するベースを必要としない。例示目的で、ベース及び／又は結合機構の様々な実施形態をここで説明する。
【０１７１】
図３４に示され、かつ先に考察されているように、電球アセンブリ７０２の電球ベース７１０は、電球アセンブリ７０２をベースアセンブリ７３５に固定すること、及び電源から供給される電力を照明要素に供給することを可能にすることの両方の目的で、ベースアセンブリ７３５に機械的及び電気的の両方で結合されてよい。例えば、図３４に示されているように、電球ベース７１０は、プラスチック材料（又は金属材料）からなってよく、第１磁石１６４８を、ベースアセンブリ７３５の収容部分１６４９に結合するように適合される、電球ベース７１０の部分に配置してよい。ベースアセンブリ７３５の収容部分１６４９は、上部に固定される第２磁石１６５０を有してよく、第２磁石１６５０が第１磁石１６４８に磁気的に引き寄せられるように、第１磁石１６４８に隣接する第２磁石１６５０の部分は、第２磁石１６５０に隣接する第１磁石１６４８の部分と逆の極性を有してよい。第１磁石１６４８及び第２磁石１６５０は、第２磁石１６５０が第１磁石１６４８と磁気的に結合すると、電球ベース７１０がベースアセンブリ７３５と同軸状に並ぶように、電球ベース７１０及びベースアセンブリ７３５の中心軸に沿ってそれぞれ配置してよい。しかしながら、２つ以上の磁石が電球ベース７１０及びベースアセンブリ７３５に結合し、電球ベース７１０及びベースアセンブリ７３５が任意の好適な方向に並んでもよい。
【０１７２】
上記磁気結合の代わりに（又はそれに加え）、電球ベース７１０及びベースアセンブリ７３５を、当該技術分野において既知の任意の方法で結合してよい。例えば、図３５Ａに示されているように、１つ以上の突起部１６５２が電球ベース７１０の下面から突き出てよく、１つ以上の突起部１６５２は、ベースアセンブリ７３５の収容部分１６４９に形成される対応するスロット１６５４（又は開口部、つまり凹部）中に収容されるように適合されてよい。あるいは、１つ以上の突起部が、ベースアセンブリ７３５の収容部分１６４９から上方に延びてよく、１つ以上の突起部は、電球ベース７１０の下面に形成される対応するスロット、開口部、又は凹部に収容されるように適合されてよい。当該技術分野において既知の任意の手段、例えば、突起部１６５２上で作動する板ばねの摩擦係合、又は、スロット若しくは凹部内の固定位置への突起部の回転により、スロット又は凹部内に突起部を固定してよい。電球ベース７１０とベースアセンブリ７３５との間の接続の別の例は、差し込み接続であってよく、１つ以上のピンを有する雄側と、合致するスロットと１つ以上のばねを有する雌型受容部を含み、２つの部分が互いに固定されるのを維持する。ベースアセンブリ７３５に結合される電球ベース７１０では、結合される電球ベース７１０は、以下においてより詳細に記載される電気的接続を含む、当該技術分野において既知の任意の方法で、ベースアセンブリ７３５に電気的に結合されてもよい。
【０１７３】
上記結合機構に加え、電球ベース７１０及びベースアセンブリ７３５上に１つ以上の特徴部を形成し、電球ベース７１０及びベースアセンブリ７３５の所望の相互方向付けを確実にしてよい。例えば、図３５Ｂに示されているように、単一の突起部１６５６を電球ベース７１０上に配置でき、突起部１６５６が、第１凹部、つまり戻り止め１６５８に配置される場合に、第１輝度設定などの第１照明機能が起動してよい。あるいは、突起部１６５６が、第２凹部、つまり戻り止め１６６０に配置される場合に、第１輝度設定などの第２照明機能が起動してよい。
【０１７４】
更にまた、電球ベース７１０は、１つ以上の環状特徴部の手段によってベースアセンブリ７３５に結合されてよい。図３５Ｃは、突起部１５６３に加えて、環状接触部１５６１を有する電球ベース７１０の実施形態の底面図を示す。いくつかの実施形態では、環状接触部１５６１は、電球アセンブリ７０２の異なる回路にそれぞれ電力を伝えることができる。別の実施形態では、環状接触部１５６１は、電球アセンブリ７０２にそれぞれデータ信号を伝えることができ、一方突起部１５６３は、電球アセンブリ７０２の回路に電力を供給する。当然のことながら、図３５Ｃは、２つの環状接触部１５６１を有するものとして示されるが、様々な実施形態では、より多い又は少ない環状接触部１５６１を備えてよい。
【０１７５】
図３５Ｄは、電球ベース７１０の実施形態と、ベースアセンブリ７３５の適合した実施形態の断面側面図を示す。電球ベース７１０は、環状接触部１５６１と、突起部１５６３と、を含む。ベースアセンブリ７３５は、環状接触部１５６１及び突起部１５６３をそれぞれ収容し、電気的に結合するよう構成される、対応する凹部１５６５及び１５６７を含む。
【０１７６】
いくつかの実施形態では、誘導結合によって、ベースアセンブリ７３５から電球アセンブリ７０２に電力を伝達でき、ベースアセンブリ７３５中に第１変圧器１５６９と、電球アセンブリ７０２中に対応する第２変圧器１５７１と、を備えてよい。電球ベース７１０が相補的ベースアセンブリ７３５に設置されるときに、互いにごく近接して置かれると、制御装置又は他の機構（例えば、容量スイッチ又は機械的スイッチ）によって、変圧器１５６９中の電流が流れる場合があり、これは当然のことながら、対応する電流が変圧器１５７１中で生じる原因となり、これにより電力が電球アセンブリ７０２に送られる。図３５Ｄは、第１変圧器１５６９と第２変圧器１５７１との間の物理的インターフェースを、凹部１５６７と対応する突起部１５６３として示しているが、当然のことながら、誘導電力伝達を実装する二次電源インターフェース１０３６及び１０４０は、多くの種類の物理的インターフェースを実装できる。誘導電力伝達は周知であり、そのため本明細書においては詳述しない。
【０１７７】
図３６を参照すると、電球ベース７１０及びベースアセンブリ７３５は、一体型部分として形成されてよい。より具体的には、電球ベース７１０がベースアセンブリ７３５から取り外せないように、電球ベース７１０をベースアセンブリ７３５に恒久的に結合できる。
【０１７８】
これまで説明したように、ベースアセンブリ７３５は、任意の電源から電力を受信するよう適合され得る。例えば、図３４に示されているように、例えばベースアセンブリ７３５は、従来の電灯のソケットに挿入されるように構成される、ねじ型特徴部（例えば、エジソンねじ、又はより具体的には、Ｅ２７型中型エジソンねじ）である、インターフェース特徴部１６６８を有してよい。任意の種類のエジソンねじを、インターフェース特徴部１６６８として使用できることが、当業者には認識されるであろう。インターフェース特徴部１６６８は、実質的に円筒形であるベースアセンブリ７３５の中心軸に対して対称に配置されてよい。また、ベースアセンブリ７３５は、従来の壁コンセントに差し込むよう適合されるインターフェース特徴部１６６８を有してもよく、ベースアセンブリ７３５は、１つ以上の電気デバイスをベースアセンブリ７３５上の差し込み口に差し込み、壁コンセントから電力を受信できるように、表面外側に配置された１つ以上の差し込み口を有してもよい。また、ベースアセンブリ７３５を、従来のレール式可動照明システム、又は他の従来のシステムに電気的に結合し、電球などの従来の照明要素に電力を供給するように構成してもよい。
【０１７９】
本発明では、具体的な実施形態に関して記載してきたが、これらの実施形態は単なる例証であり、本発明を制限するものではない。本明細書の記載において、本発明の実施形態の一貫した理解をもたらすために、電子的構成要素、電気及び構造的接続部、材料、構造変形例などの多くの具体的な詳細が提示されている。本発明の実施形態は、１つ以上の具体的な詳細もなく、又は他の装置、システムアセンブリ、構成要素、材料、部品等を用いて実施することができるということを当業者は理解するであろう。他の場合では、本発明の実施形態の対応を曖昧にすることを避けるために、既知の構造体、材料、又は操作は具体的に示されていない、又は詳細に記載されていない。追加又は同等の方法工程が採用されてもよく、又は他の工程と組み合わされてもよく、又は異なる順序で実施されてもよいということを当業者は更に理解し、これらのいずれか又は全ては本発明の範囲内である。更に、様々な図は原寸で描かれてはおらず、限定するものとして見なされるべきではない。
【０１８０】
「一実施形態」「ある実施形態」、又は具体的な「実施形態」に対するこの明細書を通じた参照は、実施形態に関して記載された具体的な機構、構造体、又は特性は、少なくとも１つの実施形態に含まれ、全ての実施形態に必ずしも含まれてはおらず、更に、同じ実施形態を必ずしも参照していない。更に、いずれか具体的な実施形態の具体的な機構、構造体、又は特性は、任意の好適な方法、並びに、他の機構の対応する使用を有さずに選択された機構の使用を含め、１つ以上の他の実施形態との組み合わせに好適ないずかで組み合わされてもよい。更に、多くの修正は、特定の用途、状況、又は材料を本発明の基本的な範囲及び趣旨に適合するためになされてもよい。本明細書で説明され、示される本発明の他の変形例及び修正は、本明細書の教示を考慮すれば可能であり、本発明の趣旨及び範囲の一部として見なされる。例としてであり限定しないが、本開示は、少なくとも以下の態様を企図する。
１．
最大幅（Ｗ）の照明要素であって、照明可能な平坦な材料を含み、厚み（Ｔ）を有する照明要素と、
照明アセンブリをソケットに結合できるベースと、
細長い軸部分であって、照明要素及びベースを取り外し可能に結合する軸部分と、を含む、照明アセンブリ。
２．細長い軸部分が、
照明要素に固定的に結合される第１端部と、
ベースに取り外し可能に結合される第２端部と、を含む、請求項１に記載の照明アセンブリ。
３．細長い軸部分が、
ベースと一体形成される第１端部と、
照明要素に取り外し可能に結合される第２端部と、を含む、請求項１に記載の照明アセンブリ。
４．細長い軸部分が、
ベースに取り外し可能に結合される第１端部と、
照明要素に取り外し可能に結合される第２端部と、を含む、請求項１に記載の照明アセンブリ。
５．第２端部が、照明要素とベースの中間で、軸部を磁気的に固定するように構成される第１磁石を含む、請求項１〜４のいずれか一項に記載の照明アセンブリ。
６．細長い軸部分が、
内側軸部と、
内側軸部と摺動可能に係合する外側軸部と、を更に含み、
軸部分の長さが調節可能であってアセンブリの全長を決定する、請求項１〜５のいずれか一項に記載の照明アセンブリ。
７．細長い軸部分が、
内側軸部と、
内側軸部と摺動可能に係合する外側軸部と、
内側軸部の位置を外側軸部に対して調節することによって作動する制御部と、を更に含む、請求項１〜５のいずれか一項に記載の照明アセンブリ。
８．細長い軸部分が、
内側軸部と、
内側軸部と回転可能に（rotateably）係合する外側軸部と、
内側軸部の角度を外側軸部に対して調節することによって作動する制御部と、を更に含む、請求項１〜５のいずれか一項に記載の照明アセンブリ。
９．制御部が、照度、照明方向、照明色、照明色温度、又は通電する照明回路の選択のうちの１つ以上を変えるように構成される、請求項７又は８に記載の照明アセンブリ。
１０．照明要素が、
照明要素の第１面を照明するために選択的に通電可能な第１回路と、
照明要素の第２面を照明するために選択的に通電可能な第２回路と、を含み、
第１及び第２回路が独立して通電可能な、請求項１〜９のいずれか一項に記載の照明アセンブリ。
１１．軸部分が、
第１区分と、
第２区分と、
第１区分が第２区分に対して枢動できるように構成される枢動機構と、を更に含む、請求項１〜１０のいずれか一項に記載の照明アセンブリ。
１２．枢動機構が球継ぎ手である、請求項１１に記載の照明アセンブリ。
１３．枢動機構がヒンジである、請求項１１に記載の照明アセンブリ。
１４．軸部分の一方の末端部に配置され、照明要素に結合されるヒンジを更に含み、照明要素が軸部分の対応する一方の末端部に対して枢動できるように、そのヒンジが整列される、請求項１〜１３のいずれか一項に記載の照明アセンブリ。
１５．照明要素が直角円錐台として形成される、請求項１〜１４のいずれか一項に記載の照明アセンブリ。
１６．照明要素が直径（Ｄ）を有する円形ディスクである、請求項１〜１４のいずれか一項に記載の照明アセンブリ。
１７．軸部分が、照明要素の厚み（Ｔ）を超え、かつ最大幅（Ｗ）未満の幅（ＷS）を有する、請求項１〜１６のいずれか一項に記載の照明アセンブリ。
１８．照明要素が、
凹面と、
凹面から厚み（Ｔ）離れた凸面と、を含む、請求項１〜１７のいずれか一項に記載の照明アセンブリ。
１９．
照明可能な平坦な材料であって、照明要素を形成し、第１面及び第２面を有し、この第１面及び第２面が、材料厚み（Ｔ）だけ離れる平坦な材料と、
照明要素をベースに取り外し可能に結合するように構成される磁気結合機構と、を含む、交換式照明要素。
２０．
第１磁石又は第１金属面であって、交換式照明要素を細長い軸部に結合するように構成される第１磁石又は第１金属面を更に含む、請求項１９に記載の交換式照明要素。
２１．
細長い軸部分であって、照明要素をベースに取り外し可能に結合するように構成される軸部分を更に含む、請求項１９に記載の交換式照明要素。
２２．細長い軸部分が、
照明要素に固定的に結合される第１端部と、
ベースに取り外し可能に結合するように構成される第２端部と、を含む、請求項２１に記載の交換式照明要素。
２３．細長い軸部分が、
ベースに取り外し可能に結合するように構成される第１端部と、
照明要素に取り外し可能に結合される第２端部と、を含む、請求項２１に記載の交換式照明要素。
２４．第２端部が、照明要素とベースの中間で、軸部を磁気的に固定するように構成される第１磁石を含む、請求項２１〜２３のいずれか一項に記載の交換式照明要素。
２５．細長い軸部が、
内側軸部と、
内側軸部と摺動可能に係合する外側軸部と、を更に含み、
軸部分の長さが調節可能であって照明要素の全長を決定する、請求項２１〜２４のいずれか一項に記載の交換式照明要素。
２６．細長い軸部分が、
内側軸部と、
内側軸部と摺動可能に係合する外側軸部と、
内側軸部の位置を外側軸部に対して調節することによって作動する制御部と、を更に含む、請求項２１〜２４のいずれか一項に記載の交換式照明要素。
２７．細長い軸部分が、
内側軸部と、
内側軸部と回転可能に係合する外側軸部と、
内側軸部の角度を外側軸部に対して調節することによって作動する制御部と、を更に含む、請求項２１〜２４のいずれか一項に記載の交換式照明要素。
２８．
平坦な材料の第１面を照明するために選択的に通電可能な第１回路と、
平坦な材料の第２面を照明するために選択的に通電可能な第２回路と、を更に含み、
第１及び第２回路が独立して通電可能な、請求項１９〜２７のいずれか一項に記載の交換式照明要素。
２９．
全体幅（Ｗ）を有し、照明可能な平坦な材料を含む照明要素であって、第１面及び第２面を有し、この第１面及び第２面が、互いに材料厚み（Ｔ）だけ離れる照明要素と、
照明アセンブリをソケットに結合できるベースと、
細長い軸部分であって、軸部分の第１端部において照明要素に、かつ、軸部分の第２端部においてベースに結合し、この軸部分が照明要素及びベースを結合する軸部分と、
通電すると第１面を照明させる第１照明回路と、
通電すると第２面を照明させる第２照明回路と、を含む、照明アセンブリ。
３０．細長い軸部分が、
照明要素に固定的に結合される第１端部と、
ベースに取り外し可能に結合される第２端部と、を含む、請求項２９に記載の照明アセンブリ。
３１．細長い軸部分が、
ベースと一体形成される第１端部と、
照明要素に取り外し可能に結合される第２端部と、を含む、請求項２９に記載の照明アセンブリ。
３２．細長い軸部分が、
ベースに取り外し可能に結合される第１端部と、
照明要素に取り外し可能に結合される第２端部と、を含む、請求項２９に記載の照明アセンブリ。
３３．前記第２端部が、照明要素とベースの中間で、軸部を磁気的に固定するように構成された第１の磁石を含む、請求項２９〜３２のいずれか一項に記載の照明アセンブリ。
３４．細長い軸部が、
内側軸部と、
内側軸部と摺動可能に係合する外側軸部と、を更に含み、
軸部分の長さが調節可能であってアセンブリの全長を決定する、請求項２９〜３３のいずれか一項に記載の照明アセンブリ。
３５．細長い軸部が、
内側軸部と、
内側軸部と摺動可能に係合する外側軸部と、
前記内側軸部の位置を前記外側軸部に相対的に調節することによって作動する制御部と、を更に含む、請求項２９〜３３のいずれか一項に記載の照明アセンブリ。
３６．細長い軸部が、
内側軸部と、
内側軸部と回転可能に係合する外側軸部と、
内側軸部の角度を外側軸部に対して調節することによって作動する制御部と、を更に含む、請求項２９〜３３のいずれか一項に記載の照明アセンブリ。
３７．制御部が、照度、照明方向、照明色、照明色温度、又は通電する照明回路の選択のうちの１つ以上を変えるように構成される、請求項３５又は３６に記載の照明アセンブリ。
３８．軸部分が、照明要素の厚み（Ｔ）を超え、かつ最大幅（Ｗ）未満の幅（ＷS）を有する、請求項２９〜３７のいずれか一項に記載の照明アセンブリ。
３９．照明要素が、
凹面と、
凹面から厚み（Ｔ）だけ離れる凸面と、を含む、請求項２９〜３８のいずれか一項に記載の照明アセンブリ。
４０．
照明可能な照明要素を形成する平坦な材料であって、第１面及び第２面を有し、この第１面及び第２面が、材料厚み（Ｔ）だけ離れる照明要素と、
通電すると第１面を照明させる第１照明回路と、
通電すると第２面を照明させる第２照明回路と、を含む、交換式照明要素。
４１．
第１磁石又は第１金属面であって、交換式照明要素を細長い軸部に結合するように構成される第１磁石又は第１金属面を更に含む、請求項４０に記載の交換式照明要素。
４２．
細長い軸部分であって、照明要素及びベースを取り外し可能に結合する軸部分と、を更に含む、請求項４０に記載の交換式照明要素。
４３．細長い軸部分が、
照明要素に固定的に結合される第１端部と、
ベースに取り外し可能に結合するように構成される第２端部と、を含む、請求項４２に記載の交換式照明要素。
４４．細長い軸部分が、
ベースに取り外し可能に結合するように構成される第１端部と、
照明要素に取り外し可能に結合される第２端部と、を含む、請求項４２に記載の交換式照明要素。
４５．第２端部が、照明要素とベースの中間で、軸部を磁気的に固定するように構成される第１磁石を含む、請求項４２〜４４のいずれか一項に記載の交換式照明要素。
４６．細長い軸部が、
内側軸部と、
内側軸部と摺動可能に係合する外側軸部と、を更に含み、
軸部分の長さが調節可能であって照明要素の全長を決定する、請求項４２〜４５のいずれか一項に記載の交換式照明要素。
４７．細長い軸部分が、
内側軸部と、
内側軸部と摺動可能に係合する外側軸部と、
内側軸部の位置を外側軸部に対して調節することによって作動する制御部と、を更に含む、請求項４２〜４５のいずれか一項に記載の交換式照明要素。
４８．細長い軸部分が、
内側軸部と、
内側軸部と回転可能に係合する外側軸部と、
内側軸部の角度を外側軸部に対して調節することによって作動する制御部と、を更に含む、請求項４２〜４５のいずれか一項に記載の交換式照明要素。
【０１８１】
図に示される１つ以上の要素は、特定の用途に従って有用であり得るように、更に分離した、又は一体化した方法で、又は特定の場合では更に、取り除かれるか、操作不可能な状態で実施することができるということが理解されるであろう。構成要素の一体形成された組み合わせはまた、本発明の範囲内である（特に、別個の構成要素の分離又は組み合わせが不明瞭若しくは識別不可である実施形態に関して）。更に、本明細書において用語「結合された」（「結合」又は「結合可能な」など、その様々な形態を含む）は、直接若しくは間接的な電気的、構造的、又は磁気的結合、接続若しくは取り付け、あるいは、そのような直接若しくは間接的な電気的、構造的、若しくは磁気的結合、接続若しくは取り付けに対する適合性又は能力を意味し、かつこれらを含み、これは他の構成要素によって、又はこれを通じて連結される一体形成された構成要素を含む。
【０１８２】
本発明の目的において本明細書で使用するとき、用語「電球」又は「照明要素」（及びそれぞれの対応する複数形）は、当然のことながら、エレクトロルミネッセンス（例えば、発光ダイオード）、白熱（例えば、白熱電球）、又は蛍光（例えば、蛍光灯）を利用して、人工照明をもたらす任意の電灯照明要素を含むが、ただし、これら照明要素の１つ以上が、記載の実施形態に適合しない場合を除く。電球又は照明要素は独立していてよく、又は、大きい電球アセンブリ及び／若しくはベースアセンブリを含む照明アセンブリの一部であってもよい。
【０１８３】
本明細書で使用するとき、用語「ＬＥＤ」及びのその複数形は「ＬＥＤｓ」は、電気信号に反応して放射線を生成することができる、エレクトロルミネセントダイオード又は他のタイプの担体注入、すなわちジャンクション系システムを含むことが理解されるべきであり、これは、電流又は電圧、光放射ポリマー、又は有機ＬＥＤ等に反応して光（可視スペクトル内、又は紫外線若しくは赤外線など、任意の帯域幅、又は任意の色若しくは色温度の、他のスペクトルを含む）を放射する様々な半導体系又は炭素系構造体を非限定的に含む。本発明の目的に関して、本明細書で使用されるとき、用語「光起電ダイオード」（すなわちＰＶ）及びその複数形の「ＰＶｓ」は、入射エネルギー（例えば光又は他の電磁波）に反応して電気信号（例えば電圧）を生成することができる、任意の光起電ダイオード又は他のタイプの担体注入、すなわちジャンクション系システムを含むということが理解されるべきであり、これは、光（可視スペクトル内、又は紫外線若しくは赤外線など、任意の帯域幅、又は任意の色若しくは色温度の、他のスペクトルを含む）に反応して電気信号を非限定的に生成又は提供する。
【０１８４】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【０１８５】
本発明の「発明を実施するための形態」で引用したすべての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０１８６】
更に、図面／図における任意の信号矢印は、とりわけ指定がない限り、例示のみであり、限定するものではないと考えられるべきである。工程の構成要素の組み合わせは、本発明の範囲内であると見なされ、特にここでは分離又は組み合わせる能力が不明瞭であるか、又は予測可能である。選言的用語「又は」は本明細書で及び後に続く請求項にわたって使用されるとき、他に指示がない場合は、「及び／又は」を意味することを一般的に意図され、接続及び選言的意味の両方を有する（かつ「排他的な又は」という意味に限定されない）。本明細書において、及び特許請求範囲にわたって使用されるとき、単数形「ａ」、「ａｎ」、及び「ｔｈｅ」は、その内容について別段の明確な指示がない限り、複数の指示対象を包含する。また、本明細書において、及び特許請求範囲にわたって使用されるとき、「ｉｎ」はその内容について別段の明確な指示がない限り、「内で」及び「上で」を包含する。
【０１８７】
本発明の示された実施形態の前述の説明は、発明の概要において又は要約書において記載されているものを含め、包括的又は本明細書に開示される正確な形態を本発明に限定することを意図していない。前述のものから、多くの変形例又は修正例、及び代替が意図され、本発明の新概念の趣旨及び範囲から逸脱することなく、実施され得るということが認められるであろう。本明細書に示される具体的な方法又は装置に関する制限がないということが意図され、又は推測されるということが理解される必要がある。これは当然、このような変更及び修正の全てが特許請求の範囲内にあるものとして、添付の請求項により網羅されることを意図される。
【図１】
2014517449.tif 000003
【図２】
2014517449.tif 000004
【図３】
2014517449.tif 000005
【図４】
2014517449.tif 000006
【図５】
2014517449.tif 000007
【図６】
2014517449.tif 000008
【図７】
2014517449.tif 000009
【図８】
2014517449.tif 000010
【図９】
2014517449.tif 000011
【図１０】
2014517449.tif 000012
【図１１】
2014517449.tif 000013
【図１２】
2014517449.tif 000014
【図１３】
2014517449.tif 000015
【図１４】
2014517449.tif 000016
【図１５】
2014517449.tif 000017
【図１６Ａ】
2014517449.tif 000018
【図１６Ｂ】
2014517449.tif 000019
【図１７】
2014517449.tif 000020
【図１８】
2014517449.tif 000021
【図１９】
2014517449.tif 000022
【図２０】
2014517449.tif 000023
【図２１】
2014517449.tif 000024
【図２２】
2014517449.tif 000025
【図２３】
2014517449.tif 000026
【図２４】
2014517449.tif 000027
【図２５Ａ】
2014517449.tif 000028
【図２５Ｂ】
2014517449.tif 000029
【図２６】
2014517449.tif 000030
【図２７Ａ】
2014517449.tif 000031
【図２７Ｂ】
2014517449.tif 000032
【図２８Ａ】
2014517449.tif 000033
【図２８Ｂ】
2014517449.tif 000034
【図２８Ｃ】
2014517449.tif 000035
【図２９Ａ】
2014517449.tif 000036
【図２９Ｂ】
2014517449.tif 000037
【図２９Ｃ】
2014517449.tif 000038
【図３０Ａ】
2014517449.tif 000039
【図３０Ｂ】
2014517449.tif 000040
【図３０Ｃ】
2014517449.tif 000041
【図３１Ａ】
2014517449.tif 000042
【図３１Ｂ】
2014517449.tif 000043
【図３１Ｃ】
2014517449.tif 000044
【図３１Ｄ】
2014517449.tif 000045
【図３２Ａ】
2014517449.tif 000046
【図３２Ｂ】
2014517449.tif 000047
【図３２Ｃ】
2014517449.tif 000048
【図３２Ｄ】
2014517449.tif 000049
【図３２Ｅ】
2014517449.tif 000050
【図３３】
2014517449.tif 000051
【図３４】
2014517449.tif 000052
【図３５Ａ】
2014517449.tif 000053
【図３５Ｂ】
2014517449.tif 000054
【図３５Ｃ】
2014517449.tif 000055
【図３５Ｄ】
2014517449.tif 000056
【図３６】
2014517449.tif 000057
【図３７Ａ】
2014517449.tif 000058
【図３７Ｂ】
2014517449.tif 000059
【図３８Ａ】
2014517449.tif 000060
【図３８Ｂ】
2014517449.tif 000061
【図３８Ｃ】
2014517449.tif 000062
【図３８Ｄ】
2014517449.tif 000063
【図３８Ｅ】
2014517449.tif 000064
【図３９】
2014517449.tif 000065
【図４０】
2014517449.tif 000066
【図４１】
2014517449.tif 000067
【図４２】
2014517449.tif 000068
【図４３】
2014517449.tif 000069
【図４４】
2014517449.tif 000070
【図４５】
2014517449.tif 000071
【図４６】
2014517449.tif 000072
【図４７】
2014517449.tif 000073
【図４８】
2014517449.tif 000074
【図４９】
2014517449.tif 000075
【図５０】
2014517449.tif 000076
【図５１Ａ】
2014517449.tif 000077
【図５１Ｂ】
2014517449.tif 000078
【図５１Ｃ】
2014517449.tif 000079
【図５１Ｄ】
2014517449.tif 000080
【図５２】
2014517449.tif 000081
【図５３】
2014517449.tif 000082
【図５４】
2014517449.tif 000083
【図５５】
2014517449.tif 000084
【図５６】
2014517449.tif 000085
【図５７】
2014517449.tif 000086
【図５８】
2014517449.tif 000087
【図５９】
2014517449.tif 000088
【図６０】
2014517449.tif 000089
【図６１】
2014517449.tif 000090
【図６２Ａ】
2014517449.tif 000091
【図６２Ｂ】
2014517449.tif 000092
【図６３Ａ】
2014517449.tif 000093
【図６３Ｂ】
2014517449.tif 000094
【図６３Ｃ】
2014517449.tif 000095
【図６４Ａ】
2014517449.tif 000096
【図６４Ｂ】
2014517449.tif 000097
【図６５Ａ】
2014517449.tif 000098
【図６５Ｂ】
2014517449.tif 000099
【図６５Ｃ】
2014517449.tif 000100
【図６６】
2014517449.tif 000101
【図６７】
2014517449.tif 000102
【図６８】
2014517449.tif 000103
【図６９】
2014517449.tif 000104
【図７０】
2014517449.tif 000105
【図７１】
2014517449.tif 000106
【図７２Ａ】
2014517449.tif 000107
【図７２Ｂ】
2014517449.tif 000108
【図７３Ａ】
2014517449.tif 000109
【図７３Ｂ】
2014517449.tif 000110
【図７４】
2014517449.tif 000111
【図７５Ａ】
2014517449.tif 000112
【図７５Ｂ】
2014517449.tif 000113
【図７６Ａ】
2014517449.tif 000114
【図７６Ｂ】
2014517449.tif 000115
【図７７Ａ】
2014517449.tif 000116
【図７７Ｂ】
2014517449.tif 000117
【図７８】
2014517449.tif 000118
【図７９】
2014517449.tif 000119
【図８０】
2014517449.tif 000120
【図８１】
2014517449.tif 000121
【図８２Ａ】
2014517449.tif 000122
【図８２Ｂ】
2014517449.tif 000123
【図８３Ａ】
2014517449.tif 000124
【図８３Ｂ】
2014517449.tif 000125
【図８４Ａ】
2014517449.tif 000126
【図８４Ｂ】
2014517449.tif 000127
【図８５Ａ】
2014517449.tif 000128
【図８５Ｂ】
2014517449.tif 000129
【図８６Ａ】
2014517449.tif 000130
【図８６Ｂ】
2014517449.tif 000131
【図８７Ａ】
2014517449.tif 000132
【図８７Ｂ】
2014517449.tif 000133
【国際調査報告】
2014517449.tif 000134
2014517449.tif 000135
2014517449.tif 000136
2014517449.tif 000137
2014517449.tif 000138